(57)【要約】【課題】外部接続機器からのＯＮ／ＯＦＦ制御を可能とする。【解決手段】紫外線照射装置は、紫外線硬化型樹脂を硬化可能な紫外線を照射するための紫外線照射装置であって、紫外線を照射可能な一以上の紫外線源を備える複数のヘッド部１２０と、複数のヘッド部１２０と各々接続可能な複数のヘッド部接続部１６０と、ヘッド部１２０の紫外線源のＯＮ／ＯＦＦを制御するための制御部１１４と、制御部１１４に制御される紫外線源にヘッド部接続部１６０を介して駆動電流を供給する電源部１１２とを備えるコントローラ部１１０と、ヘッド部１２０とコントローラ部１１０とを電気的に接続するための電気信号線を備えるケーブル部１３０とを備えており、コントローラ部１１０はさらに、外部制御機器を接続し、該外部接続機器によって紫外線照射装置のＯＮ／ＯＦＦを操作可能とする端子台を有する端子台基板を備えている。【選択図】図２
2006188714.tif 000002
【特許請求の範囲】
【請求項１】
紫外線硬化型樹脂を硬化可能な紫外線を照射するための紫外線照射装置であって、
紫外線を照射可能な一以上の紫外線源を備える複数のヘッド部(120)と、
前記複数のヘッド部(120)と各々接続可能な複数のヘッド部接続部(160)と、
前記ヘッド部(120)の紫外線源のＯＮ／ＯＦＦを制御するための制御部(114)と、
前記制御部(114)に制御される前記紫外線源に前記ヘッド部接続部(160)を介して駆動電流を供給する電源部(112)と、
を備えるコントローラ部(110)と、
前記ヘッド部(120)とコントローラ部(110)とを電気的に接続するための電気信号線を備えるケーブル部(130)と、
を備えており、
前記コントローラ部(110)はさらに、外部制御機器を接続し、該外部接続機器によって紫外線照射装置のＯＮ／ＯＦＦを操作可能とする端子台を有する端子台基板を備えてなることを特徴とする紫外線照射装置。
【請求項２】
請求項１に記載の紫外線照射装置であって、
前記ヘッド部(120)が、前記紫外線源の駆動電流を調整するための調整回路(1228)を備えることを特徴とする紫外線照射装置。
【請求項３】
請求項２に記載の紫外線照射装置であって、
前記調整回路(1228)が、半固定抵抗を備えることを特徴とする紫外線照射装置。
【請求項４】
請求項３に記載の紫外線照射装置であって、
前記ヘッド部(120)は、前記ヘッド部(120)に内蔵される半固定抵抗を調整可能な位置に小孔を開口してなることを特徴とする紫外線照射装置。
【請求項５】
請求項１から４のいずれか一に記載の紫外線照射装置であって、
前記ヘッド部(120)が、各ヘッド部の紫外線照射のＯＮ／ＯＦＦ状態を表示するためのインジケータを備えることを特徴とする紫外線照射装置。
【請求項６】
請求項１から５のいずれか一に記載の紫外線照射装置であって、
前記紫外線源が半導体素子であることを特徴とする紫外線照射装置。
【請求項７】
請求項６に記載の紫外線照射装置であって、
前記半導体素子が紫外線発光ダイオード(150)であることを特徴とする紫外線照射装置。
【請求項８】
紫外線源として紫外線発光ダイオードを備えるヘッド部と、
前記ヘッド部を複数接続可能なコントローラ部と
を備える紫外線照射装置であって、
前記コントローラ部は、
接続される前記ヘッド部の紫外線照射のＯＮ／ＯＦＦのタイミングを制御可能な設定部と、
外部接続機器から各ヘッド部に対する紫外線照射のＯＮ／ＯＦＦタイミングを入力可能なインターフェースと
を有し、
前記設定部又はインターフェースのいずれかによって紫外線照射のＯＮ／ＯＦＦのタイミングを設定可能に構成してなることを特徴とする紫外線照射装置。
【請求項９】
請求項８に記載の紫外線照射装置であって、
前記コントローラ部の設定部は、接続される前記ヘッド部の紫外線照射のＯＮ／ＯＦＦのタイミングを手動で制御する照射スイッチを有することを特徴とする紫外線照射装置。
【請求項１０】
請求項９に記載の紫外線照射装置であって、
前記コントローラ部に設けられたインターフェースに、フットスイッチを接続可能であり、前記フットスイッチを前記ヘッド部の紫外線照射のＯＮ／ＯＦＦのタイミングを制御する照射スイッチとして利用可能に構成してなることを特徴とする紫外線照射装置。
【請求項１１】
請求項８に記載の紫外線照射装置であって、
前記コントローラ部の設定部は、さらに、前記ヘッド部の紫外線照射時間を設定可能であることを特徴とする紫外線照射装置。
【請求項１２】
請求項８又は１１に記載の紫外線照射装置であって、
前記コントローラ部の設定部は、さらに、前記ヘッド部の紫外線照射出力の強度を設定可能であることを特徴とする紫外線照射装置。
【請求項１３】
請求項１２に記載の紫外線照射装置であって、
前記コントローラ部の設定部は、前記紫外線照射のＯＮ／ＯＦＦのタイミング、照射時間並びに出力の強度を、各ヘッド部毎に設定可能であることを特徴とする紫外線照射装置。
【発明の詳細な説明】
【技術分野】
【０００１】
本発明は、小物部品の接着等に使用される紫外線硬化型の樹脂を硬化させる紫外線を照射する紫外線照射装置に関する。
【背景技術】
【０００２】
従来より、医療分野での生体内外部の紫外線照射による殺菌、治療、分光（発光）診断や、鉱物や古墳深部の観察等の分野、あるいは電子部品の組み立て作業における紫外線硬化型の樹脂を硬化させる目的等に、紫外線照射装置が利用されている。この内、紫外線硬化型の樹脂を硬化させる紫外線照射装置は、レジスト皮膜の形成や印刷の分野から光ピックアップ等の組立工程における小物部品の接着固定の分野まで広く使用されている紫外線硬化型の樹脂に対して紫外線を照射する目的で利用される。このタイプの紫外線照射装置は、電源回路等を内蔵した装置本体であるコントローラと、紫外線を照射するヘッドと、これらを接続するケーブルとを備えている。コントローラに紫外線源である高圧水銀ランプや水銀キセノンランプを内蔵し、コントローラとヘッドを接続するケーブルに内蔵された石英ガラス等の光ファイバでヘッドまで紫外線を伝達して、ヘッドから樹脂が塗布された接着部に照射される。このような紫外線照射装置を用いた小物部品の接着固定方法の従来例が特許文献１に記載されている。また、同一のコントローラに複数のヘッドを接続して複数箇所から紫外線を照射可能な紫外線照射装置も存在する。
【０００３】
しかしながら、この紫外線照射装置は、同一の紫外線源から光路を多分岐して紫外線を各ヘッドに伝達する構造であるため、ヘッド毎に紫外線の照射条件を変更することができないという問題があった。特に、複数のヘッドが同一の出力、照射タイミングでしか照射できないため、ヘッド毎に異なる設定として作業を行うことができず、ヘッドが複数ある利点を生かした作業が行えない。ユーザが使用条件に応じて、各ヘッド毎に個別の出力、照射タイミング等を設定可能とできれば、使い勝手は飛躍的に向上するものの、従来の紫外線照射装置では同一の紫外線源を用いて紫外線を伝達するという構成上、紫外線出力や照射時間等、異なる条件を設定することは物理的に不可能であった。例えば紫外線の照射タイミングを複数のヘッド間で連動させることができず、すべてのヘッドで同じタイミングで照射開始、終了させることしかできなかった。また、照射する必要のないヘッドでも、コントローラに接続しておくだけで、他ヘッドを照射させると一緒に照射されてしまう。このため、異なる照射条件の紫外線を得るには、条件の数だけ紫外線照射装置を用意しなければならず、極めて不便であった。
【０００４】
また従来の紫外線照射装置は、紫外線源に高圧水銀ランプや水銀キセノンランプを使用しているため、発熱量及び消費電力も大きく、冷却機構が必要で装置が大型化し高価になる上、常時点灯している構造のためエネルギー消費量が大きく、ランプの寿命が短くなる欠点があった。加えて、紫外線出力の調整は機械的なシャッタで行われる構造のため、微細な調整が困難である。さらに、ランプが劣化してくるとガラスにクラックが生じることがあり、ガラス管内部に封入した高圧ガスによってガラス管が破裂する危険があるため、一定時間経過したランプは必ず交換する必要があり、ランニングコストが確実に高くなるという欠点もあった。
【０００５】
さらにまた、ケーブルに石英ガラス等の光ファイバを使用してコントローラとヘッドを接続する構造であるため、光ファイバを保護するため金属製のフレキシブルケーブル等で被覆した太いケーブルを使用する必要があり、重くて扱いづらい欠点があった。特に光ファイバは折曲角度に制限があるため、自由に折曲することができない。しかも光ファイバは長さに比例した伝送損失が生じるため、ケーブル長を長くすることができないという問題もあった。
【０００６】
本願出願人は、このような問題点を解決するものとして、紫外線源に高圧水銀ランプや水銀キセノンランプに変えて高出力の紫外線発光ダイオード（ＵＶＬＥＤ）を使用し、かつＬＥＤを本体のコントローラでなくヘッドに設けた紫外線照射装置を開発した（特願２００３−１５８９５８号、特願２００３−３１７６２２号）。これによって、各ヘッド部毎に異なる紫外線照射条件を設定できるようになり、一台の紫外線照射装置に複数台のヘッド部を接続し、それぞれ独立して使用可能となった。
【特許文献１】特開平１０−２０９４９２号公報
【発明の開示】
【発明が解決しようとする課題】
【０００７】
一方で、紫外線照射装置を外部接続機器からＯＮ／ＯＦＦを制御したい場合が生じる。本発明は、このような課題に鑑みてなされたものであり、本発明の主な目的は、複数のヘッド部を備える紫外線照射装置において、外部接続機器からのＯＮ／ＯＦＦ制御を可能とした紫外線照射装置を提供することにある。
【課題を解決するための手段及び発明の効果】
【０００８】
上記の目的を達成するために、本発明の第１の側面に係る紫外線照射装置は、紫外線硬化型樹脂を硬化可能な紫外線を照射するための紫外線照射装置であって、紫外線を照射可能な一以上の紫外線源を備える複数のヘッド部１２０と、複数のヘッド部１２０と各々接続可能な複数のヘッド部接続部１６０と、ヘッド部１２０の紫外線源のＯＮ／ＯＦＦを制御するための制御部１１４と、制御部１１４に制御される紫外線源にヘッド部接続部１６０を介して駆動電流を供給する電源部１１２とを備えるコントローラ部１１０と、ヘッド部１２０とコントローラ部１１０とを電気的に接続するための電気信号線を備えるケーブル部１３０とを備えており、コントローラ部１１０はさらに、外部制御機器を接続し、該外部接続機器によって紫外線照射装置のＯＮ／ＯＦＦを操作可能とする端子台を有する端子台基板を備えている。これにより、端子台を介して外部接続機器を紫外線照射装置に接続し、外部接続機器で紫外線照射装置が発する紫外線のＯＮ／ＯＦＦを制御することができる。
【０００９】
また、本発明の第２の側面に係る紫外線照射装置は、ヘッド部１２０が、紫外線源の駆動電流を調整するための調整回路１２２８を備える。これにより、紫外線源の経時劣化による駆動電流の変動を調整して、正確な出力制御を維持できる。
【００１０】
さらに、本発明の第３の側面に係る紫外線照射装置は、調整回路１２２８が、半固定抵抗を備える。
【００１１】
さらにまた、本発明の第４の側面に係る紫外線照射装置は、ヘッド部１２０は、ヘッド部１２０に内蔵される半固定抵抗を調整可能な位置に小孔を開口している。これにより、小孔から工具等を挿入し、半固定抵抗を操作して抵抗値を調整することができ、意図しない半固定抵抗の操作によって駆動電流が変更される事態を回避しつつ、必要時に抵抗値の調整を可能とできる。
【００１２】
さらにまた、本発明の第５の側面に係る紫外線照射装置は、ヘッド部１２０が、各ヘッド部の紫外線照射のＯＮ／ＯＦＦ状態を表示するためのインジケータを備える。これにより、ヘッド部毎に紫外線照射のＯＮ／ＯＦＦをユーザの手元などで容易に確認できる。
【００１３】
さらにまた、本発明の第６の側面に係る紫外線照射装置は、紫外線源が半導体素子である。半導体素子は高圧水銀ランプや水銀キセノンランプと異なり、ＯＮ／ＯＦＦを繰り返しても寿命が低下しづらく、加えて直ぐに安定した照度を得ることができるので、常時点灯させずとも必要時のみＯＮすることで消費電力を抑制でき、さらに素子自体の寿命も長く使用できる。またランニングコストの低減に大きく寄与すると共に、小型で発熱量も少ないため、紫外線照射装置を小型化できる等優れた利点を備える。
【００１４】
さらにまた、本発明の第７の側面に係る紫外線照射装置は、半導体素子が紫外線発光ダイオード１５０である。この構成によって、小型で低消費電力の紫外線発光ダイオード１５０を利用して紫外線照射装置の小型化、低消費電力化、長寿命化、ランニングコストの低減等に寄与し得る。特に発光ダイオードは機械的衝撃にも強く、安価で利用しやすい。
【００１５】
さらにまた、本発明の第８の側面に係る紫外線照射装置は、紫外線源として紫外線発光ダイオードを備えるヘッド部と、ヘッド部を複数接続可能なコントローラ部とを備える紫外線照射装置であって、コントローラ部は、接続されるヘッド部の紫外線照射のＯＮ／ＯＦＦのタイミングを制御可能な設定部と、外部接続機器から各ヘッド部に対する紫外線照射のＯＮ／ＯＦＦタイミングを入力可能なインターフェースとを有し、設定部又はインターフェースのいずれかによって紫外線照射のＯＮ／ＯＦＦのタイミングを設定可能に構成している。これにより、紫外線照射のＯＮ／ＯＦＦ制御を紫外線照射装置本体側のみならず、外部接続機器からも制御可能として、利便性を高めている。
【００１６】
さらにまた、本発明の第９の側面に係る紫外線照射装置は、コントローラ部の設定部が、接続されるヘッド部の紫外線照射のＯＮ／ＯＦＦのタイミングを手動で制御する照射スイッチを有する。これにより、ユーザは照射スイッチを操作して手動で紫外線照射の開始／停止を指示できる。
【００１７】
さらにまた、本発明の第１０の側面に係る紫外線照射装置は、コントローラ部に設けられたインターフェースに、フットスイッチを接続可能であり、フットスイッチをヘッド部の紫外線照射のＯＮ／ＯＦＦのタイミングを制御する照射スイッチとして利用可能に構成している。これにより、ユーザは足でも紫外線照射の開始／停止を指示できる。
【００１８】
さらにまた、本発明の第１１の側面に係る紫外線照射装置は、コントローラ部の設定部は、さらに、ヘッド部の紫外線照射時間を設定可能である。
【００１９】
さらにまた、本発明の第１２の側面に係る紫外線照射装置は、コントローラ部の設定部は、さらに、ヘッド部の紫外線照射出力の強度を設定可能である。
【００２０】
さらにまた、本発明の第１３の側面に係る紫外線照射装置は、コントローラ部の設定部は、紫外線照射のＯＮ／ＯＦＦのタイミング、照射時間並びに出力の強度を、各ヘッド部毎に設定可能である。このようにヘッド部毎に個別に紫外線照射の条件を設定可能とすることで、各ヘッド部に異なる条件を設定してあたかも複数の紫外線照射装置の如く使用することができる。また、外部接続機器から各ヘッド部毎の紫外線照射を制御可能とすることで、さらに運用の柔軟性を高めることもできる。
【発明を実施するための最良の形態】
【００２１】
以下、本発明の実施の形態を図面に基づいて説明する。ただし、以下に示す実施の形態は、本発明の技術思想を具体化するための紫外線照射装置を例示するものであって、本発明は紫外線照射装置を以下のものに特定しない。
【００２２】
さらに、本明細書は、特許請求の範囲を理解し易いように、実施の形態に示される部材に対応する番号を、「特許請求の範囲の欄」、および「課題を解決するための手段の欄」に示される部材に付記している。ただ、特許請求の範囲に示される部材を、実施の形態の部材に特定するものでは決してない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２３】
［実施の形態１］
図１に、本発明の実施の形態１に係る紫外線照射装置のブロック図を示す。この図に示す紫外線照射装置１００は、コントローラ部１１０とヘッド部１２０とがケーブル部１３０で接続される。ヘッド部１２０には、紫外線硬化型樹脂を硬化させるための紫外線を発する紫外線源としてＵＶＬＥＤ１５０が内蔵されている。コントローラ部１１０は、ヘッド部１２０の紫外線源を駆動するための電源部１１２及び制御部１１４、記憶部１１６を備え、ケーブル部１３０を介して紫外線源の駆動信号（電気信号）をヘッド部１２０に送信する。
【００２４】
また紫外線照射装置は、紫外線照射条件を設定する設定モードと、実際に紫外線を照射する照射モードとを切替可能である。設定モードにおいて設定部１４０（後述）で設定された紫外線照射条件は、記憶部１１６に保存される。設定部１４０は、複数の紫外線照射条件を設定して記憶部１１６に保存する。照射モード時に制御部１１４が記憶部１１６から必要な紫外線照射条件設定を呼び出し、この設定に従って制御部１１４は電源部１１２からヘッド部１２０に駆動電流を供給し、ヘッド部１２０の紫外線源を制御する。紫外線照射条件は、各ヘッド部毎に独立して設定可能である。
【００２５】
コントローラ部１１０は、ヘッド部１２０を接続するためのヘッド部接続部１６０を複数設けている。各ヘッド部接続部１６０は、それぞれ固有のチャンネル番号を割り当てられており、チャンネル番号によって他のヘッド部接続部と区別される。図１の例では、チャンネル１〜４の４チャンネルのヘッド部接続１６０が設けられており、各ヘッド部接続部１６０にはヘッド部１２０が接続される。
【００２６】
各ヘッド部１２０は、コントローラ部から駆動電流を受けて紫外線源を動作させ、紫外線Ｕを外部に照射する。さらにヘッド部１２０は、図１に示すように各ヘッド部１２０をチャンネル毎に区別する識別情報を表示可能な識別部１２１を設けている。識別情報は、チャンネル番号に関する情報を表示することで、ユーザがヘッド部毎に割り当てられたチャンネル番号を理解し、これによって複数のヘッド部を相互に区別する。識別情報の表示は、後述するように直接的にチャンネル番号を表示する他、複数の点灯の組み合わせや点灯パターン等が利用できる。したがって、ここでいう表示には、数字や文字情報の表示のみならず、点灯による情報表示も含む。また点灯には、連続的な灯火表示の他、点滅や強弱を付けた点灯表示も含む。
【００２７】
ヘッド部１２０の識別を行うときは、紫外線照射装置に対して識別動作の実行をコントローラ部１１０の設定部１４０から指示する。識別動作が指示されると、コントローラ部１１０の制御部１１４は識別信号を生成し、ヘッド部１２０側に送出する。ヘッド部１２０は、識別信号を受けると識別部１２１に識別情報を表示する。ユーザはヘッド部１２０の識別部１２１に表示される識別情報を見てチャンネル番号を把握し、これに基づいてヘッド部１２０を区別できる。
【００２８】
（識別部１２１）
識別部１２１は、識別情報を示すための表示を行う部材であり、点灯部１２１１を備える。点灯部１２１１は発光素子で構成され、例えば電球や半導体発光素子が使用できる。好適にはＬＥＤが使用される。
【００２９】
図２〜図４に、点灯部１２１１を設けた識別部１２１の例を示す。図２に示すヘッド部１２０Ａは、紫外線照射のＯＮ／ＯＦＦ状態を表示するインジケータと、識別部１２１Ａとして、各々のチャンネル番号に対応した点灯部１２１１を備えている。ヘッド部１２０Ａは、コントローラ部から識別信号を受信すると、自身のチャンネル番号に対応する点灯部１２１１を表示させる。いずれの点灯部１２１１を表示させるかの制御は、識別情報を受け取ったヘッド部側で行う方法や、コントローラ部側でヘッド部のどの点灯部を点灯させるという情報を識別情報に含ませて送出する方法のいずれも採用できる。チャンネル番号の数だけ点灯部を設けることにより、チャンネル番号をダイレクトに表示でき、チャンネル番号の理解が容易となる。図２の例では、４チャンネルの表示のためにＣＨ１〜４の点灯部１２１１を設けている。
【００３０】
図３の例では、本発明の実施の形態２に係るヘッド部１２０Ｂとして、４チャンネルの表示に対して識別部１２１Ｂとして点灯部１２１１をＡ、Ｂの２個設けている。２個の点灯部１２１１Ａ、Ｂの表示を組み合わせることで、４通りのパターンを表示可能である。すなわち、点灯部１２１１Ａおよび点灯部１２１１Ｂの消灯でチャンネル１を、点灯部１２１１Ａの消灯および点灯部１２１１Ｂの点灯でチャンネル２を、点灯部１２１１Ａの点灯および点灯部１２１１Ｂの消灯でチャンネル３を、点灯部１２１１Ａおよび点灯部１２１１Ｂの点灯でチャンネル４を、それぞれ表示する。このように、チャンネル数だけ点灯部を設けなくとも、少ない部品点数でより多くのチャンネル数を表現できる。
【００３１】
また、各点灯部は点灯、消灯の２パターンを表示する他、発光色や発光強度を変化させることにより２パターン、あるいは３パターン以上を表現することも可能である。これらのパターンを組み合わせることで、少ない点灯部でさらに多くのチャンネル数を表現できる。点灯部にＬＥＤを使用する場合は、ＬＥＤの駆動電流を調整することで発光強度の強弱を容易に実現できる。また、多色に発光可能なＬＥＤは２色あるいは３色のＬＥＤを組み合わせることで、各色のＬＥＤを組み合わせて発光色を変化できる。
【００３２】
なお、点灯部１２１１Ａ、Ｂの組み合わせとチャンネル番号の対応表は、説明書に添付する他、ヘッド部１２０Ｂやコントローラ部の表面に表記しておいても良い。対応表を参照することで、ユーザはチャンネル番号を速やかに理解できる。
【００３３】
また、本発明の実施の形態３に係るヘッド部ヘッド部１２０Ｃを示す図４の例では、識別部１２１Ｃを構成する点灯部１２１１Ｃを１個としている。この場合は、点灯部１２１１Ｃの点滅パターンによりチャンネル番号を表示する。各ヘッド部１２０Ｃは、コントローラ部から識別信号を受信すると、割り当てられたチャンネル番号に応じて図５のようなパターンで点滅する。図５は、識別部１２１Ｃに送出されるパルスのパターンを示している。すなわち、チャンネル１の場合は１回、チャンネル２の場合は２回、・・・というように、チャンネル番号に応じた数だけ点滅を周期的に繰り返す。点灯の周期Ｔ１は、点滅の間隔Ｔ２よりも十分長くする。例えば点灯パルスの間隔Ｔ１を４００ｍｓ、点灯の周期Ｔ２を４ｓとする。これによってユーザは、各ヘッド部の識別部１２１が点滅する回数をカウントすることにより、チャンネル番号を認識できる。この例では点灯部が１個で済むので、部品点数をさらに削減できる。
【００３４】
また、点滅に変わって点灯部の発光強度の強弱でも表現できる。すなわち、フラッシングがユーザに把握できる程度であれば、点灯部を完全に消灯する必要はなく、わずかに点灯させても良い。点滅表示は、点灯部の表示を２段階に区別できれば足りる。
【００３５】
識別動作の開始命令は、コントローラ部１１０の設定部１４０から行う。ただ、各ヘッド部側に識別動作実行スイッチを設けて、識別動作実行スイッチを操作することで、このヘッド部の識別部に、該ヘッド部の接続されたヘッド部接続部に割り当てられたチャンネル番号を表示するように構成してもよい。また識別動作の終了は、別途ユーザが終了を指示を入力する他、識別動作の開始から所定の時間経過後に自動的に終了するように構成してもよい。例えば識別動作を実行後１５秒後、あるいは識別情報の表示を５回繰り返した後に、識別動作を自動的に終了する。
【００３６】
さらにまた、識別情報の表示は、すべてのヘッド部に対して実行することも、特定のヘッド部に対して行うこともできる。すべてのヘッド部に対して実行する場合は、設定部から識別動作実行命令を指示すると、すべてのヘッド部の表示部で識別情報が一斉に表示される。この方法では、一度の操作ですべてのヘッド部が区別できるので、操作が簡単であるという利点がある。
【００３７】
また、特定のヘッド部に対して識別情報を表示させる場合、例えば設定部から識別動作の実行と共に、所望のヘッド部が接続されたヘッド部接続部のチャンネル番号を入力する。これによって、該当するヘッド部の識別部のみが識別情報を表示する。この方法は、識別したいヘッド部の数だけ動作を繰り返す必要がある反面、判別したいヘッド部のみが識別情報の表示を行うため、識別部が動作しているヘッド部のみを探せば足り、判別しやすい利点もある。特にこの方法では、ヘッド部の識別部を他と区別する必要がないので、識別部の表示を簡単にできる。例えば該当するヘッド部の識別部のみを点灯あるいは点滅させ、他の識別部は消灯させる、又はブザーやビープ音を鳴動させる、あるいは点滅と音の組み合わせることで、所望のヘッド部を検知できる。
【００３８】
あるいはまた、識別動作を命令すると、各ヘッド部が同時に識別情報を表示するのでなく、順次識別情報を表示していくようにヘッド部毎に切り替わるよう構成することもできる。例えば、チャンネル番号の少ない順に、該当するヘッド部の識別部を所定の時間点灯あるいは点滅させた後、次のチャンネル番号に相当するヘッド部で同様に識別部を点灯あるいは点滅させ、すべてのヘッド部で識別情報の表示を循環させる、あるいは周期的に繰り返す。このとき、各識別部は単に点滅させる他、図５のパターンでチャンネル番号を判別できるように点滅させることができる。この方法であれば、一回の指定ですべての識別部での識別が実行されると共に、識別部の動作は一度に一台のみであるため、各々の判別が容易となる。
【００３９】
図６は、識別部１２１Ｄのさらに別の例として、本発明の実施の形態４に係るヘッド部１２０Ｄとして、点灯部に変わって識別情報表示部１２１２を設けた例を示している。識別情報表示部１２１２は、例えば７セグメント表示器や液晶表示器とする。これにより、チャンネル番号を直接数字で表現でき、ユーザはチャンネル番号を直ちに把握できる。図６の例では１桁の７セグメント表示器を備えている。７セグメント表示器は、数字を利用すれば１桁でも０〜９の１０チャンネル分を表現できる。またアルファベットを組み合わせることで、１６通り等さらに多くのチャンネル数を表現できるようになる。
【００４０】
なお識別情報表示部は、後述する個別表示部と併用することもできる。これによって表示部を共通化して部品点数およびコストを削減できる。
【００４１】
以上の識別部は、紫外線照射装置に接続可能なヘッド数に応じて、識別部の表示桁数を増減する。
【００４２】
さらに識別部は、識別情報の表示手段を点灯部に限定しない。例えば、回転、移動する針でチャンネル番号を指し示す方法や、レベルメータ状の識別部として指示部がスライドしてチャンネル番号を示す方法、ダイヤル数字が回転する方法等、スピーカ等の発音部材を設けてビープ音の回数や音声でチャンネル番号を発音する等、音を使用する方法といった種々の方法やこれらの組み合わせが利用できる。またチャンネル番号の数字を表示するに際しても、上述した７セグメント表示器によるデジタル表示の他、アラビア数字、ローマ数字、二進数や二進化十進法による表示、アルファベットや漢数字による表示、あるいは点灯部が表示する個数でチャンネル番号を表示したりする方法も採用できる。このように、本発明においてはチャンネル数字を表示可能な既存の、あるいは将来開発される方法が識別情報の表示手段として利用可能である。
【００４３】
なお、すべてのヘッド部に識別部を設ける必要はなく、例えば２台のヘッド部を紫外線照射装置に接続している場合は、一方のヘッド部のみに識別部を設け、このヘッド部を識別可能とすれば、他方のヘッド部との区別が可能となる。あるいは、識別を行いたい特定のヘッド部のみに識別部を設ける。例えば、２台のヘッド部を同じ紫外線照射条件で使用しており、別の２台を異なる条件で使用している場合、異なる条件を設定した２台のヘッド部のみに識別部を設けても良い。言い換えると、識別の必要がないヘッド部からは識別部を省略することも可能である。
【００４４】
さらにまた、識別部は点灯部のような部材を設けることなく、既存の点灯部材を利用して実現することも可能である。
【００４５】
まず図７に示す本発明の実施の形態５に係るヘッド部１２０は、紫外線照射のＯＮ／ＯＦＦを示すインジケータを識別部１２１と兼用している。インジケータは、紫外線を照射中であることをユーザに警告するエミッションランプ、あるいは電源が入っていることを示すパイロットランプであり、この例ではＬＥＤを使用している。このインジケータＬＥＤ１２２６を使用して、上述した図５のパルスによる点滅をさせることにより、識別部１２１として機能させることができる。あるいは、上述の通りコントローラ部から特定のチャンネル番号を指示すると、該当するヘッド部のインジケータＬＥＤのみを点灯あるいは点滅させ、他のインジケータＬＥＤは消灯させることで、所望のヘッド部を区別できる。あるいはまた、上述の通り順次各ヘッド部のインジケータＬＥＤを点灯あるいは点滅させることでも区別できる。この方法は、新たなハードウェアを設ける必要がないので、従来の構成を利用して識別機能を付加することができる。またインジケータＬＥＤは高輝度のＬＥＤが使用されることが多いため、判別しやすいというメリットも得られる。
【００４６】
あるいは、インジケータＬＥＤを、インジケータとしての利用時と、識別部としての利用時で発光色を変えても良い。例えば、インジケータとして利用する場合は緑色で発光し、識別情報を表示しているときは赤色で表示する。これによって、識別情報の表示中であることがユーザに把握できるようにする。
【００４７】
さらに、紫外線源自体で識別することもできる。紫外線源が可視光を含む場合、この可視光を利用して点滅させることにより、ヘッド部を区別できる。特に紫外線源として発光ダイオードを使用する場合、発光ダイオードの発光スペクトルはブロードな傾向にあるため、十分な可視光域を含んでいる。そこで、紫外線源自体を上記インジケータＬＥＤと同様の方法で点灯や点滅させたり、該当するチャンネル番号のヘッド部のみを点灯させることによって、ユーザは紫外線源に含まれた可視光からヘッド部を相互に区別できる。この際、ユーザの目を紫外線から保護するために、紫外用ゴーグルを着用した方が好ましい。
【００４８】
この方法も、余分な部材を設けなくとも既存の構成で実現でき、部品点数を低減できるメリットに加えて、識別部の視認性に問題がある場合に好適に利用できる。即ち、ヘッド部は何らかの方法で固定されて使用されることが多いので、この場合にヘッド部に識別部を設けると、ヘッド部の固定部材が識別部を覆ってしまったり、あるいは設置場所や角度によってはユーザ側から見え難い位置に識別部が位置する場合があり得る。このような場合であっても、紫外線が照射される領域は必ず視認できる位置となるように通常は位置されるため、この紫外線に含まれる可視光を利用して識別を行う方法であれば、識別情報が確実に視認できるという利点が得られる。
【００４９】
［回路構成例］
次に、上記の構成を実現する紫外線照射装置のブロック図の例を、図８〜図１１に基づいて説明する。図８は、識別部１２１が複数の点灯部１２１１で構成されるヘッド部１２０Ａを採用した図２の例において、識別部１２１を駆動する駆動回路を示すブロック図である。この図に示すように、コントローラ部１１０の制御部１１４は、識別動作の実行時に検出したいヘッド部用の識別信号を生成し、出力ポートからドライブ回路１１８を介してヘッド部１２０Ａに送出する。制御部１１４は、ソフトウェア的に点灯パターンを生成する識別信号を生成して送出する。この例では、点灯部１２１１として４つの点灯部ＬＥＤを備えているので、制御部１１４は各点灯部ＬＥＤ用の識別信号を各々生成している。点灯部ＬＥＤは、抵抗を介して定電圧源と接続されている。またケーブル部１３０を介して送信される識別信号の接続方式はパラレルとして各点灯部ＬＥＤを直接駆動している。もちろん、パラレル接続に限られずシリアル接続も採用できる。
【００５０】
なおこの例では、ヘッド部１２０Ａを一台のみ接続した構成を示しているが、複数台のヘッド部を接続する場合は、制御部１１４からの出力を台数分、すなわちヘッド部接続部１６０の数だけパラレルに接続すればよい。また制御部１１４は、後述するようにＭＰＵやＣＰＵ等で構成される。
【００５１】
上記の図８は、図２のヘッド部１２０Ａを実現する構成例であるが、図３や図４についても同様の構成で実現できる。点灯部ＬＥＤの数と、各点灯部ＬＥＤの駆動信号を対応する組み合わせや点灯パターンを実行するための信号に変更することで、図３や図４の構成が実現される。
【００５２】
また図９は、識別部１２１Ｄに識別情報表示部１２１２を設けた図６のヘッド部１２０Ｄにおいて、識別部１２１Ｄを駆動する駆動回路を示すブロック図である。図６の構成では、７セグメント表示器等でチャンネル信号を詳細に表示するために、識別情報が多くなる傾向にあり、多くのデータを識別情報表示部１２１２に送信するためパラレル接続に変えてシリアル接続を採用している。まず制御部１１４Ｄは該当するヘッド部１２０Ｄに送出するための識別信号を生成し、ドライブ回路１１８Ｄに対してシリアル転送する。したがって制御部１１４Ｄはデータ信号線とクロック信号線とを介してドライブ回路１１８Ｄに識別信号を送信する。ドライブ回路１１８Ｄは同様に識別信号データをシリアルのまま、ケーブル部１３０Ｄを介してヘッド部１２０Ｄに送出する。一方、ヘッド部１２０Ｄはシリアル／パラレル変換部１２０４およびヘッド部側ドライブ回路１２０６を備えている。ヘッド部１２０Ｄは、コントローラ部１１０Ｄから受けたシリアル信号をシリアル／パラレル変換部１２０４でパラレル信号に変換し、ヘッド部側ドライブ回路１２０６でこのパラレル信号に基づき識別情報表示部１２１２にチャンネル番号等を表示する。
【００５３】
さらに図１０は、図７に対応するインジケータを識別部１２１と併用したヘッド部１２０において、識別部１２１を駆動する駆動回路を示すブロック図である。図１０では、本来インジケータＬＥＤ１２２６を駆動するためのドライブ回路１１８を備えているため、この回路構成をそのまま利用し、制御部１１４からインジケータＬＥＤ１２２６を識別部１２１として駆動するための駆動信号を生成して、ドライブ回路１１８を介してヘッド部１２０のインジケータＬＥＤ１２２６を駆動する。図１０の例では、制御部１１４が識別信号を生成して出力ポートからドライブ回路１１８に送出し、ドライブ回路１１８は識別信号に基づきインジケータＬＥＤ１２２６を駆動する駆動電流を、ケーブル部１３０を介してインジケータＬＥＤ１２２６に供給して点灯制御する。この回路は、既存の回路構成をほぼそのまま利用できるため、回路をシンプルに構成できる利点がある。なお図１０の例では、インジケータＬＥＤ１２２６としてＬＥＤを２個使用しているが、後述のように１個のＬＥＤや３個以上のＬＥＤとしても良いことはいうまでもない。
【００５４】
さらにまた図１１では、外観上は図７のヘッド部１２０と同一であるが、インジケータでなく紫外線源の可視光をヘッド部の識別部１２１Ｅとして利用する構成を実現する回路例を示している。この構成のヘッド部１２０Ｅにおいても、本来的に紫外線源であるＵＶＬＥＤ１５０Ｅを駆動制御する回路構成を紫外線照射装置が備えているため、これをほぼそのまま利用できる。図１１の例では、コントローラ部１１０Ｅの制御部１１４Ｅで生成したデジタル信号である識別信号をＤ／Ａ変換部１１９でアナログ信号に変換し、ＵＶＬＥＤ１５０Ｅを駆動する電源部の一態様である定電流回路１１２１に入力する。定電流回路１１２１は、アナログ信号に基づいてＵＶＬＥＤ１５０Ｅに所定の駆動電流をケーブル部１３０Ｅを介して供給し、ＵＶＬＥＤ１５０Ｅを点灯駆動する。このとき、所定の駆動電流として、高い電流値と低い電流値を設定し、これらを交互に繰り返し送出すると、点滅するパターンが得られる。
【００５５】
（紫外線源）
紫外線源である半導体素子には、発光ダイオード（ＬＥＤ）や半導体レーザ（ＬＤ）等の半導体発光素子が利用できる。これらの半導体素子は水銀キセノンランプ等に比して小型で高効率であり発熱量も少なく、長寿命で機械的振動にも強いといった優れた特長を備えており、理想的に使用できる。本実施の形態においては、半導体素子として直接紫外光を照射する紫外線発光ダイオード（ＵＶＬＥＤ）を使用する。ＵＶＬＥＤは、例えば活性層（発光層）に一般式がＩｎｘＡｌｙＧａ１−ｘ−ｙＮ（０≦ｘ、０≦ｙ、ｘ＋ｙ≦１）で表される窒化物系化合物半導体を使用したものが利用できる。また発光層にはダブルへテロ構造や単一量子井戸構造（ＳＱＷ）、多重量子井戸構造（ＭＱＷ）等を適宜採用できる。なお、紫外線を直接照射するＵＶＬＥＤに限られず、例えば波長変換素子等を使ってＬＥＤの照射光を紫外光に変換する構成も適宜採用できることは言うまでもない。
【００５６】
ＵＶＬＥＤは必要時のみ点灯し、言い換えると常時点灯させないことで、電力消費を抑え、ＵＶＬＥＤの寿命を長くできる。ただ、従来の高圧水銀ランプ等と同様に、ＵＶＬＥＤを常時点灯させ、シャッタを機械的に動作させて紫外線出力をＯＮ／ＯＦＦさせる構成も採用は可能である。
【００５７】
半導体素子から出力される紫外線の波長としては、３００〜４００ｎｍ近傍、例えば波長３８０ｎｍ付近の近紫外線が利用でき、使用される紫外線硬化型樹脂に応じて波長が決定される。紫外線硬化型樹脂としては、例えば脂環式エポキシ樹脂、グリシジル基含有エポキシ樹脂を含むエポキシ樹脂、紫外線活性化カチオン重合触媒、並びにカチオン重合抑制剤等を含む紫外線活性化型接着剤等が利用できるが、本発明で使用される紫外線波長や使用目的、用途は、これらに限定されるものでない。
【００５８】
（ケーブル部１３０）
ケーブル部１３０は電源線と信号線を束ねたワイヤーハーネスが使用される。このケーブル部１３０は、光ファイバ等の光路を含まないシンプルな電気信号線であるため、折曲角の制限や光減衰等に起因する全長の制約を受けず、従来の紫外線照射装置で使用されていたフレキシブルケーブルに比して細くて軽くでき、柔軟性が高く取り扱いが極めて容易となる。また全長の制約もなく、長くすることもできる。このため複数台のヘッド部１２０に異なる紫外線照射条件を設定して使用する際、ケーブルを延長して一台の紫外線照射装置に接続できるので、システムの設計や配置にも柔軟に対応できる。
【００５９】
（ヘッド部１２０）
以下、本発明の各実施の形態に係る紫外線照射装置のヘッド部１２０として、実施の形態５に係るヘッド部の外観を、図１２〜図１５に示す。図１２（ａ）はヘッド部１２０の正面図であり、図１２（ｂ）は内部構造を示す部分断面図である。また図１３〜図１５は、ヘッド部１２０の分解図であり、図１３は上方から見た分解斜視図を、図１４は図１３と逆の下方から見た分解斜視図を、図１５は図１４の連結コネクタ１２３１、１２４４を各々連結した状態を示す斜視図を、それぞれ示す。これらの図に示すヘッド部１２０は、基端側にケーブル部１３０が接続されたヘッド本体部１２２と、その先端側に着脱自在に結合した冷却ブロック１２４と、その先端側に着脱自在に結合した交換可能なレンズホルダ１２６とを備えている。ヘッド本体部１２２はユーザが把持できる程度の大きさとし、図１３に示すように、上下に分かれるケース部材１２２１及び１２２２と、基端部材１２２３とが組み合わされた中空箱形のケースを備え、その内部に基板１２２４が収容されている。基端部材１２２３にはケーブル部１３０が接続されるケーブル用コネクタ１２２５が取り付けられ、ケーブル用コネクタ１２２５を介してケーブル部１３０と基板１２２４が電気的に接続される。
【００６０】
基板１２２４は、ケーブル部１３０から受けた駆動電流をＵＶＬＥＤ１５０に供給して駆動制御するための電子部品を備える。基板１２２４上には、紫外線照射のＯＮ／ＯＦＦ状態を表示するインジケータとして、インジケータＬＥＤ１２２６が実装されている。図１３の例では、インジケータＬＥＤ１２２６を２つ配置して光量を増している。ただ、インジケータとして要求される光量や高輝度のＬＥＤを使用することにより、１のＬＥＤでも良いことは言うまでもない。また、３以上のＬＥＤとすることもできる。
【００６１】
基板１２２４上には、コントローラ部１１０の制御部１１４で生成された駆動信号を受けて、ＵＶＬＥＤ１５０に駆動電流を供給するための各種電子部品や、メモリ部１２２７、調整回路１２２８等が実装されている。メモリ部１２２７は、ヘッド部１２０の稼働時間を記憶し、またＵＶＬＥＤ１５０の初期特性を記録するため等に使用され、不揮発性メモリであるＥＥＰＲＯＭが好適に利用できる。
【００６２】
（ＵＶＬＥＤ１５０の調整作業）
ＵＶＬＥＤ１５０等の半導体素子は、駆動電流に対する出力のリニアリティが良いが、使用時間と共に出力が低下する傾向にある。従って、経時劣化による出力の変動を考慮して、駆動電流を調整することにより、正確な出力制御を維持できる。駆動電流の調整は、図１２（ｂ）等に示すような半固定抵抗（電流調整用トリマ）等の調整回路１２２８によって、各ヘッド部１２０毎に行う。なお図１２（ｂ）の例では、調整回路１２２８を構成する半固定抵抗はヘッド部１２０内の基板に実装して外部から調整できないよう構成しており、これによって意図しない半固定抵抗の操作によって駆動電流が変更される事態を回避している。ただ、外部から駆動電流の調整作業を行えるような構成を採用することも可能である。例えば、特殊な形状の工具で抵抗値を調整できるようにする、あるいは小さな孔をヘッド部１２０のケースに開口して、この孔から抵抗値を調整可能とする、あるいはまたコントローラ部１１０やヘッド部１２０に設けられた個別設定スイッチの長押し等、特定の操作により調整回路１２２８の調整機能を呼び出せるようにする等の方法が採用できる。
【００６３】
このような駆動電流の調整を定期的に行うため、各ヘッド部１２０の使用時間が一定時間に達する毎に、ユーザに報告し、駆動電流の調整作業を促す。各ヘッド部１２０に設けられたメモリ部１２２７は、ＵＶＬＥＤ１５０の駆動時間の積算値、すなわち駆動積算時間を更新記憶する。コントローラ部１１０の制御部１１４は、Ｄ／Ａ変換器及びドライブ回路１１８等を介してヘッド部１２０のＵＶＬＥＤ１５０の駆動を制御すると共に、その駆動時間の積算値をヘッド部１２０のメモリ部１２２７に書き込む。この書き込み（更新記憶）は、所定時間ごと（例えば１分ごと）に行われる。そして、制御部１１４は、メモリ部１２２７から読み出した駆動積算時間が所定の要調整時間に達すれば、ＵＶＬＥＤ１５０の調整作業を行うよう報知出力を行う。報知出力として、例えばＬＥＤの点滅表示やブザー鳴動等が使用される。あるいは、コントローラ部１１０にメッセージ表示可能な表示器が備えられている場合は、それを用いてＵＶＬＥＤ１５０の調整作業を促すメッセージの表示を行ってもよい。ユーザは報知出力によって調整作業が必要な時期に達したことを把握し、上述の通り調整回路１２２８を使って電流補正を行う。例えば、基準となる駆動電流に対する出力の低下分を考慮し、駆動電流が多くなるように調整する。
【００６４】
さらに、駆動積算時間がＵＶＬＥＤ１５０の寿命に達すると、ＵＶＬＥＤ１５０の交換を促す報知出力を行うようにしても良い。
【００６５】
またメモリ部１２２７は、ＵＶＬＥＤ１５０の初期特性に関するデータを記憶して、駆動電流の調整にも利用できる。一般にＵＶＬＥＤ１５０の初期輝度には個体差（ばらつき）があるため、通常はＵＶＬＥＤ１５０のヘッド部１２０側の駆動回路に初期輝度調整回路１２２８が必要となる。初期輝度調整回路には、半固定抵抗等が利用され、例えば図１２（ｂ）に示す調整回路１２２８を併用できる。そして、ヘッド部１２０毎に紫外線照射パワーが所定値となるように、各々のヘッド部１２０で初期輝度調整回路により初期調整を行う必要がある。
【００６６】
実施の形態５の紫外線照射装置では、各ヘッド部１２０に実装されたＵＶＬＥＤ１５０の予め測定された初期輝度に関する初期特性データをメモリ部１２２７に記憶させておくことにより、上記のような初期輝度調整回路やこれを用いた初期調整作業が不要になる。つまり、制御部１１４がメモリ部１２２７から初期特性データを読み出し、初期特性データに応じた適切な基本駆動電流（正確にはそれに対応するデジタル値）を決定する。
【００６７】
制御部１１４から出力される駆動電流に対応するデジタル値は、Ｄ／Ａ変換器でアナログ電圧に変換され、ドライブ回路１１８に与えられる。ドライブ回路１１８は、与えられたアナログ電圧に対応する駆動電流でヘッド部１２０のＵＶＬＥＤ１５０を駆動する。なお、この駆動電流は、設定部１４０によって増減調節することができるので、これによって紫外線照射出力を調整できる。
【００６８】
以上のように、ヘッド部１２０側にメモリ部１２２７を設けることで、ヘッド部１２０に備えられたＵＶＬＥＤ１５０の特性に応じた正確な調整が実現できる。例えば、ヘッド部１２０を接続するコントローラ部１１０のヘッド部接続部の一形態であるヘッド部接続コネクタ１６０のチャンネルを一意的に固定する場合は、コントローラ部１１０側にメモリ部を設けても上記のような調整は可能である。コントローラ部１１０側のメモリ部がチャンネル毎に駆動積算時間や初期特性データを記憶できるからである。ただ、ヘッド部１２０の接続先のチャンネルが変更される場合は、上記の方法では対応できず、必ずヘッド部１２０毎に接続先の紫外線照射装置及びそのチャンネル番号を何らかの手段でユーザ側が記憶しておく必要があり、手間がかかって使い勝手が悪くなる。従って、上記のようにヘッド部１２０側にメモリ部１２２７を設けることで、いずれの紫外線照射装置のいずれのチャンネル番号にヘッド部１２０が接続されても、ヘッド部１２０の特性に応じた正確な駆動電流調整が実現され、使い勝手も向上する。
【００６９】
（冷却ブロック１２４）
なお、紫外線を発するＵＶＬＥＤ１５０は通常の可視光を発するＬＥＤに比べて自己発熱が大きい傾向にあるので、安定して長期間使用できるよう放熱機構をヘッド部１２０に設けることが好ましい。図１２〜図１５に示す例では、ＵＶＬＥＤ１５０を冷却ブロック１２４に接続している。冷却ブロック１２４はＵＶＬＥＤ１５０の動作時の発熱を冷却するヒートシンクとして機能し、アルミニウム等熱伝導の良い金属で構成される。冷却ブロック１２４の先端面にＵＶＬＥＤ１５０が密着固定されている。図１６は、冷却ブロック１２４の先端面にＵＶＬＥＤ１５０を密着固定する様子を示す図である。この図に示すように、３本の固定ネジ１２４１によってＵＶＬＥＤ１５０が冷却ブロック１２４の先端面に密着するように固定される。
【００７０】
（レンズホルダ１２６）
レンズホルダ１２６には、ＵＶＬＥＤ１５０から発した紫外線を集光するための１又は複数の光学系レンズ１２６１が収容されている。図１７は、レンズホルダ１２６とその内部構造例を示す分解図である。この例では、レンズを２枚構成として第１のレンズ１２６１Ａと第２のレンズ１２６１Ｂがスペーサ１２６２とレンズ固定キャップ１２６３によって、レンズホルダ１２６の内部に固定されている。レンズは１枚で構成することもできるが、屈折率の関係から１枚のレンズではレンズサイズが大きくなる傾向がある。そこで本実施の形態５では、光学系レンズ１２６１を２枚使用して第１のレンズ１２６１Ａと第２のレンズ１２６１ＢでＵＶＬＥＤ１５０からの紫外線を外部に照射する構造とすることで、レンズ自体のサイズを小型化でき、ひいてはレンズホルダ１２６やヘッド部１２０の小型化に貢献する。
【００７１】
図１８は、冷却ブロック１２４とレンズホルダ１２６との固定方法の例を示す図である。この例では、３本の固定ネジ１２４２によって冷却ブロック１２４とレンズホルダ１２６とが互いに固定される。また、レンズの合成焦点距離が異なる複数種類のレンズホルダ１２６を用意して交換可能とすることにより、同一のヘッド部１２０を使用しながら、ヘッド部１２０の先端と紫外線照射対象（紫外線硬化型樹脂による接着固定部）との距離が変化する場合に対応することができる。
【００７２】
図１３に戻って、冷却ブロック１２４とヘッド本体部１２２との固定方法について説明する。上記のようにして冷却ブロック１２４とレンズホルダ１２６とを固定した後に、ヘッド本体部１２２を構成する上ケース部材１２２１及び下ケース部材１２２２が互いに合わせられ、先端部分が冷却ブロック１２４の基端側突出部１２４３を挟むようにしてそれぞれ固定ネジ１２２９で冷却ブロック１２４に固定される。また、上ケース部材１２２１及び下ケース部材１２２２の基端面には、基端部材２１３が固定ネジ１２３０を用いて固定される。
【００７３】
図１４および図１５に示すように、ケーブル用コネクタ１２２５やＵＶＬＥＤ１５０を含む冷却ブロック１２４は、それぞれ連結コネクタ１２３１、１２４４を介して基板と電気的に接続される。これによってＵＶＬＥＤ１５０はケーブル部１３０を介してコントローラ部１１０から電力供給を受け、駆動制御される。このように電気的接続が必要な各ブロックを連結コネクタを介して連結する構造とすることで、各部の分解が容易で交換や修理等のメンテナンス作業を容易に行えるという利点がある。特に図に示すヘッド部１２０はヘッド本体部１２２、冷却ブロック１２４及びレンズホルダ１２６が順番に結合した構造としており、ユニット毎の分割が容易で、メンテナンス性に優れたヘッド部１２０が得られる。
【００７４】
また下ケース部材１２２２には、図１４および図１５に示すように、ヘッド部１２０をホルダ等に固定するためのネジ孔である貫通孔１２３２を開口している。ネジを螺合する等してヘッド部１２０を固定する際、ネジの先端が基板１２２４や基板上の実装部品を破損しないように、下ケース部材１２２１には図１３に示すように保護プレート１２４５が固定されており、貫通孔１２３２と基板１２２４との間を遮断している。
【００７５】
（コントローラ部１１０）
図１９に、コントローラ部１１０の正面図を示す。この例では、４台のヘッド部１２０を接続可能な４チャンネルのコントローラ部１１０を示している。ヘッド部１２０を接続可能な台数はチャネル数で決定されるが、チャンネル数は３以下とすることも、あるいは５以上とすることもできることはいうまでもない。この図に示すコントローラ部１１０は、前面パネルにＵＶＬＥＤ１５０の紫外線照射条件を個別に設定するための設定部１４０として、表示部１４２及び操作パネル１４４を設けている。図１９において表示部１４２は前面パネルの上部に配置し、その下に操作パネル１４４を配置している。
【００７６】
（操作パネル１４４）
設定部１４０を構成する操作パネル１４４は、上下左右の選択スイッチである＜、＞、∧、∨スイッチ１４４Ａ、１４４Ｂ、１４４Ｃ、１４４Ｄと、エスケープスイッチ１４４Ｅ、エンタースイッチ１４４Ｆが各々配置されている。ユーザは、これらのスイッチを操作して所定の手順に従い、ＵＶＬＥＤ１５０の紫外線照射条件を設定する。なお、この例に限られず、操作パネル１４４には十字キーやテンキー、ジョグダイヤル等の各種の入力デバイスが利用できる。また、操作パネルを表示部と一体化したタッチパネルとしても良い。操作パネル１４４に設けた各種スイッチは、各ヘッド部１２０の操作に共通して利用でき、各ヘッド部１２０を接続したチャンネルを切り替えて設定できる。
【００７７】
なお、設定部１４０のスイッチ類は、コントローラ部１１０上に固定する必要はなく、コントローラ部１１０と個別の部材として設けても良い。例えばコンソールやリモートコントローラ、フットスイッチ等、コントローラ部１１０と別体とした設定部にスイッチ類を設け、これらをコントローラ部１１０と有線あるいは無線で接続して操作する形態も本発明の範囲内である。また後述するように、紫外線照射装置に接続された外部接続機器から設定や操作を行えるよう構成してもよい。
【００７８】
また、本明細書において設定部には、紫外線照射条件の設定時以外に使用する態様も包含し、例えば紫外線照射装置の動作時に使用する照射スイッチも、設定部に含む。なお、例えば照射スイッチとしてフットスイッチをコントローラ部１１０と接続する場合は、外乱によるチャタリングを防止するためにＯＮ／ＯＦＦ入力の遅延を設定することもできる。紫外線のオンタイミング（遅延設定）及びオフタイミング（遅延設定）は、設定部を用いて個別に、あるいは一括して設定することができる。
【００７９】
（表示部１４２）
また設定部１４０を構成する表示部１４２には、ＬＥＤや液晶表示器を使用した７セグメント表示器を備える。操作パネル１４４で設定された紫外線の出力や照射時間等の紫外線照射条件を、表示部１４２で表示、確認しながらユーザは設定作業を行う。表示部１４２は、一の画面で各ヘッド部１２０の設定条件を切り替えて表示する。また、後述するように各ヘッド部１２０毎に個別に複数の表示部を設けることもできる。なお紫外線出力は、相対的な強度値、例えばＵＶＬＥＤ１５０の駆動デューティファクタで設定、表示しているが、絶対的な出力値（ｍＷ等）で表示してもよい。なお、表示部１４２は液晶や有機ＥＬで構成してアイコン表示等のグラフィカルな表示を可能とできる。またカラー表示可能としても良い。
【００８０】
また、表示部１４２の下部には、各チャンネル毎にチャンネル表示ランプ１４５を設けている。これによって、現在選択されて表示部１４２に表示されているチャンネルが区別できる。図の例では１〜４チャンネルの４つのチャンネル表示ランプ１４５が設けられる。さらに、これらのチャンネル表示ランプ１４５に隣接して、紫外線照射ランプ１４６が配置される。紫外線照射ランプ１４６は、いずれかのヘッド部１２０から紫外線が照射（エミッション）状態であることを示すパイロットランプとして機能し、例えばＬＥＤ等で構成される。すなわち、紫外線照射ランプ１４６のＬＥＤが点灯しているときは、紫外線が照射中であることがユーザに通知される。
【００８１】
操作パネル１４４の下部には、電源スイッチ１４７と一括照射スイッチ１４８を備える。電源スイッチ１４７は紫外線照射装置の電源をＯＮ／ＯＦＦするスイッチである。例えば電源スイッチ１４７にキースイッチを採用することで、不意にスイッチがＯＮになる事態を回避できる。
【００８２】
（一括照射スイッチ１４８）
一括照射スイッチ１４８は、これを押下することで、設定部１４０で予めヘッド部１２０毎に設定された各々の紫外線照射条件に従い、すべてのヘッド部１２０から紫外線を独立して照射できる。
【００８３】
（ヘッド部接続コネクタ１６０）
さらに、前面パネルの下部には、各ヘッド部１２０毎にヘッド部接続コネクタ１６０、個別照射ランプ１７０、個別照射スイッチ１８０をそれぞれ設けている。図１９において左側に縦並びに配置されるヘッド部接続コネクタ１６０は、ヘッド部１２０のケーブルを接続するためのコネクタであってヘッド部接続部を構成する。上述の通り、図１９のコントローラ部１１０は４台のヘッド部１２０を接続可能なように４チャンネルのヘッド部接続コネクタ１６０を設けている。もちろん、すべてのチャンネルを使用する必要はなく、使用条件に応じてこの内の任意のチャンネルのみを使用可能であることはいうまでもない。
【００８４】
（個別照射ランプ１７０）
また、各ヘッド部接続コネクタ１６０の右側に隣接して、個別照射ランプ１７０が配置される。個別照射ランプ１７０は、各チャンネルに接続されたヘッド部１２０のＵＶＬＥＤ１５０から紫外線が照射されていることを示すためのランプである。これによってユーザは、どのヘッド部１２０から現在紫外線が照射されているかを確認できる。個別照射ランプ１７０にもＬＥＤ等が利用できる。なお、一括照射スイッチ１４８を押下すると、すべての個別照射ランプ１７０が点灯することとなる。
【００８５】
（個別照射スイッチ１８０）
さらに、個別照射ランプ１７０の右側に個別照射スイッチ１８０を配置している。個別照射スイッチ１８０は、各チャンネルに接続されたヘッド部１２０の紫外線出力を個別にＯＮ／ＯＦＦするスイッチである。個別照射スイッチ１８０をチャンネル毎に設けることで、各々のチャンネルに接続されたヘッド部１２０の紫外線出力を個別に操作でき、特に専用スイッチを設けることにより少ない操作回数（例えばボタンを押すのみ）で各ヘッド部１２０の出力をＯＮ／ＯＦＦできるので、より便利に紫外線照射装置を使用できる。ただ、個別照射スイッチを設けることなく、操作パネル１４４で各チャンネルのＯＮ／ＯＦＦを操作するように構成することも可能である。
【００８６】
以上、設定部１４０のレイアウト配置を図１９に基づき説明したが、これらの配置は任意に変更できることはいうまでもない。例えば、図１９の例では複数のチャンネルを縦に配置し、横方向にチャンネル毎のヘッド部接続コネクタ１６０、個別照射ランプ１７０、個別照射スイッチ１８０を配置しているが、他の実施の形態として、横方向にチャンネルを配置し、縦方向にチャンネル毎のヘッド部接続コネクタ、個別照射ランプ、個別照射スイッチ等を配置することもできる。また、上記実施の形態では照射ランプと照射スイッチを個別に設けたが、オン状態で点灯するバックライト付のスイッチを使用すれば、これらを一部材に統合することもできる。
【００８７】
コントローラ部１１０は、図１に示すように電源部１１２及び制御部１１４を備える。ＡＣインレットから供給される商用電源が、ラインフィルタ、ヒューズ及び電源スイッチ１４７を経て電源部１１２に供給され、電源部１１２で生成された直流安定化電圧が制御部１１４に供給される。制御部１１４は、マイクロプロセッサ（ＭＰＵ）やＬＳＩ、ＦＰＧＡやＡＳＩＣ等のゲートアレイで実現できる。また制御部１１４はメモリを備え、予め記憶しているプログラムとユーザの設定操作にしたがって各ヘッド部１２０からの近紫外線の強さ、照射タイミング等を制御する。制御部１１４には、端子台基板及び通信用コネクタが接続されており、これらのインターフェイスを用いてコンピュータやＰＬＣ（プログラマブル・ロジック・コントローラ）等の外部制御機器をコントローラ部１１０に接続することができる。外部接続機器は、後述するように紫外線照射条件の設定や紫外線照射装置のＯＮ／ＯＦＦ操作に使用できる。すなわち、紫外線照射装置のコントローラ部１１０に設けられた設定部１４０で設定や操作を行う他、外部接続機器からのトリガ入力によって紫外線照射装置のＯＮ／ＯＦＦを操作することもできる。
【００８８】
また、４個のヘッド部接続コネクタ１６０が制御部１１４に接続され、これらのヘッド部接続コネクタ１６０を介して各ヘッド部１２０がコントローラ部１１０の制御部１１４に接続される。そして、制御部１１４は各ヘッド部１２０のＵＶＬＥＤ１５０の駆動制御のための電気信号を各ヘッド部１２０に与え、各ヘッド部１２０からの近紫外線の強さや照射タイミングを制御する。さらに、制御部１１４にはフロントパネル基板が接続されている。フロントパネル基板には、コントローラ部１１０の前面パネルに設けられた表示部１４２及び設定部１４０を構成する表示器や各種スイッチ類が実装されている。ユーザは表示部１４２及び設定部１４０を用いて４個のヘッド部１２０の近紫外線の強さ、照射タイミング等を個別に設定することができる。
【００８９】
［モード切替］
上述の通り、本実施の形態に係る紫外線照射装置は、コントロール部によって紫外線照射条件を設定する設定モードと、紫外線を照射する照射モードとを切替可能である。設定モードと照射モードの切替は、専用の切替スイッチを設けたり、特定のスイッチの組み合わせや長押し等が利用できる。本実施の形態においては、図１９に示す操作パネル１４４の内、エスケープスイッチ１４４Ｅの長押し（例えば３秒以上）によって、設定モードと照射モードを相互に切り替える。
【００９０】
［照射モード］
以下、照射モードの詳細について説明する。まず、本実施の形態においては、紫外線照射装置の照射モード時において、すべてのヘッド部１２０から紫外線を照射する一括照射モードと、一のヘッド部１２０から紫外線を照射する個別照射モードとを備えている。そして上述の通り、一括照射スイッチ１４８を操作すると一括照射モードが実行され、個別照射スイッチ１８０を操作すると個別照射モードが実行される。
【００９１】
さらに、各照射モードはそれぞれ自動モードと手動モードに区別できる。自動モードとは、予め設定された紫外線照射条件に従って、照射出力や照射時間を変更可能なモードである。すなわち、自動モードにおいては照射開始指令を受けると、事前に各ヘッド部１２０毎に登録された照射パターンで照射を開始し、終了後は自動的に紫外線照射を停止する。一方、手動モードとは、指定されたタイミングで紫外線照射のＯＮ／ＯＦＦを切り替えるモードである。すなわち、照射開始指令を受けると、照射停止指令を受けるまで一定の出力にて照射し続ける。照射スイッチをＯＮすると出力が開始され、ＯＦＦすると終了する。なお、後述するように手動モードにおいても紫外線出力値は変更可能である。
【００９２】
照射モード時における紫外線の照射開始、及び停止の指令は、上述の通りコントローラ部１１０に設けた照射スイッチや端子台からのトリガ入力によって実現される。なお、本実施の形態においては、照射スイッチを一度押下すると照射モードが実行され、再度押下すると中断もしくは停止される。中断の場合は、一時停止状態を維持し、再度スイッチを押下することで照射モードが再開される。
【００９３】
［手動照射モード］
紫外線照射装置は、設定部１４０で設定される複数の紫外線照射条件を記憶部１１６に保存できる。さらに、各紫外線照射条件設定毎に動作モードを保存できる。手動モードにおいては、紫外線出力値は各ヘッド部１２０毎に保存できる。従って、個別手動照射モードでは複数のヘッド部１２０を異なる紫外線出力で各々照射できる。また一括手動照射モードでは、各ヘッド部１２０で同時に異なる紫外線出力を開始し、同時に照射終了させることができる。また、各ヘッド部１２０毎に照射許可／不許可を設定できるので、ヘッド部１２０が紫外線照射装置に接続されていても、所望のヘッド部１２０のみから照射することができる。従来の紫外線照射装置では、同一の装置に接続されたヘッドはすべて同じ出力及びタイミングで出力されていたため、装置にヘッドを接続している限り、他のヘッドの出力と共に必ず出力が生じ、照射を停止することができなかった。これに対して、本実施の形態では各ヘッド部１２０が独立しているため、紫外線照射の許可／不許可を容易に設定できるという利点がある。
【００９４】
［自動照射モード］
また、自動モードにおいても、照射パターンを各ヘッド毎に保存できる。従って、一括自動照射モードでは複数のヘッド部１２０にて異なる照射パターンで同時に照射を開始して、異なるタイミングで照射を終了させることができる。上述の通り、このような動作も従来の紫外線照射装置では実現できなかった。特にヘッド毎に異なる照射パターン、異なるタイミングで停止することができなかったが、本実施の形態により、独立して各ヘッド部１２０毎に出力やタイミングを変化させた出力が可能となり、極めて自由度の高い紫外線照射が実現される。上述の通り、各ヘッド部１２０毎に照射許可／不許可を設定できるため、ヘッド部１２０が紫外線照射装置に接続されていても、所望のヘッド部１２０のみから照射させることができる。さらに、照射開始指令をヘッド部毎に入力できるようにすれば、ヘッド部毎に異なるタイミングで紫外線照射を開始させることもできる。例えば、個別照射スイッチをヘッド部の数だけ設けたり、あるいはヘッド部の台数分の端子台トリガ入力を用意すればよい。
【００９５】
以上説明した動作モードをまとめると、一括自動照射モードにおいては、各ヘッド部１２０毎に予め設定された紫外線出力、照射時間等の紫外線照射条件で、すべてのヘッド部１２０で紫外線照射を実行する。一括照射スイッチ１４８を押下すると、各ヘッド部１２０から紫外線照射が開始され、様々な異なる出力、時間で独立して紫外線照射が実行される。なお紫外線照射の終了は、各々の設定に応じてヘッド部１２０毎に異なり、設定が終了するとヘッド部１２０毎に自動的に終了する。
【００９６】
また一括手動照射モードにおいては、実行するとすべてのヘッド部１２０から一定値で紫外線が出力される。一括照射スイッチ１４８を押下すると、各ヘッド部１２０から紫外線照射が開始され、再度一括照射スイッチ１４８を押下すると各ヘッド部１２０の紫外線照射が停止される。この場合においても各ヘッド毎に紫外線出力値を変更することはできる。
【００９７】
さらに、個別手動照射モードは、各々のヘッド部１２０で実行されると、該ヘッド部１２０から一定値で紫外線が出力される。この場合においても各ヘッド毎の紫外線出力値を変更することはできる。
【００９８】
［個別自動照射モード］
個別自動照射モードは、ヘッド部１２０毎に紫外線照射条件を設定するモードである。個別自動照射モードに相当する機能は、特に設けなくとも、一括自動照射モードを利用して実質的に実現できる。すなわち、特定のＵＶＬＥＤについてのみ照射を行い、他のＵＶＬＥＤの照射を行わないことで、該特定のＵＶＬＥＤの照射時間や出力等の紫外線照射条件を設定することにより、一括自動照射モード実行時に該ＵＶＬＥＤのみが自動的に設定されたパターンで紫外線照射を実行できる。ただ、この場合は特定のＵＶＬＥＤのみしか紫外線照射を実行できず、他のＵＶＬＥＤに個別自動照射モードに相当する動作を実行させるには、複数の一括自動照射モードを並列して実行可能とする必要がある。一方、複数のＵＶＬＥＤを動作させるように一括自動照射モードを設定することは可能である。ただ、ＵＶＬＥＤ毎の動作タイミングが変化する場合には対応が困難となる。一方、ユーザによっては各ヘッド部毎に自動照射を設定、実行する方が便利である場合も考えられるので、個別自動照射モードを別途設けることもできる。
【００９９】
［紫外線照射条件の設定方法］
次に、紫外線照射条件の設定方法について、図２０に基づき説明する。ここでは、各ヘッド部１２０から照射される紫外線が、図２１（ｂ）に示すように時間と共にステップ状に変化するパターンを得るために、図２１（ａ）に示すように複数の矩形波の組み合わせとして、個々の矩形波の条件を設定する例を考える。なお、図２１に示す各矩形波、すなわち一定の照射出力及び照射時間の組み合わせからなる紫外線照射条件のセットを、ここではステップと呼ぶことにする。
【０１００】
［矩形波状照射パターン］
図２０は、ヘッド部１２０が一のＵＶＬＥＤ１５０を備える場合の設定方法の概要を示している。図２０において、まず工程１００１でヘッド部１２０の番号を選択する。上述のように本実施の形態ではヘッド部１２０はチャンネル１〜４まで４台接続されており、どのチャンネルについて設定を行うかをここで選択する。次に工程１００２でステップの番号を選択する。ステップは、１から順に設定され、本実施の形態では一の紫外線照射条件設定において２０個までステップを設定可能としている。次に選択されたステップにつき、工程１００３で紫外線の照射時間を設定する。ここでは、秒数で指定する。さらに工程１００４で紫外線の照射出力を指定する。ここではデューティ比で設定する。そして工程１００５で設定を一時保存すると共に、ステップ番号の選択ステップに戻り、必要なすべてのステップについて設定が完了するまでループする。このようにして図２１のような紫外線照射パターンが設定されると、紫外線照射条件設定が保存される。
【０１０１】
なお、上記の各工程は、順序を適宜入れ替えることもできる。例えば、先に照射出力を設定した後、照射時間を設定してもよい。
【０１０２】
上記工程を、より詳細に示したフローチャートを図２２に示す。まず工程１２０１で紫外線照射条件設定の番号（設定番号）を選択する。本実施の形態では、ｎｏ０〜ｎｏ１９まで２０個の紫外線照射条件設定を記録できる。次に工程１２０２で照射モードを選択する。照射モードは、Ｕ０〜２の３通りであり、一括手動照射モード、個別手動照射モード、一括自動照射モードの別を指定する。なお、本実施の形態では個別自動照射モードに相当するモードを採用していない。次に工程１２０３で紫外線照射条件を設定するヘッド部１２０を接続したチャンネル番号を選択する。ここではチャンネル番号ＣＨ１〜４の４個から選択する。
【０１０３】
次に工程１２０４では、選択されたチャンネル番号に接続されたヘッド部１２０に対して、紫外線出力を許可するかどうかを設定する。ヘッド部１２０毎に紫外線照射の許可／不許可を設定可能とすることで、従来のように接続されたヘッド部１２０すべてから紫外線が出力されることなく使用することが可能となる。出力を許可する場合は、工程１２０５に進み、許可しない場合は工程１２０４−１ですべてのヘッド部１２０の設定が終了したか否かを判定し、未だの場合は工程１２０３に戻り他のヘッド部１２０の設定を継続し、すべてのヘッド部１２０の設定が終了した場合は工程１２１１にジャンプする。
【０１０４】
なお、後述するように複数のＵＶＬＥＤを備える場合は、各ＵＶＬＥＤ毎に紫外線照射の許可／不許可を設定することもできる。
【０１０５】
次に工程１２０５で、工程１２０２で選択された照射モードが自動モードか否かを判定する。自動モードの場合は、次工程１２０６でステップ番号を選択する。ステップ番号は、Ｓ０〜Ｓ１９まで、最大２０個設定できる。自動モードでない場合はステップ番号の選択が不要であるから工程１２０７にジャンプする。工程１２０７では照射時間を設定する。ここでは秒数を入力する。次に工程１２０８で照射出力を設定する。ここではデューティ比で入力する。次に工程１２０９で必要なステップ番号の設定をすべて完了したか否かを判定し、未だの場合は工程１２０６に戻り、次のステップ番号の設定を繰り返す。終了した場合は工程１２１０に進み、すべてのヘッド部１２０の設定が終了したか否かを判定し、未だの場合は工程１２０３に戻り他のヘッド部１２０の設定を繰り返す。終了した場合は工程１２１１に進み、上記の設定を記憶部１１６に保存して終了する。
【０１０６】
［階層メニュー］
次に、コントローラ部１１０に設けた表示部１４２における表示の切り替えについて説明する。本実施の形態においては、階層メニュー方式を採用している。図２３に、階層メニューの一例を示す。この図に示すように、紫外線照射装置は照射モードと設定モードに切替可能であり、各々のモードにおいて、さらに各種のメニュー項目が選択できる。また選択されたメニュー項目についても様々な設定項目が存在し得、図２３において下方向に示すように各階層に下って各項目を設定する。
【０１０７】
［照射モードにおける表示］
次に、図２４に基づいて照射モードにおける表示部１４２の表示例を説明する。照射モードにおいては、図２４に示すように運転中設定番号表示、現タイマ値表示、現照射パワー値表示、累積照射時間表示等の項目が切り替えて表示される。項目の切替は、左右の＜、＞スイッチ１４４Ａ、１４４Ｂで行われる。また、最上位階層を表示中にエスケープスイッチ１４４Ｅを長押しすると、上述の通り照射モード、設定モード間のモードが変更される。一方、最上位以外の階層からエスケープスイッチ１４４Ｅを長押しすると、そのモードの最上位階層へ遷移する。
【０１０８】
（運転中設定番号表示）
運転中設定番号表示は現在選択中の設定番号を表示している。この例ではＪ０が選択されている。設定番号はｎｏ０〜Ｊ１９まで最大２０個の設定を保存することが可能であり、この内から任意の設定番号を選択する。また図２４に示すように、表示部１４２の下方に設けられたチャンネル表示ランプ１４５が、現在表示中の設定番号において照射が設定されているヘッド部１２０を表示する。これによって、選択中の設定番号において紫外線が照射されるヘッド部１２０がいずれであるかをユーザが容易に把握できる。この例においては、チャンネル１〜４すべてのヘッド部１２０でＵＶＬＥＤ１５０が動作することを示している。
【０１０９】
なお設定番号の変更は、本実施の形態では後述するように設定モードで行う。ただ、照射モードにおいて設定番号を変更できるようにしても良い。例えば図２４の画面からエンタースイッチ１４４Ｆを押下して設定番号の選択メニューに移行する方法や、図２４の画面から∧、∨スイッチ１４４Ｃ、１４４Ｄを押下して設定番号を変更する方法等が適宜採用できる。
【０１１０】
（現タイマ値表示）
現タイマ値表示は、紫外線の照射時間を表示する。図の例では、チャンネル１に接続されたヘッド部１２０から１２秒間照射するよう設定されていることを示している。該設定番号の紫外線照射条件設定の実行時には、設定された照射時間からカウントダウン式に残りの照射時間が秒数で表示され、ユーザは残り時間を容易に知ることができる。また、照射時間が設定されていないチャンネルを表示する場合は、停止時は−−−で表示し、実行時はカウントアップ式に経過時間を秒数で表示する。これによって、照射時間が現在どの程度経過したかをユーザが確認できる。以上のように、照射時間の設定の有無によって時間の表示方式をカウントダウン式とカウントアップ式に自動切り替えすることにより、ユーザは照射時間の設定の有無、および経過時間、残り時間を知ることができ、紫外線硬化型樹脂の接着状態に際して状況把握等に便利に使用できる。また時間の表示単位は、秒数の他、粉数、時間数あるいは進捗状況の割合での表示等を適宜採用できる。
【０１１１】
図２４の例では、チャンネル１の照射時間が表示されているが、この状態で∧、∨スイッチ１４４Ｃ、１４４Ｄを押下すると、その他のチャンネルの情報に切り替えて表示できる。このように、本実施の形態では、＜、＞スイッチ１４４Ａ、１４４Ｂはメニューの切替に、∧、∨スイッチ１４４Ｃ、１４４Ｄは、項目値の選択、変更にそれぞれ使用される。図２４の例では、∧スイッチ１４４Ｃを押下するとチャンネル２→３→４→１の順に切り替えられる。同時に、チャンネル表示ランプ１４５の点灯が該当チャンネルに切り替わって、現在表示中の項目（ここでは照射時間）がいずれのチャンネルに接続されたヘッド部１２０の情報であるかが判別できる。なお照射が設定されていないチャンネルの情報を表示させると、表示部１４２に「−−−」と表示される。
【０１１２】
なお、これらのスイッチ操作を行わず、設定されたチャンネルの情報を自動的に切り替えて順次表示するように構成してもよい。
【０１１３】
（現照射パワー値表示）
現照射パワー値表示は、紫外線照射の出力値を表示する。この例ではチャンネル１のＵＶＬＥＤの駆動デューティ比により相対的な強度を表示しているが、最大出力を１００とするパーセント表示や出力ワット数等、その他の単位による表示も適宜採用できる。ここでも上記と同様、∧、∨スイッチ１４４Ｃ、１４４Ｄを押下することで、他のチャンネルの情報を切り替えて表示できる。
【０１１４】
（累積照射時間表示）
累積照射時間表示は、紫外線の照射時間の累積値、すなわちＵＶＬＥＤのトータルの使用時間を表示する。これによってＵＶＬＥＤがどのくらい使用されているか、寿命の把握や駆動電流の調整作業の目安を得ることができる。ここでも∧、∨スイッチ１４４Ｃ、１４４Ｄで他のチャンネルの情報を切り替えて表示できる。なお図２４において、単位を区別するために「ｈ」と「Ｈ」の表示を使い分けており、「ｈ」は×１０時間、「Ｈ」は×１００時間をそれぞれ示している。このように、記号の大文字、小文字の使い分けによって単位の大小等の意味合いを持たせ、少ない表示画面で多くの情報量を表示できるようにしている。
【０１１５】
以上、照射モードにおける表示部１４２の表示例を説明した。もちろん、これ以外の表示項目を追加したり、任意の項目のみを表示するよう構成できることはいうまでもない。
【０１１６】
なお図２３の例では、照射モードにおいてはメニュー項目は基本的に表示部１４２の切替として機能するため、更なる階層構造は設けていない。もちろん、表示項目等を階層構造で切り替えるよう構成してもよいことはいうまでもない。
【０１１７】
［設定モード］
次に、図２５および図２６を参照しながら、設定モードにおける紫外線照射条件を設定する方法の詳細を説明する。図２５に示すように、設定モードでは運転中設定番号メニューと、設定編集メニューと、通信条件メニューと、その他条件メニューの４つの項目が、＜、＞スイッチ１４４Ａ、１４４Ｂにより切り替えられる。メニューの選択は、エンタースイッチ１４４Ｆを押下することで実行され、選択された項目の設定モードに移行できる。なお、エスケープスイッチ１４４Ｅを押下すれば、上位の階層に戻ることができる。
【０１１８】
もちろん、複数の項目をまとめたり、他の項目を追加したりしてもよい。例えば通信条件メニューとその他条件メニューを一つにまとめたり、あるいは編集設定メニューを２つに分けても良い。
【０１１９】
（運転中設定番号メニュー）
運転中設定番号メニューは、照射モードにおいて使用する紫外線照射条件設定の設定番号を選択する。ここでは、既に設定され保存された紫外線照射条件設定の中から、所望の設定番号を∧、∨スイッチ１４４Ｃ、１４４Ｄにて選択する。選択後、エンタースイッチ１４４Ｆを押下すると表示部１４２に「Ｅｎｄ」と表示され、選択された設定番号が保存されると共に、運転中設定番号メニューに戻る。
【０１２０】
なお本実施の形態では、運転中設定番号メニューと後述する設定編集メニューとを個別に設けているが、これらを統合してもよい。この場合は、前回の設定作業の際に選択された番号を保持し、照射モードにおいてこの番号の設定が選択されているものとして扱う。
【０１２１】
（設定編集メニュー）
設定編集メニューは、紫外線照射条件を設定するメニューである。設定編集メニューの詳細を図２６に示す。設定編集メニューに含まれる大項目としては、編集設定番号選択、照射モード選択の設定画面がある。各々の設定画面での設定が完了しエンタースイッチ１４４Ｆを押下すると、次の設定画面に移行する。
【０１２２】
（編集設定番号選択）
まず、編集設定番号選択では、設定番号を選択する。本実施の形態では、上述の通りｎｏ０〜１９まで最大２０個の設定を保存できる。もちろん、これ以上あるいは以下の数を設定可能とすることもできる。
【０１２３】
（照射モード選択）
次に、選択された設定番号について、照射モードを選択する。制御モードは、上述の通りＵ０〜２の３通り、すなわち一括手動照射モード、個別手動照射モード、一括自動照射モードのいずれかを選択する。照射モードを選択してエンタースイッチ１４４Ｆを押下すると、表示部１４２に「Ｅｎｄ」と表示されて上記の設定を一時保存すると共に、編集チャンネル選択に移行する。
【０１２４】
編集チャンネル選択では、設定の対象となるヘッド部１２０が接続されたチャンネル番号をＣＨ１〜４の中から選択する。次に、出力許可選択に進み、上記で選択されたチャンネル番号のヘッド部１２０につき、紫外線出力を許可するか否かを選択する。許可の場合は「ｏｎ」、不許可の場合は「ｏｆｆ」と表示部１４２に表示される。この状態でエンタースイッチ１４４Ｆを押下すると、照射モード選択画面にて選択した照射モードに応じて、ステップ番号選択画面、もしくはステップ番号選択不可表示に進む。
【０１２５】
（一括自動照射モードの詳細設定）
照射モード選択画面において一括自動照射モードを選択した場合は、ステップ番号選択画面に進み、ステップ番号を選択する。上述の通りステップ番号はＳ０〜１９まで最大２０個設定可能であり、必要な数だけ順番に設定していく。ステップ番号を選択すると、照射時間設定画面となり、紫外線照射時間を入力する。次に照射出力を同様に入力する。これらの入力値は、∧、∨スイッチ１４４Ｃ、１４４Ｄで増減させる。入力の便宜のため、前回の設定値をコピーしてデフォルト値として入力したり、長押しで高速増減を可能にすることもできる。以上の設定が終了すると、エンタースイッチ１４４Ｆを押下して設定を一時保存すると共に、ステップ番号選択画面に戻る。このとき、設定されたステップ番号に１を増加させた値がデフォルト値として入力される。すべてのステップ番号の設定が終了すると、エスケープスイッチ１４４Ｅを押下すれば、編集設定番号選択画面に戻る。
【０１２６】
（一括手動照射モード、個別手動照射モードの詳細設定）
一方、照射モード選択画面において一括手動照射モードまたは個別手動照射モードを選択した場合は、一定値での出力となり、出力を可変とするステップを選択できないので、出力許可選択画面からステップ番号選択不可表示に進む。このとき表示部１４２には「ｓ．−−−」と表示され、ステップ番号が選択できないことを表示する。手動照射モードでは照射時間も設定しないので、この状態でエンタースイッチ１４４Ｆを押下すると、照射出力設定画面となる。上記と同様にデューティ比で出力を設定後、エンタースイッチ１４４Ｆを押下すると設定が保存され、編集チャンネル番号選択画面に戻る。以上のようにして、編集設定メニューで紫外線照射条件が設定される。
【０１２７】
（通信条件メニュー）
通信条件メニューでは、紫外線照射装置と外部接続機器とをＲＳ−２３２Ｃインターフェースで接続する際の通信条件を設定する。図２５の例では、通信条件メニューからボーレート選択、ストップビット・パリティ選択、デリミタ・チェックサム選択がそれぞれ設定できる。各々の設定画面での設定が完了しエンタースイッチ１４４Ｆを押下すると、次の設定画面に移行する。まずボーレート選択では、予め設定された１２００ｂｐｓ、２４００ｂｐｓ、４８００ｂｐｓ、９６００ｂｐｓ、１９２００ｂｐｓ、３８４００ｂｐｓの選択肢から、∧、∨スイッチ１４４Ｃ、１４４Ｄにて選択し、エンタースイッチ１４４Ｆで決定する。表示部１４２においては、「ｂ．３８４」等、×１００にて表示することで表示桁数を節約している。なお、ハードウェア的に対応しておれば、上記以外のボーレート値を設定することもできる。
【０１２８】
ストップビット・パリティ選択では、ストップビットが１または２、パリティがなし、偶数、奇数をそれぞれ選択できる。図の例では、これらの組み合わせを予め選択肢として提示し、ストップビット１・パリティなし（表示部１４２における表示「ｙ．１ｎ」）、ストップビット１・パリティ偶数（「ｙ．１Ｅ」）、ストップビット１・パリティ奇数（「ｙ．１ｏ」）、ストップビット２・パリティなし（「ｙ．２ｎ」）、ストップビット２・パリティ偶数（「ｙ．２Ｅ」）、ストップビット２・パリティ奇数（「ｙ．２ｏ」）の中から∧、∨スイッチ１４４Ｃ、１４４Ｄにて選択し、エンタースイッチ１４４Ｆで決定する。
【０１２９】
同様にデリミタ・チェックサム選択では、デリミタとしてＣＲもしくはＥＴＸ、チェックサムのあり・なしをそれぞれ選択できる。図の例では、これらの組み合わせとしてデリミタＣＲ・チェックサムなし（表示部１４２における表示「ｄ．Ｃ０」）、デリミタＣＲ・チェックサムあり（「ｄ．Ｃ１」）、デリミタＥＴＸ・チェックサムなし（「ｄ．Ｅ０」）、デリミタＥＴＸ・チェックサムあり（「ｄ．Ｅ１」）の中から、∧、∨スイッチ１４４Ｃ、１４４Ｄにて選択し、エンタースイッチ１４４Ｆで決定する。
【０１３０】
（その他条件メニュー）
その他条件メニューにおいては、入力接点選択、点灯アラーム時間編集が設定できる。入力接点選択は、フットスイッチを接続する場合等、チャタリング防止のための遅延時間を設定する。点灯アラーム時間編集は、ＵＶＬＥＤの劣化による警告を行う時間を設定する。
【０１３１】
上記の階層メニューの構成は一例であって、他の構成も適宜採用できる。例えばメニューの選択には水平方向、選択された項目の設定には垂直方向のスイッチを使用したが、水平方向と垂直方向を入れ替えてもよいことはいうまでもない。
【０１３２】
［実施の形態６］
また実施の形態５のように設定部を共通とする構成の他、各ヘッド部毎に個別設定スイッチ２９０と個別表示部２９２を設けることもできる。図２７に、本発明の実施の形態６に係る紫外線照射装置のコントローラ部２１０の正面図を示す。この図に示す個別設定スイッチ２９０は、各ヘッド部から照射される紫外線出力の設定や照射時間の増減に使用され、アップダウンスイッチ等が利用できる。この態様では、個別設定スイッチ２９０で各チャンネルの紫外線照射条件を設定できる他、上記の操作パネル２４４を用いて紫外線照射条件を設定することもできる。また、共通の操作パネルを省略して、個別設定スイッチ２９０のみで設定するよう構成することもできる。
【０１３３】
個別表示部２９２は７セグメント表示器等が利用でき、設定された出力や照射時間を表示する。また、個別設定スイッチ２９０のみ、あるいは個別表示部２９２のみを各チャンネル毎に設けても良い。
【０１３４】
［実施の形態７］
また、各ヘッド部の紫外線出力を調整する個別設定スイッチや個別照射スイッチは、コントローラ部１１０でなくヘッド部１２０に設けることもできる。図２８〜図２９に、本発明の実施の形態７に係る紫外線照射装置のヘッド部３２０を示す。これらの図に示すように、ヘッド部３２０にＵＶＬＥＤ３５０からの紫外線照射のＯＮ／ＯＦＦを行うための個別照射スイッチ３８０、紫外線の出力レベルを調節するための個別設定スイッチ３９０を設ける。個別設定スイッチ３９０は、２個のプッシュスイッチからなるアップダウンスイッチが利用できる。図２８（ｂ）や図２９に示すように、これらのスイッチ類は基板上に実装される。その他の部材は、上述した図１３等と同様の構成が利用できる。この構成は、ユーザが手でヘッド部３２０を把持して使用する場合に、手元で出力を調整でき、このような態様において好適に利用できる。
【０１３５】
また図示しないが、７セグメント表示器等の個別表示部をヘッド部にそれぞれ設けることもできる。あるいは、個別設定スイッチまたは個別照射スイッチのみをヘッド部に設け、コントローラ部側に残りの部材を設けても良い。
【０１３６】
［実施の形態８］
以上の各実施の形態では、ヘッド部の長手方向に沿って、ケーブル部と紫外線の照射方向が略直線状となる態様（ストレートタイプ）とした。これに対して図３０に示す本発明の実施の形態８に係る紫外線照射装置のヘッド部４２０は、ＵＶＬＥＤ４５０からの紫外線の照射方向がヘッド部４２０の長手方向と略直交するように構成したアングル状のタイプとしている。図３０はヘッド部４２０の平面図および断面図を、図３１はこのヘッド部４２０の支持方法の一例を示す斜視図を、それぞれ示している。これらの図に示すように、ヘッド本体部４２２とレンズホルダ４２６とが冷却ブロック４２４を介してアングル状に結合し、アングル形状のヘッド部４２０が構成されている。
【０１３７】
図３１に示すように、実施の形態８のアングルタイプのヘッド部４２０では、ヘッド本体部４２２を把持するホルダ４２０２を設け、これによってヘッド部４２０を固定することができる。この場合、ヘッド部４２０の上方空間に余裕ができる。つまり、ヘッド部４２０を設備に固定する際に、設備の関係でヘッド部４２０の上方に十分なスペースを確保することが困難な場合に適している。また、紫外線照射の対象物（箇所）を上方からヘッド部４２０越しに観察する際の視認性に優れている。
【０１３８】
一方、上述した実施の形態５〜３におけるストレートタイプのヘッド部１２０の支持方法の一例を図３２に示す。図３２（ａ）の例では、ヘッド本体部１２２の背面に螺合によって略直角に固定したポール部材１２０１をホルダ１２０２で把持することによってヘッド部１２０を固定する。図３２（ｂ）の例では、ヘッド本体部１２２の背面に形成した２箇所のネジ孔を用いて、壁面等の固定対象Ｈに固定ネジ１２０３によって直接ネジ止めする。いずれの場合も、ヘッド部１２０の上方にケーブル部１３０のための空間が必要になる。図３０、図３１に示した実施の形態８のアングルタイプのヘッド部１２０の場合は、ケーブル部１３０が側方へ延びるので、ヘッド部４２０の上方空間に余裕が無くても問題が生じない。
【０１３９】
［実施の形態９］
上記の各実施の形態では、図１３等に示すように各ヘッド部がＵＶＬＥＤを１個備えている。ただ、複数の半導体素子をヘッド部５２０に設けることもできる。複数の半導体素子を使用することによって、紫外線の照射量や照射面積を必要に応じて調整することが可能となる。本発明の実施の形態９に係る紫外線照射装置として、図３３に複数のＵＶＬＥＤ５５０を備えるヘッド部５２０を示す。図３３（ａ）は、円柱状の冷却ブロックの底面に、略均一に１２個のＵＶＬＥＤ５５０Ａを配置した例を示す。図３３（ｂ）は略正方形状の冷却ブロックに、３行×３列＝９個のＵＶＬＥＤ５５０Ｂを配置した例を示す。もちろん、ＵＶＬＥＤ５５０は１列や２列に並べてもよいし４列以上に並べてもよい。また図３３（ｃ）は一方向に延長した略長方形状の冷却ブロックに、２行×３列＝６個のＵＶＬＥＤ５５０Ｃを配置した例を示す。この例の構造では、長手方向に並んだ複数のＵＶＬＥＤ５５０Ｃによって、細長い領域に塗布された樹脂に一度に紫外線を照射して硬化させることができる。
【０１４０】
もちろん、ＵＶＬＥＤの個数や配列パターンや、これ以外にも適宜採用できる。複数のＵＶＬＥＤを同時にＯＮして使用することで、紫外線量を増やして出力を増大できる。また、複数のＵＶＬＥＤの内、特定のＵＶＬＥＤのみをＯＮさせ、他のＵＶＬＥＤをＯＦＦとし、動作するＵＶＬＥＤを交互に切り替えて使用することによって、特定のＵＶＬＥＤの連続使用を避けて各素子の長寿命化を図ることができ、ＵＶＬＥＤの交換時期を延長できる。
【０１４１】
さらに、特性が同一のＵＶＬＥＤを複数設ける場合のみならず、異なる特性を備えるＵＶＬＥＤを同一のヘッド部に設けても良い。例えば、波長の異なるＵＶＬＥＤを切り替えて使用することで、同一のヘッド部から照射可能な紫外線の波長を変更できる。特性の異なるＵＶＬＥＤを使用する場合は、各ＵＶＬＥＤに応じた駆動電流等を予めヘッド部側で設定しておく。さらにまた、ヘッド部間で異なる特性のＵＶＬＥＤを各ヘッド部に設けることも可能であることはいうまでもない。
【０１４２】
複数の半導体素子をヘッド部５２０に設ける場合は、ＯＮする素子を他と区別する必要があるので、各半導体素子に個別のＩＤ番号等の素子識別情報を割り当る。そして紫外線照射条件を設定する際に、いずれの素子をＯＮするかの素子識別情報も設定する。複数の半導体素子を点灯する場合は、該半導体素子に同一の設定を容易に行えるよう、設定のコピーを可能としてもよい。また、すべての素子をＯＮするような場合は、素子識別情報として「すべて」を指定できるようにする。例えば、設定画面において「Ａ」を入力する。これによって、各素子毎に同じ紫外線照射条件を設定する手間を省くことができる。なお、複数の半導体素子で電流値を変えて紫外線を照射させることも可能であることはいうまでもない。
【０１４３】
次に、ヘッド部５２０が複数のＵＶＬＥＤ５５０を備える場合の、紫外線照射条件の設定方法について、図３４に基づき説明する。図３４において、工程２４０１のヘッド部５２０番号選択ステップ、および工程２４０２のステップ番号選択ステップは、上述した図２０の工程１００１、工程１００２と同様である。次に工程２４０２−１で動作対象となるＵＶＬＥＤ５５０の番号を選択する。ヘッド部５２０に備えられた複数のＵＶＬＥＤ５５０には、上述の通り固有のＩＤ番号が予め付与されており、この内駆動させたいＵＶＬＥＤ５５０の番号を選択する。以下の工程は、図２０の工程１００３、１００４、１００５と同様である。
【０１４４】
［実施の形態１０］
また、紫外線照射条件の設定は、上記のように照射時間と照射出力の組をステップ状に指定する方法の他、予め設定された照射パターンを選択することもできる。例えば、関数状の照射パターンを選択する方法や、さらに選択した関数の定数を入力することもできる。これらの設定は、関数番号や定数を数値で指定、選択する方法の他、グラフ図形をグラフィカルに表示して選択する方法等が採用できる。さらに前者の数値による選択方法においても、設定された関数をグラフ図形で確認可能としてもよい。このようなグラフ表示を可能にするには、図形表示が可能な表示部１４２を用意する。
【０１４５】
［関数状照射パターン］
図３５は、紫外線の照射時間と照射出力を関数で表示する３つのパターンを示した例を示すグラフである。この図に示すようなパターンでも、本発明の実施の形態は紫外線を照射可能である。図３５の例では、関数の例としてＦ１〜Ｆ３の３種類の示している。
【０１４６】
Ｆ１：Ｐ＝ａｔ＋ｃ
Ｆ２：Ｐ＝ａ＊（１−ＥＸＰ（−ｂ＊ｔ））＋ｃ
Ｆ３：Ｐ＝ａ＊（ＥＸＰ（ｂ＊ｔ）−１）＋ｃ
（ａ，ｂ，ｃは条件に応じて設定する定数）
【０１４７】
また、これら以外にもｎ次式の関数を利用することもできる。上記の関数のいずれかを選択した後、定数ａ，ｂ，ｃを設定すると照射パターンが決定される。定数は、紫外線照射装置の使用条件に応じて設定される。図３５に例示する関数Ｆ１〜Ｆ３では、紫外線の照射出力を照射時間１０秒で７０％まで上げる場合に設定される定数として、以下の値を設定している。
【０１４８】
Ｆ１：Ｐ＝７ｔ（ａ＝７、ｃ＝０）
Ｆ２：Ｐ＝７０＊（１−ＥＸＰ（−０．５＊ｔ））（ａ＝７０、ｂ＝０．５、ｃ＝０）
Ｆ３：Ｐ＝１０＊（ＥＸＰ（０．２１＊ｔ）−１）（ａ＝１０、ｂ＝０．２１、ｃ＝０）
【０１４９】
図３５のような照射パターンでの紫外線照射条件を設定する手順を、図３６に基づき説明する。まず工程２６０１でヘッド番号を選択し、工程２６０２でステップ番号を選択する工程は、図２０と同様である。次に工程２６０２−１で、関数番号を選択する。ここでは関数Ｆの選択肢として、上述したＦ０〜Ｆ３が選択可能である。なおＦ＝０は、上記と同様に照射時間と照射出力を入力するステップ状関数である。工程２６０２−１でＦ＝０を選択した場合は、工程２６０３で照射時間、工程２６０４で照射出力をそれぞれ入力し、工程２６０５で設定を保存する。また工程２６０２−１でＦ＝１を選択した場合は、工程２６０３−１で定数ａ、工程２６０４−１で定数ｂをそれぞれ入力し、工程２６０５で設定を保存する。さらに工程２６０２−１でＦ＝２または３を選択した場合は、工程２６０３−２で定数ａ、工程２６０４−２で定数ｂ、ｃをそれぞれ入力し、工程２６０５で設定を保存する。
【０１５０】
上記以外にも、照射パターンを設定する方法として、例えば照射パターンの波形を選択後、照射時間を入力して自動的に関数の定数を演算し、設定する方法や、紫外線の総照射量や熱量で設定する方法等が適宜利用できる。
【０１５１】
従来の紫外線照射装置では、紫外線源として使用する高圧水銀ランプ等に機械的なシャッタを介することにより出力を変更していたため、紫外線出力の最小分解能が粗くなり離散的な変化となって微調整ができず、波形パターンに沿った出力の変更が極めて困難であった。これに対して、駆動電流に対するリニアリティの高い半導体素子を利用する本実施の形態によれば、入力電流を調整してほぼ連続的な出力の変化が実現される。駆動電流に応じて出力をリニアリティ良く変化できるので、上記のようなパターンにも対応できる。なお、紫外線出力と連続波形との近似性は、Ａ／Ｄ変換器の分解能に依存することはいうまでもない。
【０１５２】
［実施の形態１１］
上記の各実施の形態では、紫外線照射条件の設定をコントローラ部の設定部で行っている。ただ、紫外線照射条件の設定は、紫外線照射装置に外部接続された機器にて行うことも可能である。例えば、本発明の実施の形態１１として、図３７に示すように紫外線照射装置７００のコントローラ部７１０を、コンピュータやＰＬＣ等の外部接続機器７１０１と接続し、外部接続機器７１０１側で設定した紫外線照射条件をコントローラ部７１０に転送することで設定を行う。
【０１５３】
紫外線照射装置７００は外部接続機器７１０１と接続するためのインターフェースを備える。インターフェースはコントローラ部７１０の制御部７１４と接続され、制御部７１４で外部接続機器７１０１との電気信号のやりとりやデータ通信を行う。外部接続機器７１０１と紫外線照射装置７００との接続は、ＲＳ−２３２ｘやＲＳ−４２２、ＵＳＢやＩＥＥＥ１３９４等のシリアル接続、パラレル接続、あるいは１０ＢＡＳＥ−Ｔ、１００ＢＡＳＥ−ＴＸ、１０００ＢＡＳＥ−Ｔ等のネットワークを介して電気的に接続して通信を行うことができる。接続は有線を使った物理的な接続に限られず、ＩＥＥＥ８０２．１ｘ、ＯＦＤＭ方式等の無線ＬＡＮやＢｌｕｅｔｏｏｔｈ等の電波、赤外線、光通信等を利用した無線接続等でもよい。さらに記録媒体を介して設定情報を保存、読み込みさせることもできる。記録媒体には、メモリカードや磁気ディスク、光ディスク、光磁気ディスク、半導体メモリ等が利用できる。
【産業上の利用可能性】
【０１５４】
本発明の紫外線照射装置は、ピックアップ等の電子部品の組み立て作業において、紫外線硬化樹脂による接着に好適に利用できる。特に、紫外線を照射するヘッド部毎に紫外線照射条件を独立して設定できるので、例えば同一の紫外線照射装置に接続されたヘッド部を複数のユーザが各々利用したり、硬化時間の異なる紫外線硬化樹脂を用いた接着を、同一の紫外線照射装置で行うことができる。
【図面の簡単な説明】
【０１５５】
【図１】本発明の実施の形態１に係る紫外線照射装置のブロック図である。
【図２】本発明の実施の形態１に係る紫外線照射装置のヘッド部を示す概略図である。
【図３】本発明の実施の形態２に係る紫外線照射装置のヘッド部を示す概略図である。
【図４】本発明の実施の形態３に係る紫外線照射装置のヘッド部を示す概略図である。
【図５】識別部に送出されるパルスのパターンの一例を示す波形図である。
【図６】本発明の実施の形態４に係る紫外線照射装置のヘッド部を示す概略図である。
【図７】本発明の実施の形態５に係る紫外線照射装置のヘッド部を示す概略図である。
【図８】図２に示すヘッド部において識別部を駆動する駆動回路を示すブロック図である。
【図９】図６に示すヘッド部において識別部を駆動する駆動回路を示すブロック図である。
【図１０】図７に示すヘッド部において識別部を駆動する駆動回路を示すブロック図である。
【図１１】図７に示すヘッド部の他の構成において識別部を駆動する駆動回路を示すブロック図である。
【図１２】本発明の実施の形態５に係る紫外線照射装置のヘッド部の詳細を示す正面図及び断面図である。
【図１３】実施の形態５に係る紫外線照射装置のヘッド部を上方から見た分解斜視図である。
【図１４】実施の形態５に係る紫外線照射装置のヘッド部を下方から見た分解斜視図である。
【図１５】図１４のコネクタを各々連結した状態を示す斜視図である。
【図１６】冷却ブロックの先端面にＵＶＬＥＤを密着固定する様子を示す図である。
【図１７】レンズホルダとその内部構造例を示す分解図である。
【図１８】冷却ブロックとレンズホルダとの固定方法の例を示す図である。
【図１９】コントローラ部の前面パネルに設けられた表示部及び設定部の配置例を示す正面図である。
【図２０】本発明の実施の形態５に係る紫外線照射条件の設定方法を示すフローチャートである。
【図２１】紫外線の照射パターンがステップ状に変化する様子を示すグラフ図である。
【図２２】図２０の紫外線照射条件の設定方法を詳細に示すフローチャートである。
【図２３】紫外線照射装置に使用される階層メニューの一例を示す状態遷移図である。
【図２４】照射モードにおける階層メニューの一例を示す状態遷移図である。
【図２５】設定モードにおける階層メニューの一例を示す状態遷移図である。
【図２６】設定モードにおける設定編集メニューの詳細を示す状態遷移図である。
【図２７】本発明の実施の形態６に係る紫外線照射装置のコントローラ部の正面図である。
【図２８】本発明の実施の形態７に係る紫外線照射装置のヘッド部を示す正面図及び断面図である。
【図２９】図２８のヘッド部を示す分解斜視図である。
【図３０】本発明の実施の形態８に係る紫外線照射装置のヘッド部を示す平面図および側面断面図である。
【図３１】図３０のヘッド部を示す斜視図である。
【図３２】本発明の実施の形態５〜７におけるヘッド部の支持方法の例を示す斜視図である。
【図３３】本発明の実施の形態９に係る紫外線照射装置のヘッド部を示す底面図である。
【図３４】本発明の実施の形態９に係る紫外線照射装置における紫外線照射条件の設定方法を示すフローチャートである。
【図３５】本発明の実施の形態１０に係る紫外線照射条件の設定方法において、関数状とした紫外線の照射パターンを示すグラフである。
【図３６】本発明の実施の形態１０に係る紫外線照射条件を設定する手順を示すフローチャートである。
【図３７】本発明の実施の形態１１に係る紫外線照射装置のブロック図である。
【符号の説明】
【０１５６】
１００、７００…紫外線照射装置
１１０、１１０Ｄ〜Ｅ、２１０、７１０…コントローラ部
１１２…電源部      １１２１…定電流回路
１１４、１１４Ｄ〜Ｅ、７１４…制御部
１１６…記憶部
１１８、１１８Ｄ…ドライブ回路
１１９…Ｄ／Ａ変換部
１２０、１２０Ａ〜Ｅ、３２０、４２０、５２０…ヘッド部
１２１、１２１Ａ〜１２１Ｅ…識別部
１２１１、１２１１Ａ〜Ｃ…点灯部
１２１２…識別情報表示部
１２０１…ポール部材
１２０２、４２０２…ホルダ      １２０３…固定ネジ
１２０４…シリアル／パラレル変換部
１２０６…ヘッド部側ドライブ回路
１２２、４２２…ヘッド本体部
１２２１…上ケース部材      １２２２…下ケース部材
１２２３…基端部材
１２２４…基板
１２２５…ケーブル用コネクタ
１２２６…インジケータＬＥＤ
１２２７…メモリ部
１２２８…調整回路
１２２９…固定ネジ      １２３０…固定ネジ
１２３１…連結コネクタ
１２３２…貫通孔
１２４、４２４…冷却ブロック
１２４１…固定ネジ      １２４２…固定ネジ
１２４３…基端側突出部
１２４４…連結コネクタ
１２４５…保護プレート
１２６、４２６…レンズホルダ
１２６１…光学系レンズ    １２６１Ａ…第１のレンズ    １２６１Ｂ…第１のレンズ
１２６２…スペーサ
１２６３…レンズ固定キャップ
１３０、１３０Ｄ〜Ｅ…ケーブル部
１４０…設定部
１４２…表示部
１４４、２４４…操作パネル
１４４Ａ、１４４Ｂ、１４４Ｃ、１４４Ｄ…＜、＞、∧、∨スイッチ
１４４Ｅ…エスケープスイッチ
１４４Ｆ…エンタースイッチ
１４５…チャンネル表示ランプ
１４６…紫外線照射ランプ
１４７…電源スイッチ
１４８…一括照射スイッチ
１５０、１５０Ｅ、３５０、４５０、５５０、５５０Ａ〜Ｃ…ＵＶＬＥＤ
１６０…ヘッド部接続コネクタ
１７０…個別照射ランプ
１８０、３８０…個別照射スイッチ
２９０、３９０…個別設定スイッチ
２９２…個別表示部
７１０１…外部接続機器
Ｕ…紫外線
Ｈ…固定対象
【図１】
2006188714.tif 000003
【図２】
2006188714.tif 000004
【図３】
2006188714.tif 000005
【図４】
2006188714.tif 000006
【図５】
2006188714.tif 000007
【図６】
2006188714.tif 000008
【図７】
2006188714.tif 000009
【図８】
2006188714.tif 000010
【図９】
2006188714.tif 000011
【図１０】
2006188714.tif 000012
【図１１】
2006188714.tif 000013
【図１２】
2006188714.tif 000014
【図１３】
2006188714.tif 000015
【図１４】
2006188714.tif 000016
【図１５】
2006188714.tif 000017
【図１６】
2006188714.tif 000018
【図１７】
2006188714.tif 000019
【図１８】
2006188714.tif 000020
【図１９】
2006188714.tif 000021
【図２０】
2006188714.tif 000022
【図２１】
2006188714.tif 000023
【図２２】
2006188714.tif 000024
【図２３】
2006188714.tif 000025
【図２４】
2006188714.tif 000026
【図２７】
2006188714.tif 000027
【図２８】
2006188714.tif 000028
【図２９】
2006188714.tif 000029
【図３０】
2006188714.tif 000030
【図３１】
2006188714.tif 000031
【図３２】
2006188714.tif 000032
【図３３】
2006188714.tif 000033
【図３６】
2006188714.tif 000034
【図３７】
2006188714.tif 000035
【図２５】
2006188714.tif 000036
【図２６】
2006188714.tif 000037
【図３４】
2006188714.tif 000038
【図３５】
2006188714.tif 000039
【手続補正書】
【提出日】平成18年3月11日(2006.3.11)
【手続補正１】
【補正対象書類名】特許請求の範囲
【補正対象項目名】全文
【補正方法】変更
【補正の内容】
【特許請求の範囲】
【請求項１】
紫外線硬化型樹脂を硬化可能な紫外線を照射するための紫外線照射装置であって、
紫外線を照射可能な一以上の半導体素子である紫外線源を備える複数のヘッド部(120)と、
前記複数のヘッド部(120)と各々接続可能な複数のヘッド部接続部(160)と、
前記ヘッド部(120)の紫外線源のＯＮ／ＯＦＦを制御するための制御部(114)と、
前記制御部(114)に制御される前記紫外線源に前記ヘッド部接続部(160)を介して駆動電流を供給する電源部(112)と、
を備えるコントローラ部(110)と、
前記ヘッド部(120)とコントローラ部(110)とを電気的に接続するための電気信号線を備えるケーブル部(130)と、
を備えており、
前記コントローラ部(110)はさらに、外部制御機器を接続し、該外部接続機器によって紫外線照射装置のＯＮ／ＯＦＦを各ヘッド部毎に個別に操作可能とする端子台を有する端子台基板を備えてなることを特徴とする紫外線照射装置。
【請求項２】
請求項１に記載の紫外線照射装置であって、
前記ヘッド部(120)が、前記紫外線源の駆動電流を調整するための調整回路(1228)を備えることを特徴とする紫外線照射装置。
【請求項３】
請求項２に記載の紫外線照射装置であって、
前記調整回路(1228)が、半固定抵抗を備えることを特徴とする紫外線照射装置。
【請求項４】
請求項３に記載の紫外線照射装置であって、
前記ヘッド部(120)は、前記ヘッド部(120)に内蔵される半固定抵抗を調整可能な位置に小孔を開口してなることを特徴とする紫外線照射装置。
【請求項５】
請求項１から４のいずれか一に記載の紫外線照射装置であって、
前記ヘッド部(120)が、各ヘッド部の紫外線照射のＯＮ／ＯＦＦ状態を表示するためのインジケータを備えることを特徴とする紫外線照射装置。
【請求項６】
請求項５に記載の紫外線照射装置であって、
前記半導体素子が紫外線発光ダイオード(150)であることを特徴とする紫外線照射装置。
【請求項７】
紫外線源として紫外線発光ダイオードを備えるヘッド部と、
前記ヘッド部を複数接続可能なコントローラ部と
を備える紫外線照射装置であって、
前記コントローラ部は、
接続される前記ヘッド部の紫外線照射のＯＮ／ＯＦＦのタイミングを制御可能な設定部と、
外部接続機器から各ヘッド部に対する紫外線照射のＯＮ／ＯＦＦタイミングを入力可能なインターフェースと
を有し、
前記設定部又はインターフェースのいずれかによって紫外線照射のＯＮ／ＯＦＦのタイミングを各ヘッド部毎に個別に設定可能に構成してなることを特徴とする紫外線照射装置。
【請求項８】
請求項７に記載の紫外線照射装置であって、
前記コントローラ部の設定部は、接続される前記ヘッド部の紫外線照射のＯＮ／ＯＦＦのタイミングを手動で制御する照射スイッチを有することを特徴とする紫外線照射装置。
【請求項９】
請求項８に記載の紫外線照射装置であって、
前記コントローラ部に設けられたインターフェースに、フットスイッチを接続可能であり、前記フットスイッチを前記ヘッド部の紫外線照射のＯＮ／ＯＦＦのタイミングを制御する照射スイッチとして利用可能に構成してなることを特徴とする紫外線照射装置。
【請求項１０】
請求項７から９のいずれか一に記載の紫外線照射装置であって、
前記コントローラ部の設定部は、さらに、前記ヘッド部の紫外線照射時間を設定可能であることを特徴とする紫外線照射装置。
【請求項１１】
請求項７から１０のいずれか一に記載の紫外線照射装置であって、
前記コントローラ部の設定部は、さらに、前記ヘッド部の紫外線照射出力の強度を設定可能であることを特徴とする紫外線照射装置。
【請求項１２】
請求項１１に記載の紫外線照射装置であって、
前記コントローラ部の設定部は、前記紫外線照射の照射時間並びに出力の強度を、各ヘッド部毎に個別に設定可能であることを特徴とする紫外線照射装置。
【手続補正２】
【補正対象書類名】明細書
【補正対象項目名】全文
【補正方法】変更
【補正の内容】
【発明の詳細な説明】
【技術分野】
【０００１】
本発明は、小物部品の接着等に使用される紫外線硬化型の樹脂を硬化させる紫外線を照射する紫外線照射装置に関する。
【背景技術】
【０００２】
従来より、医療分野での生体内外部の紫外線照射による殺菌、治療、分光（発光）診断や、鉱物や古墳深部の観察等の分野、あるいは電子部品の組み立て作業における紫外線硬化型の樹脂を硬化させる目的等に、紫外線照射装置が利用されている。この内、紫外線硬化型の樹脂を硬化させる紫外線照射装置は、レジスト皮膜の形成や印刷の分野から光ピックアップ等の組立工程における小物部品の接着固定の分野まで広く使用されている紫外線硬化型の樹脂に対して紫外線を照射する目的で利用される。このタイプの紫外線照射装置は、電源回路等を内蔵した装置本体であるコントローラと、紫外線を照射するヘッドと、これらを接続するケーブルとを備えている。コントローラに紫外線源である高圧水銀ランプや水銀キセノンランプを内蔵し、コントローラとヘッドを接続するケーブルに内蔵された石英ガラス等の光ファイバでヘッドまで紫外線を伝達して、ヘッドから樹脂が塗布された接着部に照射される。このような紫外線照射装置を用いた小物部品の接着固定方法の従来例が特許文献１に記載されている。また、同一のコントローラに複数のヘッドを接続して複数箇所から紫外線を照射可能な紫外線照射装置も存在する。
【０００３】
しかしながら、この紫外線照射装置は、同一の紫外線源から光路を多分岐して紫外線を各ヘッドに伝達する構造であるため、ヘッド毎に紫外線の照射条件を変更することができないという問題があった。特に、複数のヘッドが同一の出力、照射タイミングでしか照射できないため、ヘッド毎に異なる設定として作業を行うことができず、ヘッドが複数ある利点を生かした作業が行えない。ユーザが使用条件に応じて、各ヘッド毎に個別の出力、照射タイミング等を設定可能とできれば、使い勝手は飛躍的に向上するものの、従来の紫外線照射装置では同一の紫外線源を用いて紫外線を伝達するという構成上、紫外線出力や照射時間等、異なる条件を設定することは物理的に不可能であった。例えば紫外線の照射タイミングを複数のヘッド間で連動させることができず、すべてのヘッドで同じタイミングで照射開始、終了させることしかできなかった。また、照射する必要のないヘッドでも、コントローラに接続しておくだけで、他ヘッドを照射させると一緒に照射されてしまう。このため、異なる照射条件の紫外線を得るには、条件の数だけ紫外線照射装置を用意しなければならず、極めて不便であった。
【０００４】
また従来の紫外線照射装置は、紫外線源に高圧水銀ランプや水銀キセノンランプを使用しているため、発熱量及び消費電力も大きく、冷却機構が必要で装置が大型化し高価になる上、常時点灯している構造のためエネルギー消費量が大きく、ランプの寿命が短くなる欠点があった。加えて、紫外線出力の調整は機械的なシャッタで行われる構造のため、微細な調整が困難である。さらに、ランプが劣化してくるとガラスにクラックが生じることがあり、ガラス管内部に封入した高圧ガスによってガラス管が破裂する危険があるため、一定時間経過したランプは必ず交換する必要があり、ランニングコストが確実に高くなるという欠点もあった。
【０００５】
さらにまた、ケーブルに石英ガラス等の光ファイバを使用してコントローラとヘッドを接続する構造であるため、光ファイバを保護するため金属製のフレキシブルケーブル等で被覆した太いケーブルを使用する必要があり、重くて扱いづらい欠点があった。特に光ファイバは折曲角度に制限があるため、自由に折曲することができない。しかも光ファイバは長さに比例した伝送損失が生じるため、ケーブル長を長くすることができないという問題もあった。
【０００６】
本願出願人は、このような問題点を解決するものとして、紫外線源に高圧水銀ランプや水銀キセノンランプに変えて高出力の紫外線発光ダイオード（ＵＶＬＥＤ）を使用し、かつＬＥＤを本体のコントローラでなくヘッドに設けた紫外線照射装置を開発した（特願２００３−１５８９５８号、特願２００３−３１７６２２号）。これによって、各ヘッド部毎に異なる紫外線照射条件を設定できるようになり、一台の紫外線照射装置に複数台のヘッド部を接続し、それぞれ独立して使用可能となった。
【特許文献１】特開平１０−２０９４９２号公報
【発明の開示】
【発明が解決しようとする課題】
【０００７】
一方で、紫外線照射装置を外部接続機器からＯＮ／ＯＦＦを制御したい場合が生じる。本発明は、このような課題に鑑みてなされたものであり、本発明の主な目的は、複数のヘッド部を備える紫外線照射装置において、外部接続機器からのＯＮ／ＯＦＦ制御を可能とした紫外線照射装置を提供することにある。
【課題を解決するための手段及び発明の効果】
【０００８】
上記の目的を達成するために、本発明の第１の側面に係る紫外線照射装置は、紫外線硬化型樹脂を硬化可能な紫外線を照射するための紫外線照射装置であって、紫外線を照射可能な一以上の半導体素子である紫外線源を備える複数のヘッド部１２０と、複数のヘッド部１２０と各々接続可能な複数のヘッド部接続部１６０と、ヘッド部１２０の紫外線源のＯＮ／ＯＦＦを制御するための制御部１１４と、制御部１１４に制御される紫外線源にヘッド部接続部１６０を介して駆動電流を供給する電源部１１２とを備えるコントローラ部１１０と、ヘッド部１２０とコントローラ部１１０とを電気的に接続するための電気信号線を備えるケーブル部１３０とを備えており、コントローラ部１１０はさらに、外部制御機器を接続し、該外部接続機器によって紫外線照射装置のＯＮ／ＯＦＦを各ヘッド部毎に個別に操作可能とする端子台を有する端子台基板を備えている。これにより、端子台を介して外部接続機器を紫外線照射装置に接続し、外部接続機器で紫外線照射装置が発する紫外線のＯＮ／ＯＦＦを制御することができる。
【０００９】
また半導体素子は高圧水銀ランプや水銀キセノンランプと異なり、ＯＮ／ＯＦＦを繰り返しても寿命が低下しづらく、加えて直ぐに安定した照度を得ることができるので、常時点灯させずとも必要時のみＯＮすることで消費電力を抑制でき、さらに素子自体の寿命も長く使用できる。またランニングコストの低減に大きく寄与すると共に、小型で発熱量も少ないため、紫外線照射装置を小型化できる等優れた利点を備える。
【００１０】
また、本発明の第２の側面に係る紫外線照射装置は、ヘッド部１２０が、紫外線源の駆動電流を調整するための調整回路１２２８を備える。これにより、紫外線源の経時劣化による駆動電流の変動を調整して、正確な出力制御を維持できる。
【００１１】
さらに、本発明の第３の側面に係る紫外線照射装置は、調整回路１２２８が、半固定抵抗を備える。
【００１２】
さらにまた、本発明の第４の側面に係る紫外線照射装置は、ヘッド部１２０は、ヘッド部１２０に内蔵される半固定抵抗を調整可能な位置に小孔を開口している。これにより、小孔から工具等を挿入し、半固定抵抗を操作して抵抗値を調整することができ、意図しない半固定抵抗の操作によって駆動電流が変更される事態を回避しつつ、必要時に抵抗値の調整を可能とできる。
【００１３】
さらにまた、本発明の第５の側面に係る紫外線照射装置は、ヘッド部１２０が、各ヘッド部の紫外線照射のＯＮ／ＯＦＦ状態を表示するためのインジケータを備える。これにより、ヘッド部毎に紫外線照射のＯＮ／ＯＦＦをユーザの手元などで容易に確認できる。
【００１４】
さらにまた、本発明の第６の側面に係る紫外線照射装置は、半導体素子が紫外線発光ダイオード１５０である。この構成によって、小型で低消費電力の紫外線発光ダイオード１５０を利用して紫外線照射装置の小型化、低消費電力化、長寿命化、ランニングコストの低減等に寄与し得る。特に発光ダイオードは機械的衝撃にも強く、安価で利用しやすい。
【００１５】
さらにまた、本発明の第７の側面に係る紫外線照射装置は、紫外線源として紫外線発光ダイオードを備えるヘッド部と、ヘッド部を複数接続可能なコントローラ部とを備える紫外線照射装置であって、コントローラ部は、接続されるヘッド部の紫外線照射のＯＮ／ＯＦＦのタイミングを制御可能な設定部と、外部接続機器から各ヘッド部に対する紫外線照射のＯＮ／ＯＦＦタイミングを入力可能なインターフェースとを有し、設定部又はインターフェースのいずれかによって紫外線照射のＯＮ／ＯＦＦのタイミングを各ヘッド部毎に個別に設定可能に構成している。これにより、紫外線照射のＯＮ／ＯＦＦ制御を紫外線照射装置本体側のみならず、外部接続機器からも制御可能として、利便性を高めている。
【００１６】
さらにまた、本発明の第８の側面に係る紫外線照射装置は、コントローラ部の設定部が、接続されるヘッド部の紫外線照射のＯＮ／ＯＦＦのタイミングを手動で制御する照射スイッチを有する。これにより、ユーザは照射スイッチを操作して手動で紫外線照射の開始／停止を指示できる。
【００１７】
さらにまた、本発明の第９の側面に係る紫外線照射装置は、コントローラ部に設けられたインターフェースに、フットスイッチを接続可能であり、フットスイッチをヘッド部の紫外線照射のＯＮ／ＯＦＦのタイミングを制御する照射スイッチとして利用可能に構成している。これにより、ユーザは足でも紫外線照射の開始／停止を指示できる。
【００１８】
さらにまた、本発明の第１０の側面に係る紫外線照射装置は、コントローラ部の設定部は、さらに、ヘッド部の紫外線照射時間を設定可能である。
【００１９】
さらにまた、本発明の第１１の側面に係る紫外線照射装置は、コントローラ部の設定部は、さらに、ヘッド部の紫外線照射出力の強度を設定可能である。
【００２０】
さらにまた、本発明の第１２の側面に係る紫外線照射装置は、コントローラ部の設定部は、紫外線照射の照射時間並びに出力の強度を、各ヘッド部毎に個別に設定可能である。このようにヘッド部毎に個別に紫外線照射の条件を設定可能とすることで、各ヘッド部に異なる条件を設定してあたかも複数の紫外線照射装置の如く使用することができる。また、外部接続機器から各ヘッド部毎の紫外線照射を制御可能とすることで、さらに運用の柔軟性を高めることもできる。
【発明を実施するための最良の形態】
【００２１】
以下、本発明の実施の形態を図面に基づいて説明する。ただし、以下に示す実施の形態は、本発明の技術思想を具体化するための紫外線照射装置を例示するものであって、本発明は紫外線照射装置を以下のものに特定しない。
【００２２】
さらに、本明細書は、特許請求の範囲を理解し易いように、実施の形態に示される部材に対応する番号を、「特許請求の範囲の欄」、および「課題を解決するための手段の欄」に示される部材に付記している。ただ、特許請求の範囲に示される部材を、実施の形態の部材に特定するものでは決してない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２３】
［実施の形態１］
図１に、本発明の実施の形態１に係る紫外線照射装置のブロック図を示す。この図に示す紫外線照射装置１００は、コントローラ部１１０とヘッド部１２０とがケーブル部１３０で接続される。ヘッド部１２０には、紫外線硬化型樹脂を硬化させるための紫外線を発する紫外線源としてＵＶＬＥＤ１５０が内蔵されている。コントローラ部１１０は、ヘッド部１２０の紫外線源を駆動するための電源部１１２及び制御部１１４、記憶部１１６を備え、ケーブル部１３０を介して紫外線源の駆動信号（電気信号）をヘッド部１２０に送信する。
【００２４】
また紫外線照射装置は、紫外線照射条件を設定する設定モードと、実際に紫外線を照射する照射モードとを切替可能である。設定モードにおいて設定部１４０（後述）で設定された紫外線照射条件は、記憶部１１６に保存される。設定部１４０は、複数の紫外線照射条件を設定して記憶部１１６に保存する。照射モード時に制御部１１４が記憶部１１６から必要な紫外線照射条件設定を呼び出し、この設定に従って制御部１１４は電源部１１２からヘッド部１２０に駆動電流を供給し、ヘッド部１２０の紫外線源を制御する。紫外線照射条件は、各ヘッド部毎に独立して設定可能である。
【００２５】
コントローラ部１１０は、ヘッド部１２０を接続するためのヘッド部接続部１６０を複数設けている。各ヘッド部接続部１６０は、それぞれ固有のチャンネル番号を割り当てられており、チャンネル番号によって他のヘッド部接続部と区別される。図１の例では、チャンネル１〜４の４チャンネルのヘッド部接続１６０が設けられており、各ヘッド部接続部１６０にはヘッド部１２０が接続される。
【００２６】
各ヘッド部１２０は、コントローラ部から駆動電流を受けて紫外線源を動作させ、紫外線Ｕを外部に照射する。さらにヘッド部１２０は、図１に示すように各ヘッド部１２０をチャンネル毎に区別する識別情報を表示可能な識別部１２１を設けている。識別情報は、チャンネル番号に関する情報を表示することで、ユーザがヘッド部毎に割り当てられたチャンネル番号を理解し、これによって複数のヘッド部を相互に区別する。識別情報の表示は、後述するように直接的にチャンネル番号を表示する他、複数の点灯の組み合わせや点灯パターン等が利用できる。したがって、ここでいう表示には、数字や文字情報の表示のみならず、点灯による情報表示も含む。また点灯には、連続的な灯火表示の他、点滅や強弱を付けた点灯表示も含む。
【００２７】
ヘッド部１２０の識別を行うときは、紫外線照射装置に対して識別動作の実行をコントローラ部１１０の設定部１４０から指示する。識別動作が指示されると、コントローラ部１１０の制御部１１４は識別信号を生成し、ヘッド部１２０側に送出する。ヘッド部１２０は、識別信号を受けると識別部１２１に識別情報を表示する。ユーザはヘッド部１２０の識別部１２１に表示される識別情報を見てチャンネル番号を把握し、これに基づいてヘッド部１２０を区別できる。
【００２８】
（識別部１２１）
識別部１２１は、識別情報を示すための表示を行う部材であり、点灯部１２１１を備える。点灯部１２１１は発光素子で構成され、例えば電球や半導体発光素子が使用できる。好適にはＬＥＤが使用される。
【００２９】
図２〜図４に、点灯部１２１１を設けた識別部１２１の例を示す。図２に示すヘッド部１２０Ａは、紫外線照射のＯＮ／ＯＦＦ状態を表示するインジケータと、識別部１２１Ａとして、各々のチャンネル番号に対応した点灯部１２１１を備えている。ヘッド部１２０Ａは、コントローラ部から識別信号を受信すると、自身のチャンネル番号に対応する点灯部１２１１を表示させる。いずれの点灯部１２１１を表示させるかの制御は、識別情報を受け取ったヘッド部側で行う方法や、コントローラ部側でヘッド部のどの点灯部を点灯させるという情報を識別情報に含ませて送出する方法のいずれも採用できる。チャンネル番号の数だけ点灯部を設けることにより、チャンネル番号をダイレクトに表示でき、チャンネル番号の理解が容易となる。図２の例では、４チャンネルの表示のためにＣＨ１〜４の点灯部１２１１を設けている。
【００３０】
図３の例では、本発明の実施の形態２に係るヘッド部１２０Ｂとして、４チャンネルの表示に対して識別部１２１Ｂとして点灯部１２１１をＡ、Ｂの２個設けている。２個の点灯部１２１１Ａ、Ｂの表示を組み合わせることで、４通りのパターンを表示可能である。すなわち、点灯部１２１１Ａおよび点灯部１２１１Ｂの消灯でチャンネル１を、点灯部１２１１Ａの消灯および点灯部１２１１Ｂの点灯でチャンネル２を、点灯部１２１１Ａの点灯および点灯部１２１１Ｂの消灯でチャンネル３を、点灯部１２１１Ａおよび点灯部１２１１Ｂの点灯でチャンネル４を、それぞれ表示する。このように、チャンネル数だけ点灯部を設けなくとも、少ない部品点数でより多くのチャンネル数を表現できる。
【００３１】
また、各点灯部は点灯、消灯の２パターンを表示する他、発光色や発光強度を変化させることにより２パターン、あるいは３パターン以上を表現することも可能である。これらのパターンを組み合わせることで、少ない点灯部でさらに多くのチャンネル数を表現できる。点灯部にＬＥＤを使用する場合は、ＬＥＤの駆動電流を調整することで発光強度の強弱を容易に実現できる。また、多色に発光可能なＬＥＤは２色あるいは３色のＬＥＤを組み合わせることで、各色のＬＥＤを組み合わせて発光色を変化できる。
【００３２】
なお、点灯部１２１１Ａ、Ｂの組み合わせとチャンネル番号の対応表は、説明書に添付する他、ヘッド部１２０Ｂやコントローラ部の表面に表記しておいても良い。対応表を参照することで、ユーザはチャンネル番号を速やかに理解できる。
【００３３】
また、本発明の実施の形態３に係るヘッド部ヘッド部１２０Ｃを示す図４の例では、識別部１２１Ｃを構成する点灯部１２１１Ｃを１個としている。この場合は、点灯部１２１１Ｃの点滅パターンによりチャンネル番号を表示する。各ヘッド部１２０Ｃは、コントローラ部から識別信号を受信すると、割り当てられたチャンネル番号に応じて図５のようなパターンで点滅する。図５は、識別部１２１Ｃに送出されるパルスのパターンを示している。すなわち、チャンネル１の場合は１回、チャンネル２の場合は２回、・・・というように、チャンネル番号に応じた数だけ点滅を周期的に繰り返す。点灯の周期Ｔ１は、点滅の間隔Ｔ２よりも十分長くする。例えば点灯パルスの間隔Ｔ１を４００ｍｓ、点灯の周期Ｔ２を４ｓとする。これによってユーザは、各ヘッド部の識別部１２１が点滅する回数をカウントすることにより、チャンネル番号を認識できる。この例では点灯部が１個で済むので、部品点数をさらに削減できる。
【００３４】
また、点滅に変わって点灯部の発光強度の強弱でも表現できる。すなわち、フラッシングがユーザに把握できる程度であれば、点灯部を完全に消灯する必要はなく、わずかに点灯させても良い。点滅表示は、点灯部の表示を２段階に区別できれば足りる。
【００３５】
識別動作の開始命令は、コントローラ部１１０の設定部１４０から行う。ただ、各ヘッド部側に識別動作実行スイッチを設けて、識別動作実行スイッチを操作することで、このヘッド部の識別部に、該ヘッド部の接続されたヘッド部接続部に割り当てられたチャンネル番号を表示するように構成してもよい。また識別動作の終了は、別途ユーザが終了を指示を入力する他、識別動作の開始から所定の時間経過後に自動的に終了するように構成してもよい。例えば識別動作を実行後１５秒後、あるいは識別情報の表示を５回繰り返した後に、識別動作を自動的に終了する。
【００３６】
さらにまた、識別情報の表示は、すべてのヘッド部に対して実行することも、特定のヘッド部に対して行うこともできる。すべてのヘッド部に対して実行する場合は、設定部から識別動作実行命令を指示すると、すべてのヘッド部の表示部で識別情報が一斉に表示される。この方法では、一度の操作ですべてのヘッド部が区別できるので、操作が簡単であるという利点がある。
【００３７】
また、特定のヘッド部に対して識別情報を表示させる場合、例えば設定部から識別動作の実行と共に、所望のヘッド部が接続されたヘッド部接続部のチャンネル番号を入力する。これによって、該当するヘッド部の識別部のみが識別情報を表示する。この方法は、識別したいヘッド部の数だけ動作を繰り返す必要がある反面、判別したいヘッド部のみが識別情報の表示を行うため、識別部が動作しているヘッド部のみを探せば足り、判別しやすい利点もある。特にこの方法では、ヘッド部の識別部を他と区別する必要がないので、識別部の表示を簡単にできる。例えば該当するヘッド部の識別部のみを点灯あるいは点滅させ、他の識別部は消灯させる、又はブザーやビープ音を鳴動させる、あるいは点滅と音の組み合わせることで、所望のヘッド部を検知できる。
【００３８】
あるいはまた、識別動作を命令すると、各ヘッド部が同時に識別情報を表示するのでなく、順次識別情報を表示していくようにヘッド部毎に切り替わるよう構成することもできる。例えば、チャンネル番号の少ない順に、該当するヘッド部の識別部を所定の時間点灯あるいは点滅させた後、次のチャンネル番号に相当するヘッド部で同様に識別部を点灯あるいは点滅させ、すべてのヘッド部で識別情報の表示を循環させる、あるいは周期的に繰り返す。このとき、各識別部は単に点滅させる他、図５のパターンでチャンネル番号を判別できるように点滅させることができる。この方法であれば、一回の指定ですべての識別部での識別が実行されると共に、識別部の動作は一度に一台のみであるため、各々の判別が容易となる。
【００３９】
図６は、識別部１２１Ｄのさらに別の例として、本発明の実施の形態４に係るヘッド部１２０Ｄとして、点灯部に変わって識別情報表示部１２１２を設けた例を示している。識別情報表示部１２１２は、例えば７セグメント表示器や液晶表示器とする。これにより、チャンネル番号を直接数字で表現でき、ユーザはチャンネル番号を直ちに把握できる。図６の例では１桁の７セグメント表示器を備えている。７セグメント表示器は、数字を利用すれば１桁でも０〜９の１０チャンネル分を表現できる。またアルファベットを組み合わせることで、１６通り等さらに多くのチャンネル数を表現できるようになる。
【００４０】
なお識別情報表示部は、後述する個別表示部と併用することもできる。これによって表示部を共通化して部品点数およびコストを削減できる。
【００４１】
以上の識別部は、紫外線照射装置に接続可能なヘッド数に応じて、識別部の表示桁数を増減する。
【００４２】
さらに識別部は、識別情報の表示手段を点灯部に限定しない。例えば、回転、移動する針でチャンネル番号を指し示す方法や、レベルメータ状の識別部として指示部がスライドしてチャンネル番号を示す方法、ダイヤル数字が回転する方法等、スピーカ等の発音部材を設けてビープ音の回数や音声でチャンネル番号を発音する等、音を使用する方法といった種々の方法やこれらの組み合わせが利用できる。またチャンネル番号の数字を表示するに際しても、上述した７セグメント表示器によるデジタル表示の他、アラビア数字、ローマ数字、二進数や二進化十進法による表示、アルファベットや漢数字による表示、あるいは点灯部が表示する個数でチャンネル番号を表示したりする方法も採用できる。このように、本発明においてはチャンネル数字を表示可能な既存の、あるいは将来開発される方法が識別情報の表示手段として利用可能である。
【００４３】
なお、すべてのヘッド部に識別部を設ける必要はなく、例えば２台のヘッド部を紫外線照射装置に接続している場合は、一方のヘッド部のみに識別部を設け、このヘッド部を識別可能とすれば、他方のヘッド部との区別が可能となる。あるいは、識別を行いたい特定のヘッド部のみに識別部を設ける。例えば、２台のヘッド部を同じ紫外線照射条件で使用しており、別の２台を異なる条件で使用している場合、異なる条件を設定した２台のヘッド部のみに識別部を設けても良い。言い換えると、識別の必要がないヘッド部からは識別部を省略することも可能である。
【００４４】
さらにまた、識別部は点灯部のような部材を設けることなく、既存の点灯部材を利用して実現することも可能である。
【００４５】
まず図７に示す本発明の実施の形態５に係るヘッド部１２０は、紫外線照射のＯＮ／ＯＦＦを示すインジケータを識別部１２１と兼用している。インジケータは、紫外線を照射中であることをユーザに警告するエミッションランプ、あるいは電源が入っていることを示すパイロットランプであり、この例ではＬＥＤを使用している。このインジケータＬＥＤ１２２６を使用して、上述した図５のパルスによる点滅をさせることにより、識別部１２１として機能させることができる。あるいは、上述の通りコントローラ部から特定のチャンネル番号を指示すると、該当するヘッド部のインジケータＬＥＤのみを点灯あるいは点滅させ、他のインジケータＬＥＤは消灯させることで、所望のヘッド部を区別できる。あるいはまた、上述の通り順次各ヘッド部のインジケータＬＥＤを点灯あるいは点滅させることでも区別できる。この方法は、新たなハードウェアを設ける必要がないので、従来の構成を利用して識別機能を付加することができる。またインジケータＬＥＤは高輝度のＬＥＤが使用されることが多いため、判別しやすいというメリットも得られる。
【００４６】
あるいは、インジケータＬＥＤを、インジケータとしての利用時と、識別部としての利用時で発光色を変えても良い。例えば、インジケータとして利用する場合は緑色で発光し、識別情報を表示しているときは赤色で表示する。これによって、識別情報の表示中であることがユーザに把握できるようにする。
【００４７】
さらに、紫外線源自体で識別することもできる。紫外線源が可視光を含む場合、この可視光を利用して点滅させることにより、ヘッド部を区別できる。特に紫外線源として発光ダイオードを使用する場合、発光ダイオードの発光スペクトルはブロードな傾向にあるため、十分な可視光域を含んでいる。そこで、紫外線源自体を上記インジケータＬＥＤと同様の方法で点灯や点滅させたり、該当するチャンネル番号のヘッド部のみを点灯させることによって、ユーザは紫外線源に含まれた可視光からヘッド部を相互に区別できる。この際、ユーザの目を紫外線から保護するために、紫外用ゴーグルを着用した方が好ましい。
【００４８】
この方法も、余分な部材を設けなくとも既存の構成で実現でき、部品点数を低減できるメリットに加えて、識別部の視認性に問題がある場合に好適に利用できる。即ち、ヘッド部は何らかの方法で固定されて使用されることが多いので、この場合にヘッド部に識別部を設けると、ヘッド部の固定部材が識別部を覆ってしまったり、あるいは設置場所や角度によってはユーザ側から見え難い位置に識別部が位置する場合があり得る。このような場合であっても、紫外線が照射される領域は必ず視認できる位置となるように通常は位置されるため、この紫外線に含まれる可視光を利用して識別を行う方法であれば、識別情報が確実に視認できるという利点が得られる。
【００４９】
［回路構成例］
次に、上記の構成を実現する紫外線照射装置のブロック図の例を、図８〜図１１に基づいて説明する。図８は、識別部１２１が複数の点灯部１２１１で構成されるヘッド部１２０Ａを採用した図２の例において、識別部１２１を駆動する駆動回路を示すブロック図である。この図に示すように、コントローラ部１１０の制御部１１４は、識別動作の実行時に検出したいヘッド部用の識別信号を生成し、出力ポートからドライブ回路１１８を介してヘッド部１２０Ａに送出する。制御部１１４は、ソフトウェア的に点灯パターンを生成する識別信号を生成して送出する。この例では、点灯部１２１１として４つの点灯部ＬＥＤを備えているので、制御部１１４は各点灯部ＬＥＤ用の識別信号を各々生成している。点灯部ＬＥＤは、抵抗を介して定電圧源と接続されている。またケーブル部１３０を介して送信される識別信号の接続方式はパラレルとして各点灯部ＬＥＤを直接駆動している。もちろん、パラレル接続に限られずシリアル接続も採用できる。
【００５０】
なおこの例では、ヘッド部１２０Ａを一台のみ接続した構成を示しているが、複数台のヘッド部を接続する場合は、制御部１１４からの出力を台数分、すなわちヘッド部接続部１６０の数だけパラレルに接続すればよい。また制御部１１４は、後述するようにＭＰＵやＣＰＵ等で構成される。
【００５１】
上記の図８は、図２のヘッド部１２０Ａを実現する構成例であるが、図３や図４についても同様の構成で実現できる。点灯部ＬＥＤの数と、各点灯部ＬＥＤの駆動信号を対応する組み合わせや点灯パターンを実行するための信号に変更することで、図３や図４の構成が実現される。
【００５２】
また図９は、識別部１２１Ｄに識別情報表示部１２１２を設けた図６のヘッド部１２０Ｄにおいて、識別部１２１Ｄを駆動する駆動回路を示すブロック図である。図６の構成では、７セグメント表示器等でチャンネル信号を詳細に表示するために、識別情報が多くなる傾向にあり、多くのデータを識別情報表示部１２１２に送信するためパラレル接続に変えてシリアル接続を採用している。まず制御部１１４Ｄは該当するヘッド部１２０Ｄに送出するための識別信号を生成し、ドライブ回路１１８Ｄに対してシリアル転送する。したがって制御部１１４Ｄはデータ信号線とクロック信号線とを介してドライブ回路１１８Ｄに識別信号を送信する。ドライブ回路１１８Ｄは同様に識別信号データをシリアルのまま、ケーブル部１３０Ｄを介してヘッド部１２０Ｄに送出する。一方、ヘッド部１２０Ｄはシリアル／パラレル変換部１２０４およびヘッド部側ドライブ回路１２０６を備えている。ヘッド部１２０Ｄは、コントローラ部１１０Ｄから受けたシリアル信号をシリアル／パラレル変換部１２０４でパラレル信号に変換し、ヘッド部側ドライブ回路１２０６でこのパラレル信号に基づき識別情報表示部１２１２にチャンネル番号等を表示する。
【００５３】
さらに図１０は、図７に対応するインジケータを識別部１２１と併用したヘッド部１２０において、識別部１２１を駆動する駆動回路を示すブロック図である。図１０では、本来インジケータＬＥＤ１２２６を駆動するためのドライブ回路１１８を備えているため、この回路構成をそのまま利用し、制御部１１４からインジケータＬＥＤ１２２６を識別部１２１として駆動するための駆動信号を生成して、ドライブ回路１１８を介してヘッド部１２０のインジケータＬＥＤ１２２６を駆動する。図１０の例では、制御部１１４が識別信号を生成して出力ポートからドライブ回路１１８に送出し、ドライブ回路１１８は識別信号に基づきインジケータＬＥＤ１２２６を駆動する駆動電流を、ケーブル部１３０を介してインジケータＬＥＤ１２２６に供給して点灯制御する。この回路は、既存の回路構成をほぼそのまま利用できるため、回路をシンプルに構成できる利点がある。なお図１０の例では、インジケータＬＥＤ１２２６としてＬＥＤを２個使用しているが、後述のように１個のＬＥＤや３個以上のＬＥＤとしても良いことはいうまでもない。
【００５４】
さらにまた図１１では、外観上は図７のヘッド部１２０と同一であるが、インジケータでなく紫外線源の可視光をヘッド部の識別部１２１Ｅとして利用する構成を実現する回路例を示している。この構成のヘッド部１２０Ｅにおいても、本来的に紫外線源であるＵＶＬＥＤ１５０Ｅを駆動制御する回路構成を紫外線照射装置が備えているため、これをほぼそのまま利用できる。図１１の例では、コントローラ部１１０Ｅの制御部１１４Ｅで生成したデジタル信号である識別信号をＤ／Ａ変換部１１９でアナログ信号に変換し、ＵＶＬＥＤ１５０Ｅを駆動する電源部の一態様である定電流回路１１２１に入力する。定電流回路１１２１は、アナログ信号に基づいてＵＶＬＥＤ１５０Ｅに所定の駆動電流をケーブル部１３０Ｅを介して供給し、ＵＶＬＥＤ１５０Ｅを点灯駆動する。このとき、所定の駆動電流として、高い電流値と低い電流値を設定し、これらを交互に繰り返し送出すると、点滅するパターンが得られる。
【００５５】
（紫外線源）
紫外線源である半導体素子には、発光ダイオード（ＬＥＤ）や半導体レーザ（ＬＤ）等の半導体発光素子が利用できる。これらの半導体素子は水銀キセノンランプ等に比して小型で高効率であり発熱量も少なく、長寿命で機械的振動にも強いといった優れた特長を備えており、理想的に使用できる。本実施の形態においては、半導体素子として直接紫外光を照射する紫外線発光ダイオード（ＵＶＬＥＤ）を使用する。ＵＶＬＥＤは、例えば活性層（発光層）に一般式がＩｎｘＡｌｙＧａ１−ｘ−ｙＮ（０≦ｘ、０≦ｙ、ｘ＋ｙ≦１）で表される窒化物系化合物半導体を使用したものが利用できる。また発光層にはダブルへテロ構造や単一量子井戸構造（ＳＱＷ）、多重量子井戸構造（ＭＱＷ）等を適宜採用できる。なお、紫外線を直接照射するＵＶＬＥＤに限られず、例えば波長変換素子等を使ってＬＥＤの照射光を紫外光に変換する構成も適宜採用できることは言うまでもない。
【００５６】
ＵＶＬＥＤは必要時のみ点灯し、言い換えると常時点灯させないことで、電力消費を抑え、ＵＶＬＥＤの寿命を長くできる。ただ、従来の高圧水銀ランプ等と同様に、ＵＶＬＥＤを常時点灯させ、シャッタを機械的に動作させて紫外線出力をＯＮ／ＯＦＦさせる構成も採用は可能である。
【００５７】
半導体素子から出力される紫外線の波長としては、３００〜４００ｎｍ近傍、例えば波長３８０ｎｍ付近の近紫外線が利用でき、使用される紫外線硬化型樹脂に応じて波長が決定される。紫外線硬化型樹脂としては、例えば脂環式エポキシ樹脂、グリシジル基含有エポキシ樹脂を含むエポキシ樹脂、紫外線活性化カチオン重合触媒、並びにカチオン重合抑制剤等を含む紫外線活性化型接着剤等が利用できるが、本発明で使用される紫外線波長や使用目的、用途は、これらに限定されるものでない。
【００５８】
（ケーブル部１３０）
ケーブル部１３０は電源線と信号線を束ねたワイヤーハーネスが使用される。このケーブル部１３０は、光ファイバ等の光路を含まないシンプルな電気信号線であるため、折曲角の制限や光減衰等に起因する全長の制約を受けず、従来の紫外線照射装置で使用されていたフレキシブルケーブルに比して細くて軽くでき、柔軟性が高く取り扱いが極めて容易となる。また全長の制約もなく、長くすることもできる。このため複数台のヘッド部１２０に異なる紫外線照射条件を設定して使用する際、ケーブルを延長して一台の紫外線照射装置に接続できるので、システムの設計や配置にも柔軟に対応できる。
【００５９】
（ヘッド部１２０）
以下、本発明の各実施の形態に係る紫外線照射装置のヘッド部１２０として、実施の形態５に係るヘッド部の外観を、図１２〜図１５に示す。図１２（ａ）はヘッド部１２０の正面図であり、図１２（ｂ）は内部構造を示す部分断面図である。また図１３〜図１５は、ヘッド部１２０の分解図であり、図１３は上方から見た分解斜視図を、図１４は図１３と逆の下方から見た分解斜視図を、図１５は図１４の連結コネクタ１２３１、１２４４を各々連結した状態を示す斜視図を、それぞれ示す。これらの図に示すヘッド部１２０は、基端側にケーブル部１３０が接続されたヘッド本体部１２２と、その先端側に着脱自在に結合した冷却ブロック１２４と、その先端側に着脱自在に結合した交換可能なレンズホルダ１２６とを備えている。ヘッド本体部１２２はユーザが把持できる程度の大きさとし、図１３に示すように、上下に分かれるケース部材１２２１及び１２２２と、基端部材１２２３とが組み合わされた中空箱形のケースを備え、その内部に基板１２２４が収容されている。基端部材１２２３にはケーブル部１３０が接続されるケーブル用コネクタ１２２５が取り付けられ、ケーブル用コネクタ１２２５を介してケーブル部１３０と基板１２２４が電気的に接続される。
【００６０】
基板１２２４は、ケーブル部１３０から受けた駆動電流をＵＶＬＥＤ１５０に供給して駆動制御するための電子部品を備える。基板１２２４上には、紫外線照射のＯＮ／ＯＦＦ状態を表示するインジケータとして、インジケータＬＥＤ１２２６が実装されている。図１３の例では、インジケータＬＥＤ１２２６を２つ配置して光量を増している。ただ、インジケータとして要求される光量や高輝度のＬＥＤを使用することにより、１のＬＥＤでも良いことは言うまでもない。また、３以上のＬＥＤとすることもできる。
【００６１】
基板１２２４上には、コントローラ部１１０の制御部１１４で生成された駆動信号を受けて、ＵＶＬＥＤ１５０に駆動電流を供給するための各種電子部品や、メモリ部１２２７、調整回路１２２８等が実装されている。メモリ部１２２７は、ヘッド部１２０の稼働時間を記憶し、またＵＶＬＥＤ１５０の初期特性を記録するため等に使用され、不揮発性メモリであるＥＥＰＲＯＭが好適に利用できる。
【００６２】
（ＵＶＬＥＤ１５０の調整作業）
ＵＶＬＥＤ１５０等の半導体素子は、駆動電流に対する出力のリニアリティが良いが、使用時間と共に出力が低下する傾向にある。従って、経時劣化による出力の変動を考慮して、駆動電流を調整することにより、正確な出力制御を維持できる。駆動電流の調整は、図１２（ｂ）等に示すような半固定抵抗（電流調整用トリマ）等の調整回路１２２８によって、各ヘッド部１２０毎に行う。なお図１２（ｂ）の例では、調整回路１２２８を構成する半固定抵抗はヘッド部１２０内の基板に実装して外部から調整できないよう構成しており、これによって意図しない半固定抵抗の操作によって駆動電流が変更される事態を回避している。ただ、外部から駆動電流の調整作業を行えるような構成を採用することも可能である。例えば、特殊な形状の工具で抵抗値を調整できるようにする、あるいは小さな孔をヘッド部１２０のケースに開口して、この孔から抵抗値を調整可能とする、あるいはまたコントローラ部１１０やヘッド部１２０に設けられた個別設定スイッチの長押し等、特定の操作により調整回路１２２８の調整機能を呼び出せるようにする等の方法が採用できる。
【００６３】
このような駆動電流の調整を定期的に行うため、各ヘッド部１２０の使用時間が一定時間に達する毎に、ユーザに報告し、駆動電流の調整作業を促す。各ヘッド部１２０に設けられたメモリ部１２２７は、ＵＶＬＥＤ１５０の駆動時間の積算値、すなわち駆動積算時間を更新記憶する。コントローラ部１１０の制御部１１４は、Ｄ／Ａ変換器及びドライブ回路１１８等を介してヘッド部１２０のＵＶＬＥＤ１５０の駆動を制御すると共に、その駆動時間の積算値をヘッド部１２０のメモリ部１２２７に書き込む。この書き込み（更新記憶）は、所定時間ごと（例えば１分ごと）に行われる。そして、制御部１１４は、メモリ部１２２７から読み出した駆動積算時間が所定の要調整時間に達すれば、ＵＶＬＥＤ１５０の調整作業を行うよう報知出力を行う。報知出力として、例えばＬＥＤの点滅表示やブザー鳴動等が使用される。あるいは、コントローラ部１１０にメッセージ表示可能な表示器が備えられている場合は、それを用いてＵＶＬＥＤ１５０の調整作業を促すメッセージの表示を行ってもよい。ユーザは報知出力によって調整作業が必要な時期に達したことを把握し、上述の通り調整回路１２２８を使って電流補正を行う。例えば、基準となる駆動電流に対する出力の低下分を考慮し、駆動電流が多くなるように調整する。
【００６４】
さらに、駆動積算時間がＵＶＬＥＤ１５０の寿命に達すると、ＵＶＬＥＤ１５０の交換を促す報知出力を行うようにしても良い。
【００６５】
またメモリ部１２２７は、ＵＶＬＥＤ１５０の初期特性に関するデータを記憶して、駆動電流の調整にも利用できる。一般にＵＶＬＥＤ１５０の初期輝度には個体差（ばらつき）があるため、通常はＵＶＬＥＤ１５０のヘッド部１２０側の駆動回路に初期輝度調整回路１２２８が必要となる。初期輝度調整回路には、半固定抵抗等が利用され、例えば図１２（ｂ）に示す調整回路１２２８を併用できる。そして、ヘッド部１２０毎に紫外線照射パワーが所定値となるように、各々のヘッド部１２０で初期輝度調整回路により初期調整を行う必要がある。
【００６６】
実施の形態５の紫外線照射装置では、各ヘッド部１２０に実装されたＵＶＬＥＤ１５０の予め測定された初期輝度に関する初期特性データをメモリ部１２２７に記憶させておくことにより、上記のような初期輝度調整回路やこれを用いた初期調整作業が不要になる。つまり、制御部１１４がメモリ部１２２７から初期特性データを読み出し、初期特性データに応じた適切な基本駆動電流（正確にはそれに対応するデジタル値）を決定する。
【００６７】
制御部１１４から出力される駆動電流に対応するデジタル値は、Ｄ／Ａ変換器でアナログ電圧に変換され、ドライブ回路１１８に与えられる。ドライブ回路１１８は、与えられたアナログ電圧に対応する駆動電流でヘッド部１２０のＵＶＬＥＤ１５０を駆動する。なお、この駆動電流は、設定部１４０によって増減調節することができるので、これによって紫外線照射出力を調整できる。
【００６８】
以上のように、ヘッド部１２０側にメモリ部１２２７を設けることで、ヘッド部１２０に備えられたＵＶＬＥＤ１５０の特性に応じた正確な調整が実現できる。例えば、ヘッド部１２０を接続するコントローラ部１１０のヘッド部接続部の一形態であるヘッド部接続コネクタ１６０のチャンネルを一意的に固定する場合は、コントローラ部１１０側にメモリ部を設けても上記のような調整は可能である。コントローラ部１１０側のメモリ部がチャンネル毎に駆動積算時間や初期特性データを記憶できるからである。ただ、ヘッド部１２０の接続先のチャンネルが変更される場合は、上記の方法では対応できず、必ずヘッド部１２０毎に接続先の紫外線照射装置及びそのチャンネル番号を何らかの手段でユーザ側が記憶しておく必要があり、手間がかかって使い勝手が悪くなる。従って、上記のようにヘッド部１２０側にメモリ部１２２７を設けることで、いずれの紫外線照射装置のいずれのチャンネル番号にヘッド部１２０が接続されても、ヘッド部１２０の特性に応じた正確な駆動電流調整が実現され、使い勝手も向上する。
【００６９】
（冷却ブロック１２４）
なお、紫外線を発するＵＶＬＥＤ１５０は通常の可視光を発するＬＥＤに比べて自己発熱が大きい傾向にあるので、安定して長期間使用できるよう放熱機構をヘッド部１２０に設けることが好ましい。図１２〜図１５に示す例では、ＵＶＬＥＤ１５０を冷却ブロック１２４に接続している。冷却ブロック１２４はＵＶＬＥＤ１５０の動作時の発熱を冷却するヒートシンクとして機能し、アルミニウム等熱伝導の良い金属で構成される。冷却ブロック１２４の先端面にＵＶＬＥＤ１５０が密着固定されている。図１６は、冷却ブロック１２４の先端面にＵＶＬＥＤ１５０を密着固定する様子を示す図である。この図に示すように、３本の固定ネジ１２４１によってＵＶＬＥＤ１５０が冷却ブロック１２４の先端面に密着するように固定される。
【００７０】
（レンズホルダ１２６）
レンズホルダ１２６には、ＵＶＬＥＤ１５０から発した紫外線を集光するための１又は複数の光学系レンズ１２６１が収容されている。図１７は、レンズホルダ１２６とその内部構造例を示す分解図である。この例では、レンズを２枚構成として第１のレンズ１２６１Ａと第２のレンズ１２６１Ｂがスペーサ１２６２とレンズ固定キャップ１２６３によって、レンズホルダ１２６の内部に固定されている。レンズは１枚で構成することもできるが、屈折率の関係から１枚のレンズではレンズサイズが大きくなる傾向がある。そこで本実施の形態５では、光学系レンズ１２６１を２枚使用して第１のレンズ１２６１Ａと第２のレンズ１２６１ＢでＵＶＬＥＤ１５０からの紫外線を外部に照射する構造とすることで、レンズ自体のサイズを小型化でき、ひいてはレンズホルダ１２６やヘッド部１２０の小型化に貢献する。
【００７１】
図１８は、冷却ブロック１２４とレンズホルダ１２６との固定方法の例を示す図である。この例では、３本の固定ネジ１２４２によって冷却ブロック１２４とレンズホルダ１２６とが互いに固定される。また、レンズの合成焦点距離が異なる複数種類のレンズホルダ１２６を用意して交換可能とすることにより、同一のヘッド部１２０を使用しながら、ヘッド部１２０の先端と紫外線照射対象（紫外線硬化型樹脂による接着固定部）との距離が変化する場合に対応することができる。
【００７２】
図１３に戻って、冷却ブロック１２４とヘッド本体部１２２との固定方法について説明する。上記のようにして冷却ブロック１２４とレンズホルダ１２６とを固定した後に、ヘッド本体部１２２を構成する上ケース部材１２２１及び下ケース部材１２２２が互いに合わせられ、先端部分が冷却ブロック１２４の基端側突出部１２４３を挟むようにしてそれぞれ固定ネジ１２２９で冷却ブロック１２４に固定される。また、上ケース部材１２２１及び下ケース部材１２２２の基端面には、基端部材２１３が固定ネジ１２３０を用いて固定される。
【００７３】
図１４および図１５に示すように、ケーブル用コネクタ１２２５やＵＶＬＥＤ１５０を含む冷却ブロック１２４は、それぞれ連結コネクタ１２３１、１２４４を介して基板と電気的に接続される。これによってＵＶＬＥＤ１５０はケーブル部１３０を介してコントローラ部１１０から電力供給を受け、駆動制御される。このように電気的接続が必要な各ブロックを連結コネクタを介して連結する構造とすることで、各部の分解が容易で交換や修理等のメンテナンス作業を容易に行えるという利点がある。特に図に示すヘッド部１２０はヘッド本体部１２２、冷却ブロック１２４及びレンズホルダ１２６が順番に結合した構造としており、ユニット毎の分割が容易で、メンテナンス性に優れたヘッド部１２０が得られる。
【００７４】
また下ケース部材１２２２には、図１４および図１５に示すように、ヘッド部１２０をホルダ等に固定するためのネジ孔である貫通孔１２３２を開口している。ネジを螺合する等してヘッド部１２０を固定する際、ネジの先端が基板１２２４や基板上の実装部品を破損しないように、下ケース部材１２２１には図１３に示すように保護プレート１２４５が固定されており、貫通孔１２３２と基板１２２４との間を遮断している。
【００７５】
（コントローラ部１１０）
図１９に、コントローラ部１１０の正面図を示す。この例では、４台のヘッド部１２０を接続可能な４チャンネルのコントローラ部１１０を示している。ヘッド部１２０を接続可能な台数はチャネル数で決定されるが、チャンネル数は３以下とすることも、あるいは５以上とすることもできることはいうまでもない。この図に示すコントローラ部１１０は、前面パネルにＵＶＬＥＤ１５０の紫外線照射条件を個別に設定するための設定部１４０として、表示部１４２及び操作パネル１４４を設けている。図１９において表示部１４２は前面パネルの上部に配置し、その下に操作パネル１４４を配置している。
【００７６】
（操作パネル１４４）
設定部１４０を構成する操作パネル１４４は、上下左右の選択スイッチである＜、＞、∧、∨スイッチ１４４Ａ、１４４Ｂ、１４４Ｃ、１４４Ｄと、エスケープスイッチ１４４Ｅ、エンタースイッチ１４４Ｆが各々配置されている。ユーザは、これらのスイッチを操作して所定の手順に従い、ＵＶＬＥＤ１５０の紫外線照射条件を設定する。なお、この例に限られず、操作パネル１４４には十字キーやテンキー、ジョグダイヤル等の各種の入力デバイスが利用できる。また、操作パネルを表示部と一体化したタッチパネルとしても良い。操作パネル１４４に設けた各種スイッチは、各ヘッド部１２０の操作に共通して利用でき、各ヘッド部１２０を接続したチャンネルを切り替えて設定できる。
【００７７】
なお、設定部１４０のスイッチ類は、コントローラ部１１０上に固定する必要はなく、コントローラ部１１０と個別の部材として設けても良い。例えばコンソールやリモートコントローラ、フットスイッチ等、コントローラ部１１０と別体とした設定部にスイッチ類を設け、これらをコントローラ部１１０と有線あるいは無線で接続して操作する形態も本発明の範囲内である。また後述するように、紫外線照射装置に接続された外部接続機器から設定や操作を行えるよう構成してもよい。
【００７８】
また、本明細書において設定部には、紫外線照射条件の設定時以外に使用する態様も包含し、例えば紫外線照射装置の動作時に使用する照射スイッチも、設定部に含む。なお、例えば照射スイッチとしてフットスイッチをコントローラ部１１０と接続する場合は、外乱によるチャタリングを防止するためにＯＮ／ＯＦＦ入力の遅延を設定することもできる。紫外線のオンタイミング（遅延設定）及びオフタイミング（遅延設定）は、設定部を用いて個別に、あるいは一括して設定することができる。
【００７９】
（表示部１４２）
また設定部１４０を構成する表示部１４２には、ＬＥＤや液晶表示器を使用した７セグメント表示器を備える。操作パネル１４４で設定された紫外線の出力や照射時間等の紫外線照射条件を、表示部１４２で表示、確認しながらユーザは設定作業を行う。表示部１４２は、一の画面で各ヘッド部１２０の設定条件を切り替えて表示する。また、後述するように各ヘッド部１２０毎に個別に複数の表示部を設けることもできる。なお紫外線出力は、相対的な強度値、例えばＵＶＬＥＤ１５０の駆動デューティファクタで設定、表示しているが、絶対的な出力値（ｍＷ等）で表示してもよい。なお、表示部１４２は液晶や有機ＥＬで構成してアイコン表示等のグラフィカルな表示を可能とできる。またカラー表示可能としても良い。
【００８０】
また、表示部１４２の下部には、各チャンネル毎にチャンネル表示ランプ１４５を設けている。これによって、現在選択されて表示部１４２に表示されているチャンネルが区別できる。図の例では１〜４チャンネルの４つのチャンネル表示ランプ１４５が設けられる。さらに、これらのチャンネル表示ランプ１４５に隣接して、紫外線照射ランプ１４６が配置される。紫外線照射ランプ１４６は、いずれかのヘッド部１２０から紫外線が照射（エミッション）状態であることを示すパイロットランプとして機能し、例えばＬＥＤ等で構成される。すなわち、紫外線照射ランプ１４６のＬＥＤが点灯しているときは、紫外線が照射中であることがユーザに通知される。
【００８１】
操作パネル１４４の下部には、電源スイッチ１４７と一括照射スイッチ１４８を備える。電源スイッチ１４７は紫外線照射装置の電源をＯＮ／ＯＦＦするスイッチである。例えば電源スイッチ１４７にキースイッチを採用することで、不意にスイッチがＯＮになる事態を回避できる。
【００８２】
（一括照射スイッチ１４８）
一括照射スイッチ１４８は、これを押下することで、設定部１４０で予めヘッド部１２０毎に設定された各々の紫外線照射条件に従い、すべてのヘッド部１２０から紫外線を独立して照射できる。
【００８３】
（ヘッド部接続コネクタ１６０）
さらに、前面パネルの下部には、各ヘッド部１２０毎にヘッド部接続コネクタ１６０、個別照射ランプ１７０、個別照射スイッチ１８０をそれぞれ設けている。図１９において左側に縦並びに配置されるヘッド部接続コネクタ１６０は、ヘッド部１２０のケーブルを接続するためのコネクタであってヘッド部接続部を構成する。上述の通り、図１９のコントローラ部１１０は４台のヘッド部１２０を接続可能なように４チャンネルのヘッド部接続コネクタ１６０を設けている。もちろん、すべてのチャンネルを使用する必要はなく、使用条件に応じてこの内の任意のチャンネルのみを使用可能であることはいうまでもない。
【００８４】
（個別照射ランプ１７０）
また、各ヘッド部接続コネクタ１６０の右側に隣接して、個別照射ランプ１７０が配置される。個別照射ランプ１７０は、各チャンネルに接続されたヘッド部１２０のＵＶＬＥＤ１５０から紫外線が照射されていることを示すためのランプである。これによってユーザは、どのヘッド部１２０から現在紫外線が照射されているかを確認できる。個別照射ランプ１７０にもＬＥＤ等が利用できる。なお、一括照射スイッチ１４８を押下すると、すべての個別照射ランプ１７０が点灯することとなる。
【００８５】
（個別照射スイッチ１８０）
さらに、個別照射ランプ１７０の右側に個別照射スイッチ１８０を配置している。個別照射スイッチ１８０は、各チャンネルに接続されたヘッド部１２０の紫外線出力を個別にＯＮ／ＯＦＦするスイッチである。個別照射スイッチ１８０をチャンネル毎に設けることで、各々のチャンネルに接続されたヘッド部１２０の紫外線出力を個別に操作でき、特に専用スイッチを設けることにより少ない操作回数（例えばボタンを押すのみ）で各ヘッド部１２０の出力をＯＮ／ＯＦＦできるので、より便利に紫外線照射装置を使用できる。ただ、個別照射スイッチを設けることなく、操作パネル１４４で各チャンネルのＯＮ／ＯＦＦを操作するように構成することも可能である。
【００８６】
以上、設定部１４０のレイアウト配置を図１９に基づき説明したが、これらの配置は任意に変更できることはいうまでもない。例えば、図１９の例では複数のチャンネルを縦に配置し、横方向にチャンネル毎のヘッド部接続コネクタ１６０、個別照射ランプ１７０、個別照射スイッチ１８０を配置しているが、他の実施の形態として、横方向にチャンネルを配置し、縦方向にチャンネル毎のヘッド部接続コネクタ、個別照射ランプ、個別照射スイッチ等を配置することもできる。また、上記実施の形態では照射ランプと照射スイッチを個別に設けたが、オン状態で点灯するバックライト付のスイッチを使用すれば、これらを一部材に統合することもできる。
【００８７】
コントローラ部１１０は、図１に示すように電源部１１２及び制御部１１４を備える。ＡＣインレットから供給される商用電源が、ラインフィルタ、ヒューズ及び電源スイッチ１４７を経て電源部１１２に供給され、電源部１１２で生成された直流安定化電圧が制御部１１４に供給される。制御部１１４は、マイクロプロセッサ（ＭＰＵ）やＬＳＩ、ＦＰＧＡやＡＳＩＣ等のゲートアレイで実現できる。また制御部１１４はメモリを備え、予め記憶しているプログラムとユーザの設定操作にしたがって各ヘッド部１２０からの近紫外線の強さ、照射タイミング等を制御する。制御部１１４には、端子台基板及び通信用コネクタが接続されており、これらのインターフェイスを用いてコンピュータやＰＬＣ（プログラマブル・ロジック・コントローラ）等の外部制御機器をコントローラ部１１０に接続することができる。外部接続機器は、後述するように紫外線照射条件の設定や紫外線照射装置のＯＮ／ＯＦＦ操作に使用できる。すなわち、紫外線照射装置のコントローラ部１１０に設けられた設定部１４０で設定や操作を行う他、外部接続機器からのトリガ入力によって紫外線照射装置のＯＮ／ＯＦＦを操作することもできる。
【００８８】
また、４個のヘッド部接続コネクタ１６０が制御部１１４に接続され、これらのヘッド部接続コネクタ１６０を介して各ヘッド部１２０がコントローラ部１１０の制御部１１４に接続される。そして、制御部１１４は各ヘッド部１２０のＵＶＬＥＤ１５０の駆動制御のための電気信号を各ヘッド部１２０に与え、各ヘッド部１２０からの近紫外線の強さや照射タイミングを制御する。さらに、制御部１１４にはフロントパネル基板が接続されている。フロントパネル基板には、コントローラ部１１０の前面パネルに設けられた表示部１４２及び設定部１４０を構成する表示器や各種スイッチ類が実装されている。ユーザは表示部１４２及び設定部１４０を用いて４個のヘッド部１２０の近紫外線の強さ、照射タイミング等を個別に設定することができる。
【００８９】
［モード切替］
上述の通り、本実施の形態に係る紫外線照射装置は、コントロール部によって紫外線照射条件を設定する設定モードと、紫外線を照射する照射モードとを切替可能である。設定モードと照射モードの切替は、専用の切替スイッチを設けたり、特定のスイッチの組み合わせや長押し等が利用できる。本実施の形態においては、図１９に示す操作パネル１４４の内、エスケープスイッチ１４４Ｅの長押し（例えば３秒以上）によって、設定モードと照射モードを相互に切り替える。
【００９０】
［照射モード］
以下、照射モードの詳細について説明する。まず、本実施の形態においては、紫外線照射装置の照射モード時において、すべてのヘッド部１２０から紫外線を照射する一括照射モードと、一のヘッド部１２０から紫外線を照射する個別照射モードとを備えている。そして上述の通り、一括照射スイッチ１４８を操作すると一括照射モードが実行され、個別照射スイッチ１８０を操作すると個別照射モードが実行される。
【００９１】
さらに、各照射モードはそれぞれ自動モードと手動モードに区別できる。自動モードとは、予め設定された紫外線照射条件に従って、照射出力や照射時間を変更可能なモードである。すなわち、自動モードにおいては照射開始指令を受けると、事前に各ヘッド部１２０毎に登録された照射パターンで照射を開始し、終了後は自動的に紫外線照射を停止する。一方、手動モードとは、指定されたタイミングで紫外線照射のＯＮ／ＯＦＦを切り替えるモードである。すなわち、照射開始指令を受けると、照射停止指令を受けるまで一定の出力にて照射し続ける。照射スイッチをＯＮすると出力が開始され、ＯＦＦすると終了する。なお、後述するように手動モードにおいても紫外線出力値は変更可能である。
【００９２】
照射モード時における紫外線の照射開始、及び停止の指令は、上述の通りコントローラ部１１０に設けた照射スイッチや端子台からのトリガ入力によって実現される。なお、本実施の形態においては、照射スイッチを一度押下すると照射モードが実行され、再度押下すると中断もしくは停止される。中断の場合は、一時停止状態を維持し、再度スイッチを押下することで照射モードが再開される。
【００９３】
［手動照射モード］
紫外線照射装置は、設定部１４０で設定される複数の紫外線照射条件を記憶部１１６に保存できる。さらに、各紫外線照射条件設定毎に動作モードを保存できる。手動モードにおいては、紫外線出力値は各ヘッド部１２０毎に保存できる。従って、個別手動照射モードでは複数のヘッド部１２０を異なる紫外線出力で各々照射できる。また一括手動照射モードでは、各ヘッド部１２０で同時に異なる紫外線出力を開始し、同時に照射終了させることができる。また、各ヘッド部１２０毎に照射許可／不許可を設定できるので、ヘッド部１２０が紫外線照射装置に接続されていても、所望のヘッド部１２０のみから照射することができる。従来の紫外線照射装置では、同一の装置に接続されたヘッドはすべて同じ出力及びタイミングで出力されていたため、装置にヘッドを接続している限り、他のヘッドの出力と共に必ず出力が生じ、照射を停止することができなかった。これに対して、本実施の形態では各ヘッド部１２０が独立しているため、紫外線照射の許可／不許可を容易に設定できるという利点がある。
【００９４】
［自動照射モード］
また、自動モードにおいても、照射パターンを各ヘッド毎に保存できる。従って、一括自動照射モードでは複数のヘッド部１２０にて異なる照射パターンで同時に照射を開始して、異なるタイミングで照射を終了させることができる。上述の通り、このような動作も従来の紫外線照射装置では実現できなかった。特にヘッド毎に異なる照射パターン、異なるタイミングで停止することができなかったが、本実施の形態により、独立して各ヘッド部１２０毎に出力やタイミングを変化させた出力が可能となり、極めて自由度の高い紫外線照射が実現される。上述の通り、各ヘッド部１２０毎に照射許可／不許可を設定できるため、ヘッド部１２０が紫外線照射装置に接続されていても、所望のヘッド部１２０のみから照射させることができる。さらに、照射開始指令をヘッド部毎に入力できるようにすれば、ヘッド部毎に異なるタイミングで紫外線照射を開始させることもできる。例えば、個別照射スイッチをヘッド部の数だけ設けたり、あるいはヘッド部の台数分の端子台トリガ入力を用意すればよい。
【００９５】
以上説明した動作モードをまとめると、一括自動照射モードにおいては、各ヘッド部１２０毎に予め設定された紫外線出力、照射時間等の紫外線照射条件で、すべてのヘッド部１２０で紫外線照射を実行する。一括照射スイッチ１４８を押下すると、各ヘッド部１２０から紫外線照射が開始され、様々な異なる出力、時間で独立して紫外線照射が実行される。なお紫外線照射の終了は、各々の設定に応じてヘッド部１２０毎に異なり、設定が終了するとヘッド部１２０毎に自動的に終了する。
【００９６】
また一括手動照射モードにおいては、実行するとすべてのヘッド部１２０から一定値で紫外線が出力される。一括照射スイッチ１４８を押下すると、各ヘッド部１２０から紫外線照射が開始され、再度一括照射スイッチ１４８を押下すると各ヘッド部１２０の紫外線照射が停止される。この場合においても各ヘッド毎に紫外線出力値を変更することはできる。
【００９７】
さらに、個別手動照射モードは、各々のヘッド部１２０で実行されると、該ヘッド部１２０から一定値で紫外線が出力される。この場合においても各ヘッド毎の紫外線出力値を変更することはできる。
【００９８】
［個別自動照射モード］
個別自動照射モードは、ヘッド部１２０毎に紫外線照射条件を設定するモードである。個別自動照射モードに相当する機能は、特に設けなくとも、一括自動照射モードを利用して実質的に実現できる。すなわち、特定のＵＶＬＥＤについてのみ照射を行い、他のＵＶＬＥＤの照射を行わないことで、該特定のＵＶＬＥＤの照射時間や出力等の紫外線照射条件を設定することにより、一括自動照射モード実行時に該ＵＶＬＥＤのみが自動的に設定されたパターンで紫外線照射を実行できる。ただ、この場合は特定のＵＶＬＥＤのみしか紫外線照射を実行できず、他のＵＶＬＥＤに個別自動照射モードに相当する動作を実行させるには、複数の一括自動照射モードを並列して実行可能とする必要がある。一方、複数のＵＶＬＥＤを動作させるように一括自動照射モードを設定することは可能である。ただ、ＵＶＬＥＤ毎の動作タイミングが変化する場合には対応が困難となる。一方、ユーザによっては各ヘッド部毎に自動照射を設定、実行する方が便利である場合も考えられるので、個別自動照射モードを別途設けることもできる。
【００９９】
［紫外線照射条件の設定方法］
次に、紫外線照射条件の設定方法について、図２０に基づき説明する。ここでは、各ヘッド部１２０から照射される紫外線が、図２１（ｂ）に示すように時間と共にステップ状に変化するパターンを得るために、図２１（ａ）に示すように複数の矩形波の組み合わせとして、個々の矩形波の条件を設定する例を考える。なお、図２１に示す各矩形波、すなわち一定の照射出力及び照射時間の組み合わせからなる紫外線照射条件のセットを、ここではステップと呼ぶことにする。
【０１００】
［矩形波状照射パターン］
図２０は、ヘッド部１２０が一のＵＶＬＥＤ１５０を備える場合の設定方法の概要を示している。図２０において、まず工程１００１でヘッド部１２０の番号を選択する。上述のように本実施の形態ではヘッド部１２０はチャンネル１〜４まで４台接続されており、どのチャンネルについて設定を行うかをここで選択する。次に工程１００２でステップの番号を選択する。ステップは、１から順に設定され、本実施の形態では一の紫外線照射条件設定において２０個までステップを設定可能としている。次に選択されたステップにつき、工程１００３で紫外線の照射時間を設定する。ここでは、秒数で指定する。さらに工程１００４で紫外線の照射出力を指定する。ここではデューティ比で設定する。そして工程１００５で設定を一時保存すると共に、ステップ番号の選択ステップに戻り、必要なすべてのステップについて設定が完了するまでループする。このようにして図２１のような紫外線照射パターンが設定されると、紫外線照射条件設定が保存される。
【０１０１】
なお、上記の各工程は、順序を適宜入れ替えることもできる。例えば、先に照射出力を設定した後、照射時間を設定してもよい。
【０１０２】
上記工程を、より詳細に示したフローチャートを図２２に示す。まず工程１２０１で紫外線照射条件設定の番号（設定番号）を選択する。本実施の形態では、ｎｏ０〜ｎｏ１９まで２０個の紫外線照射条件設定を記録できる。次に工程１２０２で照射モードを選択する。照射モードは、Ｕ０〜２の３通りであり、一括手動照射モード、個別手動照射モード、一括自動照射モードの別を指定する。なお、本実施の形態では個別自動照射モードに相当するモードを採用していない。次に工程１２０３で紫外線照射条件を設定するヘッド部１２０を接続したチャンネル番号を選択する。ここではチャンネル番号ＣＨ１〜４の４個から選択する。
【０１０３】
次に工程１２０４では、選択されたチャンネル番号に接続されたヘッド部１２０に対して、紫外線出力を許可するかどうかを設定する。ヘッド部１２０毎に紫外線照射の許可／不許可を設定可能とすることで、従来のように接続されたヘッド部１２０すべてから紫外線が出力されることなく使用することが可能となる。出力を許可する場合は、工程１２０５に進み、許可しない場合は工程１２０４−１ですべてのヘッド部１２０の設定が終了したか否かを判定し、未だの場合は工程１２０３に戻り他のヘッド部１２０の設定を継続し、すべてのヘッド部１２０の設定が終了した場合は工程１２１１にジャンプする。
【０１０４】
なお、後述するように複数のＵＶＬＥＤを備える場合は、各ＵＶＬＥＤ毎に紫外線照射の許可／不許可を設定することもできる。
【０１０５】
次に工程１２０５で、工程１２０２で選択された照射モードが自動モードか否かを判定する。自動モードの場合は、次工程１２０６でステップ番号を選択する。ステップ番号は、Ｓ０〜Ｓ１９まで、最大２０個設定できる。自動モードでない場合はステップ番号の選択が不要であるから工程１２０７にジャンプする。工程１２０７では照射時間を設定する。ここでは秒数を入力する。次に工程１２０８で照射出力を設定する。ここではデューティ比で入力する。次に工程１２０９で必要なステップ番号の設定をすべて完了したか否かを判定し、未だの場合は工程１２０６に戻り、次のステップ番号の設定を繰り返す。終了した場合は工程１２１０に進み、すべてのヘッド部１２０の設定が終了したか否かを判定し、未だの場合は工程１２０３に戻り他のヘッド部１２０の設定を繰り返す。終了した場合は工程１２１１に進み、上記の設定を記憶部１１６に保存して終了する。
【０１０６】
［階層メニュー］
次に、コントローラ部１１０に設けた表示部１４２における表示の切り替えについて説明する。本実施の形態においては、階層メニュー方式を採用している。図２３に、階層メニューの一例を示す。この図に示すように、紫外線照射装置は照射モードと設定モードに切替可能であり、各々のモードにおいて、さらに各種のメニュー項目が選択できる。また選択されたメニュー項目についても様々な設定項目が存在し得、図２３において下方向に示すように各階層に下って各項目を設定する。
【０１０７】
［照射モードにおける表示］
次に、図２４に基づいて照射モードにおける表示部１４２の表示例を説明する。照射モードにおいては、図２４に示すように運転中設定番号表示、現タイマ値表示、現照射パワー値表示、累積照射時間表示等の項目が切り替えて表示される。項目の切替は、左右の＜、＞スイッチ１４４Ａ、１４４Ｂで行われる。また、最上位階層を表示中にエスケープスイッチ１４４Ｅを長押しすると、上述の通り照射モード、設定モード間のモードが変更される。一方、最上位以外の階層からエスケープスイッチ１４４Ｅを長押しすると、そのモードの最上位階層へ遷移する。
【０１０８】
（運転中設定番号表示）
運転中設定番号表示は現在選択中の設定番号を表示している。この例ではＪ０が選択されている。設定番号はｎｏ０〜Ｊ１９まで最大２０個の設定を保存することが可能であり、この内から任意の設定番号を選択する。また図２４に示すように、表示部１４２の下方に設けられたチャンネル表示ランプ１４５が、現在表示中の設定番号において照射が設定されているヘッド部１２０を表示する。これによって、選択中の設定番号において紫外線が照射されるヘッド部１２０がいずれであるかをユーザが容易に把握できる。この例においては、チャンネル１〜４すべてのヘッド部１２０でＵＶＬＥＤ１５０が動作することを示している。
【０１０９】
なお設定番号の変更は、本実施の形態では後述するように設定モードで行う。ただ、照射モードにおいて設定番号を変更できるようにしても良い。例えば図２４の画面からエンタースイッチ１４４Ｆを押下して設定番号の選択メニューに移行する方法や、図２４の画面から∧、∨スイッチ１４４Ｃ、１４４Ｄを押下して設定番号を変更する方法等が適宜採用できる。
【０１１０】
（現タイマ値表示）
現タイマ値表示は、紫外線の照射時間を表示する。図の例では、チャンネル１に接続されたヘッド部１２０から１２秒間照射するよう設定されていることを示している。該設定番号の紫外線照射条件設定の実行時には、設定された照射時間からカウントダウン式に残りの照射時間が秒数で表示され、ユーザは残り時間を容易に知ることができる。また、照射時間が設定されていないチャンネルを表示する場合は、停止時は−−−で表示し、実行時はカウントアップ式に経過時間を秒数で表示する。これによって、照射時間が現在どの程度経過したかをユーザが確認できる。以上のように、照射時間の設定の有無によって時間の表示方式をカウントダウン式とカウントアップ式に自動切り替えすることにより、ユーザは照射時間の設定の有無、および経過時間、残り時間を知ることができ、紫外線硬化型樹脂の接着状態に際して状況把握等に便利に使用できる。また時間の表示単位は、秒数の他、粉数、時間数あるいは進捗状況の割合での表示等を適宜採用できる。
【０１１１】
図２４の例では、チャンネル１の照射時間が表示されているが、この状態で∧、∨スイッチ１４４Ｃ、１４４Ｄを押下すると、その他のチャンネルの情報に切り替えて表示できる。このように、本実施の形態では、＜、＞スイッチ１４４Ａ、１４４Ｂはメニューの切替に、∧、∨スイッチ１４４Ｃ、１４４Ｄは、項目値の選択、変更にそれぞれ使用される。図２４の例では、∧スイッチ１４４Ｃを押下するとチャンネル２→３→４→１の順に切り替えられる。同時に、チャンネル表示ランプ１４５の点灯が該当チャンネルに切り替わって、現在表示中の項目（ここでは照射時間）がいずれのチャンネルに接続されたヘッド部１２０の情報であるかが判別できる。なお照射が設定されていないチャンネルの情報を表示させると、表示部１４２に「−−−」と表示される。
【０１１２】
なお、これらのスイッチ操作を行わず、設定されたチャンネルの情報を自動的に切り替えて順次表示するように構成してもよい。
【０１１３】
（現照射パワー値表示）
現照射パワー値表示は、紫外線照射の出力値を表示する。この例ではチャンネル１のＵＶＬＥＤの駆動デューティ比により相対的な強度を表示しているが、最大出力を１００とするパーセント表示や出力ワット数等、その他の単位による表示も適宜採用できる。ここでも上記と同様、∧、∨スイッチ１４４Ｃ、１４４Ｄを押下することで、他のチャンネルの情報を切り替えて表示できる。
【０１１４】
（累積照射時間表示）
累積照射時間表示は、紫外線の照射時間の累積値、すなわちＵＶＬＥＤのトータルの使用時間を表示する。これによってＵＶＬＥＤがどのくらい使用されているか、寿命の把握や駆動電流の調整作業の目安を得ることができる。ここでも∧、∨スイッチ１４４Ｃ、１４４Ｄで他のチャンネルの情報を切り替えて表示できる。なお図２４において、単位を区別するために「ｈ」と「Ｈ」の表示を使い分けており、「ｈ」は×１０時間、「Ｈ」は×１００時間をそれぞれ示している。このように、記号の大文字、小文字の使い分けによって単位の大小等の意味合いを持たせ、少ない表示画面で多くの情報量を表示できるようにしている。
【０１１５】
以上、照射モードにおける表示部１４２の表示例を説明した。もちろん、これ以外の表示項目を追加したり、任意の項目のみを表示するよう構成できることはいうまでもない。
【０１１６】
なお図２３の例では、照射モードにおいてはメニュー項目は基本的に表示部１４２の切替として機能するため、更なる階層構造は設けていない。もちろん、表示項目等を階層構造で切り替えるよう構成してもよいことはいうまでもない。
【０１１７】
［設定モード］
次に、図２５および図２６を参照しながら、設定モードにおける紫外線照射条件を設定する方法の詳細を説明する。図２５に示すように、設定モードでは運転中設定番号メニューと、設定編集メニューと、通信条件メニューと、その他条件メニューの４つの項目が、＜、＞スイッチ１４４Ａ、１４４Ｂにより切り替えられる。メニューの選択は、エンタースイッチ１４４Ｆを押下することで実行され、選択された項目の設定モードに移行できる。なお、エスケープスイッチ１４４Ｅを押下すれば、上位の階層に戻ることができる。
【０１１８】
もちろん、複数の項目をまとめたり、他の項目を追加したりしてもよい。例えば通信条件メニューとその他条件メニューを一つにまとめたり、あるいは編集設定メニューを２つに分けても良い。
【０１１９】
（運転中設定番号メニュー）
運転中設定番号メニューは、照射モードにおいて使用する紫外線照射条件設定の設定番号を選択する。ここでは、既に設定され保存された紫外線照射条件設定の中から、所望の設定番号を∧、∨スイッチ１４４Ｃ、１４４Ｄにて選択する。選択後、エンタースイッチ１４４Ｆを押下すると表示部１４２に「Ｅｎｄ」と表示され、選択された設定番号が保存されると共に、運転中設定番号メニューに戻る。
【０１２０】
なお本実施の形態では、運転中設定番号メニューと後述する設定編集メニューとを個別に設けているが、これらを統合してもよい。この場合は、前回の設定作業の際に選択された番号を保持し、照射モードにおいてこの番号の設定が選択されているものとして扱う。
【０１２１】
（設定編集メニュー）
設定編集メニューは、紫外線照射条件を設定するメニューである。設定編集メニューの詳細を図２６に示す。設定編集メニューに含まれる大項目としては、編集設定番号選択、照射モード選択の設定画面がある。各々の設定画面での設定が完了しエンタースイッチ１４４Ｆを押下すると、次の設定画面に移行する。
【０１２２】
（編集設定番号選択）
まず、編集設定番号選択では、設定番号を選択する。本実施の形態では、上述の通りｎｏ０〜１９まで最大２０個の設定を保存できる。もちろん、これ以上あるいは以下の数を設定可能とすることもできる。
【０１２３】
（照射モード選択）
次に、選択された設定番号について、照射モードを選択する。制御モードは、上述の通りＵ０〜２の３通り、すなわち一括手動照射モード、個別手動照射モード、一括自動照射モードのいずれかを選択する。照射モードを選択してエンタースイッチ１４４Ｆを押下すると、表示部１４２に「Ｅｎｄ」と表示されて上記の設定を一時保存すると共に、編集チャンネル選択に移行する。
【０１２４】
編集チャンネル選択では、設定の対象となるヘッド部１２０が接続されたチャンネル番号をＣＨ１〜４の中から選択する。次に、出力許可選択に進み、上記で選択されたチャンネル番号のヘッド部１２０につき、紫外線出力を許可するか否かを選択する。許可の場合は「ｏｎ」、不許可の場合は「ｏｆｆ」と表示部１４２に表示される。この状態でエンタースイッチ１４４Ｆを押下すると、照射モード選択画面にて選択した照射モードに応じて、ステップ番号選択画面、もしくはステップ番号選択不可表示に進む。
【０１２５】
（一括自動照射モードの詳細設定）
照射モード選択画面において一括自動照射モードを選択した場合は、ステップ番号選択画面に進み、ステップ番号を選択する。上述の通りステップ番号はＳ０〜１９まで最大２０個設定可能であり、必要な数だけ順番に設定していく。ステップ番号を選択すると、照射時間設定画面となり、紫外線照射時間を入力する。次に照射出力を同様に入力する。これらの入力値は、∧、∨スイッチ１４４Ｃ、１４４Ｄで増減させる。入力の便宜のため、前回の設定値をコピーしてデフォルト値として入力したり、長押しで高速増減を可能にすることもできる。以上の設定が終了すると、エンタースイッチ１４４Ｆを押下して設定を一時保存すると共に、ステップ番号選択画面に戻る。このとき、設定されたステップ番号に１を増加させた値がデフォルト値として入力される。すべてのステップ番号の設定が終了すると、エスケープスイッチ１４４Ｅを押下すれば、編集設定番号選択画面に戻る。
【０１２６】
（一括手動照射モード、個別手動照射モードの詳細設定）
一方、照射モード選択画面において一括手動照射モードまたは個別手動照射モードを選択した場合は、一定値での出力となり、出力を可変とするステップを選択できないので、出力許可選択画面からステップ番号選択不可表示に進む。このとき表示部１４２には「ｓ．−−−」と表示され、ステップ番号が選択できないことを表示する。手動照射モードでは照射時間も設定しないので、この状態でエンタースイッチ１４４Ｆを押下すると、照射出力設定画面となる。上記と同様にデューティ比で出力を設定後、エンタースイッチ１４４Ｆを押下すると設定が保存され、編集チャンネル番号選択画面に戻る。以上のようにして、編集設定メニューで紫外線照射条件が設定される。
【０１２７】
（通信条件メニュー）
通信条件メニューでは、紫外線照射装置と外部接続機器とをＲＳ−２３２Ｃインターフェースで接続する際の通信条件を設定する。図２５の例では、通信条件メニューからボーレート選択、ストップビット・パリティ選択、デリミタ・チェックサム選択がそれぞれ設定できる。各々の設定画面での設定が完了しエンタースイッチ１４４Ｆを押下すると、次の設定画面に移行する。まずボーレート選択では、予め設定された１２００ｂｐｓ、２４００ｂｐｓ、４８００ｂｐｓ、９６００ｂｐｓ、１９２００ｂｐｓ、３８４００ｂｐｓの選択肢から、∧、∨スイッチ１４４Ｃ、１４４Ｄにて選択し、エンタースイッチ１４４Ｆで決定する。表示部１４２においては、「ｂ．３８４」等、×１００にて表示することで表示桁数を節約している。なお、ハードウェア的に対応しておれば、上記以外のボーレート値を設定することもできる。
【０１２８】
ストップビット・パリティ選択では、ストップビットが１または２、パリティがなし、偶数、奇数をそれぞれ選択できる。図の例では、これらの組み合わせを予め選択肢として提示し、ストップビット１・パリティなし（表示部１４２における表示「ｙ．１ｎ」）、ストップビット１・パリティ偶数（「ｙ．１Ｅ」）、ストップビット１・パリティ奇数（「ｙ．１ｏ」）、ストップビット２・パリティなし（「ｙ．２ｎ」）、ストップビット２・パリティ偶数（「ｙ．２Ｅ」）、ストップビット２・パリティ奇数（「ｙ．２ｏ」）の中から∧、∨スイッチ１４４Ｃ、１４４Ｄにて選択し、エンタースイッチ１４４Ｆで決定する。
【０１２９】
同様にデリミタ・チェックサム選択では、デリミタとしてＣＲもしくはＥＴＸ、チェックサムのあり・なしをそれぞれ選択できる。図の例では、これらの組み合わせとしてデリミタＣＲ・チェックサムなし（表示部１４２における表示「ｄ．Ｃ０」）、デリミタＣＲ・チェックサムあり（「ｄ．Ｃ１」）、デリミタＥＴＸ・チェックサムなし（「ｄ．Ｅ０」）、デリミタＥＴＸ・チェックサムあり（「ｄ．Ｅ１」）の中から、∧、∨スイッチ１４４Ｃ、１４４Ｄにて選択し、エンタースイッチ１４４Ｆで決定する。
【０１３０】
（その他条件メニュー）
その他条件メニューにおいては、入力接点選択、点灯アラーム時間編集が設定できる。入力接点選択は、フットスイッチを接続する場合等、チャタリング防止のための遅延時間を設定する。点灯アラーム時間編集は、ＵＶＬＥＤの劣化による警告を行う時間を設定する。
【０１３１】
上記の階層メニューの構成は一例であって、他の構成も適宜採用できる。例えばメニューの選択には水平方向、選択された項目の設定には垂直方向のスイッチを使用したが、水平方向と垂直方向を入れ替えてもよいことはいうまでもない。
【０１３２】
［実施の形態６］
また実施の形態５のように設定部を共通とする構成の他、各ヘッド部毎に個別設定スイッチ２９０と個別表示部２９２を設けることもできる。図２７に、本発明の実施の形態６に係る紫外線照射装置のコントローラ部２１０の正面図を示す。この図に示す個別設定スイッチ２９０は、各ヘッド部から照射される紫外線出力の設定や照射時間の増減に使用され、アップダウンスイッチ等が利用できる。この態様では、個別設定スイッチ２９０で各チャンネルの紫外線照射条件を設定できる他、上記の操作パネル２４４を用いて紫外線照射条件を設定することもできる。また、共通の操作パネルを省略して、個別設定スイッチ２９０のみで設定するよう構成することもできる。
【０１３３】
個別表示部２９２は７セグメント表示器等が利用でき、設定された出力や照射時間を表示する。また、個別設定スイッチ２９０のみ、あるいは個別表示部２９２のみを各チャンネル毎に設けても良い。
【０１３４】
［実施の形態７］
また、各ヘッド部の紫外線出力を調整する個別設定スイッチや個別照射スイッチは、コントローラ部１１０でなくヘッド部１２０に設けることもできる。図２８〜図２９に、本発明の実施の形態７に係る紫外線照射装置のヘッド部３２０を示す。これらの図に示すように、ヘッド部３２０にＵＶＬＥＤ３５０からの紫外線照射のＯＮ／ＯＦＦを行うための個別照射スイッチ３８０、紫外線の出力レベルを調節するための個別設定スイッチ３９０を設ける。個別設定スイッチ３９０は、２個のプッシュスイッチからなるアップダウンスイッチが利用できる。図２８（ｂ）や図２９に示すように、これらのスイッチ類は基板上に実装される。その他の部材は、上述した図１３等と同様の構成が利用できる。この構成は、ユーザが手でヘッド部３２０を把持して使用する場合に、手元で出力を調整でき、このような態様において好適に利用できる。
【０１３５】
また図示しないが、７セグメント表示器等の個別表示部をヘッド部にそれぞれ設けることもできる。あるいは、個別設定スイッチまたは個別照射スイッチのみをヘッド部に設け、コントローラ部側に残りの部材を設けても良い。
【０１３６】
［実施の形態８］
以上の各実施の形態では、ヘッド部の長手方向に沿って、ケーブル部と紫外線の照射方向が略直線状となる態様（ストレートタイプ）とした。これに対して図３０に示す本発明の実施の形態８に係る紫外線照射装置のヘッド部４２０は、ＵＶＬＥＤ４５０からの紫外線の照射方向がヘッド部４２０の長手方向と略直交するように構成したアングル状のタイプとしている。図３０はヘッド部４２０の平面図および断面図を、図３１はこのヘッド部４２０の支持方法の一例を示す斜視図を、それぞれ示している。これらの図に示すように、ヘッド本体部４２２とレンズホルダ４２６とが冷却ブロック４２４を介してアングル状に結合し、アングル形状のヘッド部４２０が構成されている。
【０１３７】
図３１に示すように、実施の形態８のアングルタイプのヘッド部４２０では、ヘッド本体部４２２を把持するホルダ４２０２を設け、これによってヘッド部４２０を固定することができる。この場合、ヘッド部４２０の上方空間に余裕ができる。つまり、ヘッド部４２０を設備に固定する際に、設備の関係でヘッド部４２０の上方に十分なスペースを確保することが困難な場合に適している。また、紫外線照射の対象物（箇所）を上方からヘッド部４２０越しに観察する際の視認性に優れている。
【０１３８】
一方、上述した実施の形態５〜３におけるストレートタイプのヘッド部１２０の支持方法の一例を図３２に示す。図３２（ａ）の例では、ヘッド本体部１２２の背面に螺合によって略直角に固定したポール部材１２０１をホルダ１２０２で把持することによってヘッド部１２０を固定する。図３２（ｂ）の例では、ヘッド本体部１２２の背面に形成した２箇所のネジ孔を用いて、壁面等の固定対象Ｈに固定ネジ１２０３によって直接ネジ止めする。いずれの場合も、ヘッド部１２０の上方にケーブル部１３０のための空間が必要になる。図３０、図３１に示した実施の形態８のアングルタイプのヘッド部１２０の場合は、ケーブル部１３０が側方へ延びるので、ヘッド部４２０の上方空間に余裕が無くても問題が生じない。
【０１３９】
［実施の形態９］
上記の各実施の形態では、図１３等に示すように各ヘッド部がＵＶＬＥＤを１個備えている。ただ、複数の半導体素子をヘッド部５２０に設けることもできる。複数の半導体素子を使用することによって、紫外線の照射量や照射面積を必要に応じて調整することが可能となる。本発明の実施の形態９に係る紫外線照射装置として、図３３に複数のＵＶＬＥＤ５５０を備えるヘッド部５２０を示す。図３３（ａ）は、円柱状の冷却ブロックの底面に、略均一に１２個のＵＶＬＥＤ５５０Ａを配置した例を示す。図３３（ｂ）は略正方形状の冷却ブロックに、３行×３列＝９個のＵＶＬＥＤ５５０Ｂを配置した例を示す。もちろん、ＵＶＬＥＤ５５０は１列や２列に並べてもよいし４列以上に並べてもよい。また図３３（ｃ）は一方向に延長した略長方形状の冷却ブロックに、２行×３列＝６個のＵＶＬＥＤ５５０Ｃを配置した例を示す。この例の構造では、長手方向に並んだ複数のＵＶＬＥＤ５５０Ｃによって、細長い領域に塗布された樹脂に一度に紫外線を照射して硬化させることができる。
【０１４０】
もちろん、ＵＶＬＥＤの個数や配列パターンや、これ以外にも適宜採用できる。複数のＵＶＬＥＤを同時にＯＮして使用することで、紫外線量を増やして出力を増大できる。また、複数のＵＶＬＥＤの内、特定のＵＶＬＥＤのみをＯＮさせ、他のＵＶＬＥＤをＯＦＦとし、動作するＵＶＬＥＤを交互に切り替えて使用することによって、特定のＵＶＬＥＤの連続使用を避けて各素子の長寿命化を図ることができ、ＵＶＬＥＤの交換時期を延長できる。
【０１４１】
さらに、特性が同一のＵＶＬＥＤを複数設ける場合のみならず、異なる特性を備えるＵＶＬＥＤを同一のヘッド部に設けても良い。例えば、波長の異なるＵＶＬＥＤを切り替えて使用することで、同一のヘッド部から照射可能な紫外線の波長を変更できる。特性の異なるＵＶＬＥＤを使用する場合は、各ＵＶＬＥＤに応じた駆動電流等を予めヘッド部側で設定しておく。さらにまた、ヘッド部間で異なる特性のＵＶＬＥＤを各ヘッド部に設けることも可能であることはいうまでもない。
【０１４２】
複数の半導体素子をヘッド部５２０に設ける場合は、ＯＮする素子を他と区別する必要があるので、各半導体素子に個別のＩＤ番号等の素子識別情報を割り当る。そして紫外線照射条件を設定する際に、いずれの素子をＯＮするかの素子識別情報も設定する。複数の半導体素子を点灯する場合は、該半導体素子に同一の設定を容易に行えるよう、設定のコピーを可能としてもよい。また、すべての素子をＯＮするような場合は、素子識別情報として「すべて」を指定できるようにする。例えば、設定画面において「Ａ」を入力する。これによって、各素子毎に同じ紫外線照射条件を設定する手間を省くことができる。なお、複数の半導体素子で電流値を変えて紫外線を照射させることも可能であることはいうまでもない。
【０１４３】
次に、ヘッド部５２０が複数のＵＶＬＥＤ５５０を備える場合の、紫外線照射条件の設定方法について、図３４に基づき説明する。図３４において、工程２４０１のヘッド部５２０番号選択ステップ、および工程２４０２のステップ番号選択ステップは、上述した図２０の工程１００１、工程１００２と同様である。次に工程２４０２−１で動作対象となるＵＶＬＥＤ５５０の番号を選択する。ヘッド部５２０に備えられた複数のＵＶＬＥＤ５５０には、上述の通り固有のＩＤ番号が予め付与されており、この内駆動させたいＵＶＬＥＤ５５０の番号を選択する。以下の工程は、図２０の工程１００３、１００４、１００５と同様である。
【０１４４】
［実施の形態１０］
また、紫外線照射条件の設定は、上記のように照射時間と照射出力の組をステップ状に指定する方法の他、予め設定された照射パターンを選択することもできる。例えば、関数状の照射パターンを選択する方法や、さらに選択した関数の定数を入力することもできる。これらの設定は、関数番号や定数を数値で指定、選択する方法の他、グラフ図形をグラフィカルに表示して選択する方法等が採用できる。さらに前者の数値による選択方法においても、設定された関数をグラフ図形で確認可能としてもよい。このようなグラフ表示を可能にするには、図形表示が可能な表示部１４２を用意する。
【０１４５】
［関数状照射パターン］
図３５は、紫外線の照射時間と照射出力を関数で表示する３つのパターンを示した例を示すグラフである。この図に示すようなパターンでも、本発明の実施の形態は紫外線を照射可能である。図３５の例では、関数の例としてＦ１〜Ｆ３の３種類の示している。
【０１４６】
Ｆ１：Ｐ＝ａｔ＋ｃ
Ｆ２：Ｐ＝ａ＊（１−ＥＸＰ（−ｂ＊ｔ））＋ｃ
Ｆ３：Ｐ＝ａ＊（ＥＸＰ（ｂ＊ｔ）−１）＋ｃ
（ａ，ｂ，ｃは条件に応じて設定する定数）
【０１４７】
また、これら以外にもｎ次式の関数を利用することもできる。上記の関数のいずれかを選択した後、定数ａ，ｂ，ｃを設定すると照射パターンが決定される。定数は、紫外線照射装置の使用条件に応じて設定される。図３５に例示する関数Ｆ１〜Ｆ３では、紫外線の照射出力を照射時間１０秒で７０％まで上げる場合に設定される定数として、以下の値を設定している。
【０１４８】
Ｆ１：Ｐ＝７ｔ（ａ＝７、ｃ＝０）
Ｆ２：Ｐ＝７０＊（１−ＥＸＰ（−０．５＊ｔ））（ａ＝７０、ｂ＝０．５、ｃ＝０）
Ｆ３：Ｐ＝１０＊（ＥＸＰ（０．２１＊ｔ）−１）（ａ＝１０、ｂ＝０．２１、ｃ＝０）
【０１４９】
図３５のような照射パターンでの紫外線照射条件を設定する手順を、図３６に基づき説明する。まず工程２６０１でヘッド番号を選択し、工程２６０２でステップ番号を選択する工程は、図２０と同様である。次に工程２６０２−１で、関数番号を選択する。ここでは関数Ｆの選択肢として、上述したＦ０〜Ｆ３が選択可能である。なおＦ＝０は、上記と同様に照射時間と照射出力を入力するステップ状関数である。工程２６０２−１でＦ＝０を選択した場合は、工程２６０３で照射時間、工程２６０４で照射出力をそれぞれ入力し、工程２６０５で設定を保存する。また工程２６０２−１でＦ＝１を選択した場合は、工程２６０３−１で定数ａ、工程２６０４−１で定数ｂをそれぞれ入力し、工程２６０５で設定を保存する。さらに工程２６０２−１でＦ＝２または３を選択した場合は、工程２６０３−２で定数ａ、工程２６０４−２で定数ｂ、ｃをそれぞれ入力し、工程２６０５で設定を保存する。
【０１５０】
上記以外にも、照射パターンを設定する方法として、例えば照射パターンの波形を選択後、照射時間を入力して自動的に関数の定数を演算し、設定する方法や、紫外線の総照射量や熱量で設定する方法等が適宜利用できる。
【０１５１】
従来の紫外線照射装置では、紫外線源として使用する高圧水銀ランプ等に機械的なシャッタを介することにより出力を変更していたため、紫外線出力の最小分解能が粗くなり離散的な変化となって微調整ができず、波形パターンに沿った出力の変更が極めて困難であった。これに対して、駆動電流に対するリニアリティの高い半導体素子を利用する本実施の形態によれば、入力電流を調整してほぼ連続的な出力の変化が実現される。駆動電流に応じて出力をリニアリティ良く変化できるので、上記のようなパターンにも対応できる。なお、紫外線出力と連続波形との近似性は、Ａ／Ｄ変換器の分解能に依存することはいうまでもない。
【０１５２】
［実施の形態１１］
上記の各実施の形態では、紫外線照射条件の設定をコントローラ部の設定部で行っている。ただ、紫外線照射条件の設定は、紫外線照射装置に外部接続された機器にて行うことも可能である。例えば、本発明の実施の形態１１として、図３７に示すように紫外線照射装置７００のコントローラ部７１０を、コンピュータやＰＬＣ等の外部接続機器７１０１と接続し、外部接続機器７１０１側で設定した紫外線照射条件をコントローラ部７１０に転送することで設定を行う。
【０１５３】
紫外線照射装置７００は外部接続機器７１０１と接続するためのインターフェースを備える。インターフェースはコントローラ部７１０の制御部７１４と接続され、制御部７１４で外部接続機器７１０１との電気信号のやりとりやデータ通信を行う。外部接続機器７１０１と紫外線照射装置７００との接続は、ＲＳ−２３２ｘやＲＳ−４２２、ＵＳＢやＩＥＥＥ１３９４等のシリアル接続、パラレル接続、あるいは１０ＢＡＳＥ−Ｔ、１００ＢＡＳＥ−ＴＸ、１０００ＢＡＳＥ−Ｔ等のネットワークを介して電気的に接続して通信を行うことができる。接続は有線を使った物理的な接続に限られず、ＩＥＥＥ８０２．１ｘ、ＯＦＤＭ方式等の無線ＬＡＮやＢｌｕｅｔｏｏｔｈ等の電波、赤外線、光通信等を利用した無線接続等でもよい。さらに記録媒体を介して設定情報を保存、読み込みさせることもできる。記録媒体には、メモリカードや磁気ディスク、光ディスク、光磁気ディスク、半導体メモリ等が利用できる。
【産業上の利用可能性】
【０１５４】
本発明の紫外線照射装置は、ピックアップ等の電子部品の組み立て作業において、紫外線硬化樹脂による接着に好適に利用できる。特に、紫外線を照射するヘッド部毎に紫外線照射条件を独立して設定できるので、例えば同一の紫外線照射装置に接続されたヘッド部を複数のユーザが各々利用したり、硬化時間の異なる紫外線硬化樹脂を用いた接着を、同一の紫外線照射装置で行うことができる。
【図面の簡単な説明】
【０１５５】
【図１】本発明の実施の形態１に係る紫外線照射装置のブロック図である。
【図２】本発明の実施の形態１に係る紫外線照射装置のヘッド部を示す概略図である。
【図３】本発明の実施の形態２に係る紫外線照射装置のヘッド部を示す概略図である。
【図４】本発明の実施の形態３に係る紫外線照射装置のヘッド部を示す概略図である。
【図５】識別部に送出されるパルスのパターンの一例を示す波形図である。
【図６】本発明の実施の形態４に係る紫外線照射装置のヘッド部を示す概略図である。
【図７】本発明の実施の形態５に係る紫外線照射装置のヘッド部を示す概略図である。
【図８】図２に示すヘッド部において識別部を駆動する駆動回路を示すブロック図である。
【図９】図６に示すヘッド部において識別部を駆動する駆動回路を示すブロック図である。
【図１０】図７に示すヘッド部において識別部を駆動する駆動回路を示すブロック図である。
【図１１】図７に示すヘッド部の他の構成において識別部を駆動する駆動回路を示すブロック図である。
【図１２】本発明の実施の形態５に係る紫外線照射装置のヘッド部の詳細を示す正面図及び断面図である。
【図１３】実施の形態５に係る紫外線照射装置のヘッド部を上方から見た分解斜視図である。
【図１４】実施の形態５に係る紫外線照射装置のヘッド部を下方から見た分解斜視図である。
【図１５】図１４のコネクタを各々連結した状態を示す斜視図である。
【図１６】冷却ブロックの先端面にＵＶＬＥＤを密着固定する様子を示す図である。
【図１７】レンズホルダとその内部構造例を示す分解図である。
【図１８】冷却ブロックとレンズホルダとの固定方法の例を示す図である。
【図１９】コントローラ部の前面パネルに設けられた表示部及び設定部の配置例を示す正面図である。
【図２０】本発明の実施の形態５に係る紫外線照射条件の設定方法を示すフローチャートである。
【図２１】紫外線の照射パターンがステップ状に変化する様子を示すグラフ図である。
【図２２】図２０の紫外線照射条件の設定方法を詳細に示すフローチャートである。
【図２３】紫外線照射装置に使用される階層メニューの一例を示す状態遷移図である。
【図２４】照射モードにおける階層メニューの一例を示す状態遷移図である。
【図２５】設定モードにおける階層メニューの一例を示す状態遷移図である。
【図２６】設定モードにおける設定編集メニューの詳細を示す状態遷移図である。
【図２７】本発明の実施の形態６に係る紫外線照射装置のコントローラ部の正面図である。
【図２８】本発明の実施の形態７に係る紫外線照射装置のヘッド部を示す正面図及び断面図である。
【図２９】図２８のヘッド部を示す分解斜視図である。
【図３０】本発明の実施の形態８に係る紫外線照射装置のヘッド部を示す平面図および側面断面図である。
【図３１】図３０のヘッド部を示す斜視図である。
【図３２】本発明の実施の形態５〜７におけるヘッド部の支持方法の例を示す斜視図である。
【図３３】本発明の実施の形態９に係る紫外線照射装置のヘッド部を示す底面図である。
【図３４】本発明の実施の形態９に係る紫外線照射装置における紫外線照射条件の設定方法を示すフローチャートである。
【図３５】本発明の実施の形態１０に係る紫外線照射条件の設定方法において、関数状とした紫外線の照射パターンを示すグラフである。
【図３６】本発明の実施の形態１０に係る紫外線照射条件を設定する手順を示すフローチャートである。
【図３７】本発明の実施の形態１１に係る紫外線照射装置のブロック図である。
【符号の説明】
【０１５６】
１００、７００…紫外線照射装置
１１０、１１０Ｄ〜Ｅ、２１０、７１０…コントローラ部
１１２…電源部      １１２１…定電流回路
１１４、１１４Ｄ〜Ｅ、７１４…制御部
１１６…記憶部
１１８、１１８Ｄ…ドライブ回路
１１９…Ｄ／Ａ変換部
１２０、１２０Ａ〜Ｅ、３２０、４２０、５２０…ヘッド部
１２１、１２１Ａ〜１２１Ｅ…識別部
１２１１、１２１１Ａ〜Ｃ…点灯部
１２１２…識別情報表示部
１２０１…ポール部材
１２０２、４２０２…ホルダ      １２０３…固定ネジ
１２０４…シリアル／パラレル変換部
１２０６…ヘッド部側ドライブ回路
１２２、４２２…ヘッド本体部
１２２１…上ケース部材      １２２２…下ケース部材
１２２３…基端部材
１２２４…基板
１２２５…ケーブル用コネクタ
１２２６…インジケータＬＥＤ
１２２７…メモリ部
１２２８…調整回路
１２２９…固定ネジ      １２３０…固定ネジ
１２３１…連結コネクタ
１２３２…貫通孔
１２４、４２４…冷却ブロック
１２４１…固定ネジ      １２４２…固定ネジ
１２４３…基端側突出部
１２４４…連結コネクタ
１２４５…保護プレート
１２６、４２６…レンズホルダ
１２６１…光学系レンズ    １２６１Ａ…第１のレンズ    １２６１Ｂ…第１のレンズ
１２６２…スペーサ
１２６３…レンズ固定キャップ
１３０、１３０Ｄ〜Ｅ…ケーブル部
１４０…設定部
１４２…表示部
１４４、２４４…操作パネル
１４４Ａ、１４４Ｂ、１４４Ｃ、１４４Ｄ…＜、＞、∧、∨スイッチ
１４４Ｅ…エスケープスイッチ
１４４Ｆ…エンタースイッチ
１４５…チャンネル表示ランプ
１４６…紫外線照射ランプ
１４７…電源スイッチ
１４８…一括照射スイッチ
１５０、１５０Ｅ、３５０、４５０、５５０、５５０Ａ〜Ｃ…ＵＶＬＥＤ
１６０…ヘッド部接続コネクタ
１７０…個別照射ランプ
１８０、３８０…個別照射スイッチ
２９０、３９０…個別設定スイッチ
２９２…個別表示部
７１０１…外部接続機器
Ｕ…紫外線
Ｈ…固定対象
【手続補正３】
【補正対象書類名】図面
【補正対象項目名】図１
【補正方法】変更
【補正の内容】
【図１】
2006188714.tif 000040
【手続補正４】
【補正対象書類名】図面
【補正対象項目名】図１４
【補正方法】変更
【補正の内容】
【図１４】
2006188714.tif 000041
【手続補正５】
【補正対象書類名】図面
【補正対象項目名】図２２
【補正方法】変更
【補正の内容】
【図２２】
2006188714.tif 000042